(57)【要約】  ＣＣのうちの１つ以上を使用する送信が、スロット、または、他の送信時間間隔の全送信時間未満にしか及ばない、複数のコンポーネント搬送波（ＣＣ）を使用する送信を管理する、ワイヤレス通信のための方法、システムおよび装置を説明する。ＵＥはこのような送信を送信する能力をシグナリングしてもよく、１つ以上の能力は、異なるＣＣ上の送信のスケジューリングのために基地局により使用されるかもしれない搬送波アグリゲーションに関連する。２つ以上のＣＣ上のオーバーラップする送信が最大電力しきい値を超える場合に、１つ以上のＣＣの１つ以上の送信の少なくとも一部分をドロップするためのさまざまな技法を説明する。【選択図】図５
2021503794.tif 000002
【特許請求の範囲】
【請求項１】
ワイヤレス通信のための方法において、
ＵＥにおいて、基地局との接続を確立し、前記接続は２つ以上のコンポーネント搬送波（ＣＣ）をサポートすることと、
スロット間の前記２つ以上のＣＣ上での複数のアップリンク送信に対するアップリンクリソースの複数の許可を受信し、前記複数の許可は、前記スロットの開始に先立って、少なくとも予め定められた時間に受信され、前記複数のアップリンク送信を送信する送信電力は、前記スロットの少なくとも一部分の間に、前記ＵＥに対する最大電力しきい値を超えることと、
前記複数のアップリンク送信の少なくともサブセットの送信電力をスケーリングして、前記送信電力が前記最大電力しきい値以下であることを提供することと、
前記ＣＣのうちの１つ以上を使用して、前記スロット間に、前記複数のアップリンク送信を送信することとを含む方法。
【請求項２】
前記複数のアップリンク送信のサブセット以外の前記複数のアップリンク送信の他のものに対する、前記複数のアップリンク送信のサブセットに関係する優先順位に基づいて、前記スケーリングが実行される請求項１記載の方法。
【請求項３】
前記優先順位は、前記複数のアップリンク送信のそれぞれに関係するチャネルタイプ、前記複数のアップリンク送信のそれぞれを介して送信されるアップリンク制御情報（ＵＣＩ）のタイプ、または、これらの任意の組み合わせ、のうちの１つ以上に少なくとも部分的に基づいている請求項２記載の方法。
【請求項４】
前記予め定められた時間の後かつ前記スロットの開始の前に、追加のアップリンク送信に対する追加の許可を受信することと、
前記追加のアップリンク送信が前記ＵＥのアグリゲート送信電力を前記最大電力しきい値より上に増加させることになるとの決定に応答して、前記追加のアップリンク送信をドロップすることとをさらに含む請求項１記載の方法。
【請求項５】
前記予め定められた時間の後かつ前記スロットの開始の前に、追加のアップリンク送信に対する追加の許可を受信することと、
前記追加のアップリンク送信が前記ＵＥのアグリゲート送信電力を前記最大電力しきい値より上に増加させることにならないとの決定に応答して、前記追加のアップリンク送信を送信することとをさらに含む請求項１記載の方法。
【請求項６】
前記複数の許可を受信するための前記予め定められた時間は、予め構成されるかまたは前記基地局と前記ＵＥとの間でシグナリングされる請求項１記載の方法。
【請求項７】
前記複数の許可を受信するための前記予め定められた時間は、前記ＵＥの能力に少なくとも部分的に基づいている請求項１記載の方法。
【請求項８】
前記２つ以上のＣＣのうちの第１のＣＣは、前記２つ以上のＣＣのうちの第２のＣＣ以外の異なるタイミングアドバンスグループ（ＴＡＧ）に属し、前記第１のＣＣの前記スロットの開始時間は、前記第２のＣＣの前のスロットの終了時間に先行する請求項１記載の方法。
【請求項９】
前記方法は、オーバーラップ期間がオーバーラップしきい値以下であることに応答して、前記オーバーラップ期間にかかわらず、前記送信電力のスケーリングを実行することをさらに含み、前記オーバーラップ期間は、前記第１のＣＣの前記スロットの開始時間と前記第２のＣＣの前記前のスロットの終了時間との間の期間に対応し、前記オーバーラップしきい値は、前記ＵＥに対する最大電力しきい値から免除される時間の量に対応する請求項８記載の方法。
【請求項１０】
前記方法は、前記オーバーラップ期間がオーバーラップしきい値を超えることに応答して、前記第１のＣＣまたは前記第２のＣＣのオーバーラップするアップリンク送信をドロップして、オーバーラップ期間間に、前記最大電力しきい値以下であるアグリゲート送信電力を提供することをさらに含み、前記オーバーラップ期間は、前記第１のＣＣの前記スロットの開始時間と前記第２のＣＣの前記前のスロットの終了時間との間であり、前記オーバーラップしきい値は、前記ＵＥに対する最大電力しきい値から免除される時間の量に対応する請求項８記載の方法。
【請求項１１】
前記方法は、前記第１のＣＣの前記スロットの開始時間と前記第２のＣＣの前記前のスロットの終了時間との間の前記オーバーラップ期間がオーバーラップしきい値を超えることに応答して、前記第１のＣＣおよび前記第２のＣＣのうちの１つ以上のアップリンク送信に対する前記送信電力をスケーリングして、オーバーラップ期間間に、前記最大電力しきい値以下であるアグリゲート送信電力を提供することをさらに含み、前記オーバーラップしきい値は、前記ＵＥに対する最大電力しきい値から免除される時間の量に対応する請求項８記載の方法。
【請求項１２】
ワイヤレス通信のための方法において、
ユーザ機器（ＵＥ）において、基地局との接続を確立し、前記接続は２つ以上のコンポーネント搬送波（ＣＣ）をサポートすることと、
スロット間の前記２つ以上のＣＣ上での複数のアップリンク送信に対するアップリンクリソースの複数の許可を受信し、前記複数の許可は、前記スロットの開始に先立って、少なくとも予め定められた時間に受信され、前記複数のアップリンク送信のうちの第１のアップリンク送信は、前記第１のアップリンク送信とオーバーラップする、前記複数のアップリンク送信のうちの第２のアップリンク送信の第２の優先度よりも少なくとも高い第１の優先度を有することと、
前記ＵＥのアグリゲート送信電力が最大電力しきい値以下であるように、前記第２のアップリンク送信の第２の送信電力をスケーリングすることと、
前記２つ以上のＣＣを使用して、前記スロット間に、前記複数のアップリンク送信を送信することとを含む方法。
【請求項１３】
前記ＵＥの前記アグリゲート送信電力と前記最大電力しきい値との間の残りの電力が利用可能であり、
第３のアップリンク送信が、前記第１のアップリンク送信および前記第２のアップリンク送信とオーバーラップし、前記第１の優先度および前記第２の優先度よりも低い優先度を有し、
前記方法は、前記残りの電力を前記第３のアップリンク送信に割り振ることをさらに含む請求項１２記載の方法。
【請求項１４】
既に開始したアップリンク送信は、他のアップリンク送信よりも高い優先度を有する請求項１２記載の方法。
【請求項１５】
前記アップリンク送信が進行中の送信であるか否かに、アップリンク送信のタイプに、送信されるべき情報に、または、これらの任意の組み合わせにしたがって、前記複数のアップリンク送信が優先順位付けされる請求項１２記載の方法。
【請求項１６】
前記ＵＥの前記アグリゲート送信電力が前記最大電力しきい値以下であるように、前記ＵＥが、同じ優先度を有する１つより多いアップリンク送信をさらにスケーリングする請求項１２記載の方法。
【請求項１７】
前記スロット間のアップリンク送信の各シンボルは、同じ送信電力を有する請求項１２記載の方法。
【請求項１８】
ワイヤレス通信のための装置において、
ユーザ機器（ＵＥ）において、基地局との接続を確立し、前記接続は２つ以上のコンポーネント搬送波（ＣＣ）をサポートする手段と、
スロット間の前記２つ以上のＣＣ上での複数のアップリンク送信に対するアップリンクリソースの複数の許可を受信し、前記複数の許可は、前記スロットの開始に先立って、少なくとも予め定められた時間に受信され、前記複数のアップリンク送信を送信する送信電力は、前記スロットの少なくとも一部分の間に、前記ＵＥに対する最大電力しきい値を超える手段と、
前記複数のアップリンク送信の少なくともサブセットの送信電力をスケーリングして、前記送信電力が前記最大電力しきい値以下であることを提供する手段と、
前記ＣＣのうちの１つ以上を使用して、前記スロット間に、前記複数のアップリンク送信を送信する手段とを具備する装置。
【請求項１９】
前記予め定められた時間の後かつ前記スロットの開始の前に、追加のアップリンク送信に対する追加の許可を受信する手段と、
前記追加のアップリンク送信が前記ＵＥのアグリゲート送信電力を前記最大電力しきい値より上に増加させることになるとの決定に応答して、前記追加のアップリンク送信をドロップする手段とをさらに具備する請求項１８記載の装置。
【請求項２０】
前記予め定められた時間の後かつ前記スロットの開始の前に、追加のアップリンク送信に対する追加の許可を受信する手段と、
前記追加のアップリンク送信が前記ＵＥのアグリゲート送信電力を前記最大電力しきい値より上に増加させることにならないとの決定に応答して、前記追加のアップリンク送信を送信する手段とをさらに具備する請求項１８記載の装置。
【請求項２１】
前記２つ以上のＣＣのうちの第１のＣＣは、前記２つ以上のＣＣのうちの第２のＣＣ以外の異なるタイミングアドバンスグループ（ＴＡＧ）に属し、前記第１のＣＣの前記スロットの開始時間は、前記第２のＣＣの前のスロットの終了時間に先行し、
前記スケーリングする手段は、オーバーラップ期間がオーバーラップしきい値以下であるとの決定に応答して、前記オーバーラップ期間にかかわらず、前記送信電力をスケーリングし、前記オーバーラップ期間は、前記第１のＣＣの前記スロットの開始時間と前記第２のＣＣの前記前のスロットの終了時間との間の期間に対応し、前記オーバーラップしきい値は、前記ＵＥに対する最大電力しきい値から免除される時間の量に対応する請求項１８記載の装置。
【請求項２２】
ワイヤレス通信のための装置において、
ユーザ機器（ＵＥ）において、基地局との接続を確立し、前記接続は２つ以上のコンポーネント搬送波（ＣＣ）をサポートする手段と、
スロット間の前記２つ以上のＣＣ上での複数のアップリンク送信に対するアップリンクリソースの複数の許可を受信し、前記複数の許可は、前記スロットの開始に先立って、少なくとも予め定められた時間に受信され、前記複数のアップリンク送信のうちの第１のアップリンク送信は、前記第１のアップリンク送信とオーバーラップする、前記複数のアップリンク送信のうちの第２のアップリンク送信の第２の優先度よりも少なくとも高い第１の優先度を有する手段と、
前記ＵＥのアグリゲート送信電力が最大電力しきい値以下であるように、前記第２のアップリンク送信の第２の送信電力をスケーリングする手段と、
前記２つ以上のＣＣを使用して、前記スロット間に、前記複数のアップリンク送信を送信する手段とを具備する装置。
【請求項２３】
前記ＵＥの前記アグリゲート送信電力と前記最大電力しきい値との間の残りの電力が利用可能であり、
第３のアップリンク送信が、前記第１のアップリンク送信および前記第２のアップリンク送信とオーバーラップし、前記第１の優先度および前記第２の優先度よりも低い優先度を有し、
前記装置は、前記残りの電力を前記第３のアップリンク送信に割り振る手段をさらに具備する請求項２２記載の装置。
【請求項２４】
前記アップリンク送信が進行中の送信であるか否かに、アップリンク送信のタイプに、送信されるべき情報に、または、これらの任意の組み合わせにしたがって、前記複数のアップリンク送信が優先順位付けされる請求項２２記載の装置。
【請求項２５】
前記ＵＥの前記アグリゲート送信電力が前記最大電力しきい値以下であるように、前記ＵＥが、同じ優先度を有する１つより多いアップリンク送信をさらにスケーリングする請求項２２記載の装置。
【請求項２６】
ワイヤレス通信のための装置において、
プロセッサと、
前記プロセッサと電子通信するメモリと、
前記メモリ中に記憶されている命令とを具備し、
前記命令は、前記装置に、
ＵＥにおいて、基地局との接続を確立させ、前記接続は２つ以上のコンポーネント搬送波（ＣＣ）をサポートし、
スロット間の前記２つ以上のＣＣ上での複数のアップリンク送信に対するアップリンクリソースの複数の許可を受信させ、前記複数の許可は、前記スロットの開始に先立って、少なくとも予め定められた時間に受信され、前記複数のアップリンク送信を送信する送信電力は、前記スロットの少なくとも一部分の間に、前記ＵＥに対する最大電力しきい値を超え、
前記複数のアップリンク送信の少なくともサブセットの送信電力をスケーリングさせて、前記送信電力が前記最大電力しきい値以下であることを提供させ、
前記ＣＣのうちの１つ以上を使用させて、前記スロット間に、前記複数のアップリンク送信を送信させるように、
前記プロセッサにより実行可能である装置。
【請求項２７】
前記命令は、前記装置に、
前記予め定められた時間の後かつ前記スロットの開始の前に、追加のアップリンク送信に対する追加の許可を受信させ、
前記追加のアップリンク送信が前記ＵＥのアグリゲート送信電力を前記最大電力しきい値より上に増加させることになるとの決定に応答して、前記追加のアップリンク送信をドロップさせるように、
前記プロセッサによりさらに実行可能である請求項２６記載の装置。
【請求項２８】
前記命令は、前記装置に、
前記予め定められた時間の後かつ前記スロットの開始の前に、追加のアップリンク送信に対する追加の許可を受信させ、
前記追加のアップリンク送信が前記ＵＥのアグリゲート送信電力を前記最大電力しきい値より上に増加させることにならないとの決定に応答して、前記追加のアップリンク送信を送信させるように、
前記プロセッサによりさらに実行可能である請求項２６記載の装置。
【請求項２９】
前記２つ以上のＣＣのうちの第１のＣＣは、前記２つ以上のＣＣのうちの第２のＣＣ以外の異なるタイミングアドバンスグループ（ＴＡＧ）に属し、前記第１のＣＣの前記スロットの開始時間は、前記第２のＣＣの前のスロットの終了時間に先行し、
前記命令は、前記装置に、
オーバーラップ期間がオーバーラップしきい値以下であるとの決定に応答して、前記オーバーラップ期間にかかわらず、前記送信電力をスケーリングさせるように、前記プロセッサによりさらに実行可能であり、
前記オーバーラップ期間は、前記第１のＣＣの前記スロットの開始時間と前記第２のＣＣの前記前のスロットの終了時間との間の期間に対応し、前記オーバーラップしきい値は、前記ＵＥに対する最大電力しきい値から免除される時間の量に対応する請求項２６記載の装置。
【請求項３０】
ワイヤレス通信のための装置において、
プロセッサと、
前記プロセッサと電子通信するメモリと、
前記メモリ中に記憶されている命令とを具備し、
前記命令は、前記装置に、
ユーザ機器（ＵＥ）において、基地局との接続を確立させ、前記接続は２つ以上のコンポーネント搬送波（ＣＣ）をサポートし、
スロット間の前記２つ以上のＣＣ上での複数のアップリンク送信に対するアップリンクリソースの複数の許可を受信させ、前記複数の許可は、前記スロットの開始に先立って、少なくとも予め定められた時間に受信され、前記複数のアップリンク送信のうちの第１のアップリンク送信は、前記第１のアップリンク送信とオーバーラップする、前記複数のアップリンク送信のうちの第２のアップリンク送信の第２の優先度よりも少なくとも高い第１の優先度を有し、
前記ＵＥのアグリゲート送信電力が最大電力しきい値以下であるように、前記第２のアップリンク送信の第２の送信電力をスケーリングさせ、
前記２つ以上のＣＣを使用させて、前記スロット間に、前記複数のアップリンク送信を送信させるように、
前記プロセッサにより実行可能である装置。
【請求項３１】
前記ＵＥの前記アグリゲート送信電力と前記最大電力しきい値との間の残りの電力が利用可能であり、
第３のアップリンク送信が、前記第１のアップリンク送信および前記第２のアップリンク送信とオーバーラップし、前記第１の優先度および前記第２の優先度よりも低い優先度を有し、
前記命令は、前記装置に、前記残りの電力を前記第３のアップリンク送信に割り振らせるように、前記プロセッサによりさらに実行可能である請求項３０記載の装置。
【請求項３２】
前記アップリンク送信が進行中の送信であるか否かに、アップリンク送信のタイプに、送信されるべき情報に、または、これらの任意の組み合わせにしたがって、前記複数のアップリンク送信が優先順位付けされる請求項３０記載の装置。
【請求項３３】
ワイヤレス通信のためのコードを記憶している非一時的コンピュータ読取可能媒体において、
前記コードは、
ＵＥにおいて、基地局との接続を確立し、前記接続は２つ以上のコンポーネント搬送波（ＣＣ）をサポートし、
スロット間の前記２つ以上のＣＣ上での複数のアップリンク送信に対するアップリンクリソースの複数の許可を受信し、前記複数の許可は、前記スロットの開始に先立って、少なくとも予め定められた時間に受信され、前記複数のアップリンク送信を送信する送信電力は、前記スロットの少なくとも一部分の間に、前記ＵＥに対する最大電力しきい値を超え、
前記複数のアップリンク送信の少なくともサブセットの送信電力をスケーリングして、前記送信電力が前記最大電力しきい値以下であることを提供し、
前記ＣＣのうちの１つ以上を使用して、前記スロット間に、前記複数のアップリンク送信を送信するように、
プロセッサにより実行可能な命令を含む非一時的コンピュータ読取可能媒体。
【請求項３４】
前記命令は、
前記予め定められた時間の後かつ前記スロットの開始の前に、追加のアップリンク送信に対する追加の許可を受信し、
前記追加のアップリンク送信が前記ＵＥのアグリゲート送信電力を前記最大電力しきい値より上に増加させることになるとの決定に応答して、前記追加のアップリンク送信をドロップするように、
さらに実行可能である請求項３３記載の非一時的コンピュータ読取可能媒体。
【請求項３５】
前記命令は、
前記予め定められた時間の後かつ前記スロットの開始の前に、追加のアップリンク送信に対する追加の許可を受信し、
前記追加のアップリンク送信が前記ＵＥのアグリゲート送信電力を前記最大電力しきい値より上に増加させることにならないとの決定に応答して、前記追加のアップリンク送信を送信するように、
さらに実行可能である請求項３３記載の非一時的コンピュータ読取可能媒体。
【請求項３６】
前記２つ以上のＣＣのうちの第１のＣＣは、前記２つ以上のＣＣのうちの第２のＣＣ以外の異なるタイミングアドバンスグループ（ＴＡＧ）に属し、前記第１のＣＣの前記スロットの開始時間は、前記第２のＣＣの前のスロットの終了時間に先行し、
前記命令は、オーバーラップ期間がオーバーラップしきい値以下であるとの決定に応答して、前記オーバーラップ期間にかかわらず、前記送信電力をスケーリングするように、
さらに実行可能であり、
前記オーバーラップ期間は、前記第１のＣＣの前記スロットの開始時間と前記第２のＣＣの前記前のスロットの終了時間との間の期間に対応し、前記オーバーラップしきい値は、前記ＵＥに対する最大電力しきい値から免除される時間の量に対応する請求項３３記載の非一時的コンピュータ読取可能媒体。
【請求項３７】
ワイヤレス通信のためのコードを記憶している非一時的コンピュータ読取可能媒体において、
前記コードは、
ユーザ機器（ＵＥ）において、基地局との接続を確立し、前記接続は２つ以上のコンポーネント搬送波（ＣＣ）をサポートし、
スロット間の前記２つ以上のＣＣ上での複数のアップリンク送信に対するアップリンクリソースの複数の許可を受信し、前記複数の許可は、前記スロットの開始に先立って、少なくとも予め定められた時間に受信され、前記複数のアップリンク送信のうちの第１のアップリンク送信は、前記第１のアップリンク送信とオーバーラップする、前記複数のアップリンク送信のうちの第２のアップリンク送信の第２の優先度よりも少なくとも高い第１の優先度を有し、
前記ＵＥのアグリゲート送信電力が最大電力しきい値以下であるように、前記第２のアップリンク送信の第２の送信電力をスケーリングし、
前記２つ以上のＣＣを使用して、前記スロット間に、前記複数のアップリンク送信を送信するように、
プロセッサにより実行可能な命令を含む非一時的コンピュータ読取可能媒体。
【請求項３８】
前記ＵＥの前記アグリゲート送信電力と前記最大電力しきい値との間の残りの電力が利用可能であり、
第３のアップリンク送信が、前記第１のアップリンク送信および前記第２のアップリンク送信とオーバーラップし、前記第１の優先度および前記第２の優先度よりも低い優先度を有し、
前記命令は、前記残りの電力を前記第３のアップリンク送信に割り振るように、さらに実行可能である請求項３７記載の非一時的コンピュータ読取可能媒体。
【請求項３９】
前記アップリンク送信が進行中の送信であるか否かに、アップリンク送信のタイプに、送信されるべき情報に、または、これらの任意の組み合わせにしたがって、前記複数のアップリンク送信が優先順位付けされる請求項３７記載の非一時的コンピュータ読取可能媒体。
【発明の詳細な説明】
【相互参照】
【０００１】
［０００１］
特許のための本願は、２０１８年５月８日に出願された「ワイヤレス通信においてキャリアアグリゲーションを使用して電力制御するための技法」と題するワング氏らによる米国特許出願第１５／９７４，３７２号と、２０１７年１１月１７日に出願された「ワイヤレス通信においてキャリアアグリゲーションを使用して電力制御するための技法」と題するワング氏らによる米国仮特許出願第６２／５８８，１６４号と、２０１７年１１月１７日に出願された「ワイヤレス通信においてキャリアアグリゲーションを使用して電力制御するための技法」と題するワング氏らによる米国仮特許出願第６２／５８８，２０５号とに対する優先権を主張し、このそれぞれは、本願の譲受人に譲渡され、参照によりここに組み込まれている。
【背景】
【０００２】
［０００２］
以下は、一般にワイヤレス通信に関し、より具体的には、ワイヤレス通信においてキャリアアグリゲーションを使用して電力制御するための技法に関する。
【０００３】
［０００３］
ワイヤレス通信システムは、音声、ビデオ、パケットデータ、メッセージング、ブロードキャストなどのような、さまざまなタイプの通信コンテンツを提供するために広く配備されている。これらのシステムは、利用可能なシステムリソース（例えば、時間、周波数、および、電力）を共有することにより、複数のユーザとの通信をサポートすることができてもよい。このような多元接続システムの例は、ロングタームエボリューション（ＬＴＥ（登録商標））システムまたはＬＴＥアドバンスト（ＬＴＥ−Ａ）システムのような第４世代（４Ｇ）システムと、新しい無線（ＮＲ）システムとして呼ばれることもある第５世代（５Ｇ）システムとを含んでいる。これらのシステムは、コード分割多元接続（ＣＤＭＡ）、時分割多元接続（ＴＤＭＡ）、周波数分割多元接続（ＦＤＭＡ）、直交周波数分割多元接続（ＯＦＤＭＡ）、または、離散フーリエ変換−拡散ＯＦＤＭ（ＤＦＴ−Ｓ−ＯＦＤＭ）のような技術を用いているかもしれない。ワイヤレス多元接続通信システムは、多数の基地局またはネットワークアクセスノードを含んでいてもよく、各基地局またはネットワークアクセスノードは、複数の通信デバイスのための通信を同時にサポートし、これらの送信デバイスは、さもなければユーザ機器（ＵＥ）として知られている。
【０００４】
［０００４］
いくつかのワイヤレス通信システムは、複数のアグリゲートされたコンポーネント搬送波（ＣＣ）上でのＵＥと基地局との間の通信をサポートしていてもよく、特徴は、キャリアアグリゲーションとして呼ばれる。いくつかのケースでは、ＵＥは、異なる持続時間を有する送信時間間隔（ＴＴＩ）の間に、異なる搬送波上でアップリンク信号を送信するかもしれない。さらに、ＵＥは、最大送信電力制限にしたがって、アップリンク信号を送信するかもしれない。しかしながら、このようなケースでは、最大送信電力制限の境界内で複数のＣＣのために使用すべき適切なアップリンク電力をＵＥが識別することは困難であるかもしれない。さらに、いくつかのケースでは、複数のＣＣを使用する送信に関係する異なる能力を有するＵＥが、ワイヤレス通信システム中に存在することがあり、したがって、すべてのＵＥの均一な処理は、いくつかのＵＥの能力を完全に利用しないことがある。したがって、ネットワーク管理における、アップリンク送信電力の効率的な決定とＵＥ能力の考察は、ワイヤレス通信システムの効率を向上させるかもしれない。
【概要】
【０００５】
［０００５］
説明する技法は、ワイヤレス通信においてキャリアアグリゲーションを使用して電力制御するための技法をサポートする、改善された方法、システム、デバイス、または、装置に関する。さまざまな説明する技法は、ＣＣのうちの１つ以上を使用する送信が、送信スロット、サブフレーム、または、他の送信時間間隔（ＴＴＩ）のような、全ＴＴＩ未満にしか及ばないかもしれない、複数のコンポーネント搬送波（ＣＣ）を使用する送信を管理することを提供する。いくつかのケースでは、ＵＥは、ここで説明するいくつかの技法にしたがって、異なるＣＣ上での送信のスケジューリングのために基地局により使用されるかもしれないキャリアアグリゲーションに関連する１つ以上の能力をシグナリングしてもよい。いくつかのケースでは、ＵＥは、異なるＣＣ上に異なる開始時間または持続時間を有する送信をサポートするためのＵＥの能力の能力表示を基地局にシグナリングしてもよい。
【０００６】
［０００６］
いくつかのケースでは、ＵＥは、異なるＣＣが異なるタイミングアドバンスグループ（ＴＡＧ）に属しているかもしれないＣＣをサポートしてもよく、したがって、ＴＴＩ（例えば、シンボル、スロット、サブフレーム、これらの組み合わせ）の開始時間は、あるしきい値まで非同期であるかもしれない。このような同期オフセットは、最大電力しきい値を超えることがある過渡値を有する、ＵＥにおける送信電力を結果的にもたらすかもしれず、いくつかのケースでは、ＵＥは、ＵＥ送信電力が最大電力しきい値を超えることがある時間の量を示すオーバーラップしきい値の表示をＵＥに提供してもよい。
【０００７】
［０００７］
いくつかのケースでは、異なるＣＣの送信が、異なる開始時間、異なる停止時間、異なる持続時間、または、これらの組み合わせを有しているかもしれない場合に、ＵＥはまた、複数のＣＣに対する電力制御を実行して、最大電力しきい値に適合するアップリンク送信電力を提供してもよい。いくつかのケースでは、ＵＥは、スロット間の２つ以上のＣＣ上での複数のアップリンク送信に対するアップリンクリソースの多数の許可を受信し、アップリンク送信を送信する送信電力が、スロットの少なくとも一部分の間に、ＵＥに対する最大電力しきい値を超えることを決定してもよい。ＵＥは、このような決定に応答して、多数のアップリンク送信のうちの第１のアップリンク送信の少なくとも一部分をドロップしてもよく、結果的に得られる送信電力は、最大電力しきい値以下であり、ＣＣのうちの１つ以上を使用して、スロット間に、多数のアップリンク送信のうちの残りのアップリンク送信を送信する。追加的または代替的に、ＵＥは、ＵＥ送信電力が最大電力しきい値以下であるように、スロットの少なくとも一部分の間に、ＣＣのうちの１つ以上の送信電力をスケーリングしてもよい。いくつかのケースでは、ＵＥは、スロットの開始に先立って、少なくとも予め定められた時間に受信されるアップリンク許可に対して、ルックアヘッド電力スケーリングを実行してもよい。
【０００８】
［０００８］
ワイヤレス通信の方法を説明する。方法は、ＵＥにおいて、基地局との接続を確立し、接続はＴＡＧ内で２つ以上のＣＣをサポートすることと、ＵＥにおいて、異なるＣＣ上に異なる開始時間または持続時間を有する送信をサポートするための能力を識別することと、能力の表示を基地局に送信することとを含んでいてもよい。
【０００９】
［０００９］
ワイヤレス通信のための装置を説明する。装置は、ＵＥにおいて、基地局との接続を確立し、接続はＴＡＧ内で２つ以上のＣＣをサポートする手段と、ＵＥにおいて、異なるＣＣ上に異なる開始時間または持続時間を有する送信をサポートするための能力を識別する手段と、能力の表示を基地局に送信する手段とを含んでいてもよい。
【００１０】
［００１０］
ワイヤレス通信のための別の装置を説明する。装置は、プロセッサと、プロセッサと電子通信するメモリと、メモリ中に記憶されている命令とを含んでいてもよい。命令は、プロセッサに、ＵＥにおいて、基地局との接続を確立させ、接続はＴＡＧ内で２つ以上のＣＣをサポートし、ＵＥにおいて、異なるＣＣ上に異なる開始時間または持続時間を有する送信をサポートするための能力を識別させ、能力の表示を基地局に送信させるように、動作可能であってもよい。
【００１１】
［００１１］
ワイヤレス通信のための非一時的コンピュータ読取可能媒体を説明する。非一時的コンピュータ読取可能媒体は、プロセッサに、ＵＥにおいて、基地局との接続を確立させ、接続はＴＡＧ内で２つ以上のＣＣをサポートし、ＵＥにおいて、異なるＣＣ上に異なる開始時間または持続時間を有する送信をサポートする能力を識別させ、能力の表示を基地局に送信させるように、動作可能な命令を含んでいてもよい。
【００１２】
［００１２］
上記の方法、装置、および、非一時的コンピュータ読取可能媒体のいくつかの例では、識別することは、複数の異なる周波数帯のそれぞれにまたは異なる周波数帯の組み合わせに対して、異なる開始時間または持続時間を有しているかもしれない送信をサポートするための能力を識別することを含んでいる。
【００１３】
［００１３］
上記で説明した方法、装置、および、非一時的コンピュータ読取可能媒体のいくつかの例では、複数の異なる周波数帯のそれぞれにまたは異なる周波数帯の組み合わせに対して、異なる開始時間または持続時間をサポートするための能力は、ＵＥにおける送信のために利用可能なＲＦチェーンの数に少なくとも部分的に基づいて決定してもよい。上記で説明した方法、装置、および、非一時的コンピュータ読取可能媒体のいくつかの例では、複数の異なる周波数帯域または異なる周波数帯域の組み合わせは、ＵＥにおけるＲＦチェーン当たりの帯域内連続搬送波周波数を含んでいる。上記で説明した方法、装置、および、非一時的コンピュータ読取可能媒体のいくつかの例では、複数の異なる周波数帯域または異なる周波数帯域の組み合わせは、ＵＥにおける複数のＲＦチェーンのための帯域内非連続または帯域間搬送波周波数を含んでいる。
【００１４】
［００１４］
ワイヤレス通信の方法を説明する。方法は、ＵＥにおいて、基地局との接続を確立し、接続は異なるＴＡＧ内で２つ以上のＣＣをサポートすることと、ＵＥにおいて、第１のＴＡＧの第１のＣＣ上での新たな送信が、第２のＴＡＧの第２のＣＣ上での既存の送信の最後の部分とオーバーラップすることがある、電力制御制限から免除される時間の量に対応するオーバーラップしきい値を識別することと、オーバーラップしきい値の表示を基地局に送信することとを含んでいてもよい。
【００１５】
［００１５］
ワイヤレス通信のための装置を説明する。装置は、ＵＥにおいて、基地局との接続を確立し、接続は異なるＴＡＧ内で２つ以上のＣＣをサポートする手段と、ＵＥにおいて、第１のＴＡＧの第１のＣＣ上での新たな送信が、第２のＴＡＧの第２のＣＣ上での既存の送信の最後の部分とオーバーラップすることがある、電力制御制限から免除される時間の量に対応するオーバーラップしきい値を識別する手段と、オーバーラップしきい値の表示を基地局に送信する手段とを含んでいてもよい。
【００１６】
［００１６］
ワイヤレス通信のための別の装置を説明する。装置は、プロセッサと、プロセッサと電子通信するメモリと、メモリ中に記憶されている命令とを含んでいてもよい。命令は、プロセッサに、ＵＥにおいて、基地局との接続を確立させ、接続は異なるＴＡＧ内で２つ以上のＣＣをサポートし、ＵＥにおいて、第１のＴＡＧの第１のＣＣ上での新たな送信が、第２のＴＡＧの第２のＣＣ上での既存の送信の最後の部分とオーバーラップすることがある、電力制御制限から免除される時間の量に対応するオーバーラップしきい値を識別させ、オーバーラップしきい値の表示を基地局に送信させるように、動作可能であってもよい非一時的コンピュータ読取可能媒体。
【００１７】
［００１７］
ワイヤレス通信のための非一時的コンピュータ読取可能媒体を説明する。非一時的コンピュータ読取可能媒体は、プロセッサに、ＵＥにおいて、基地局との接続を確立させ、接続は異なるＴＡＧ内で２つ以上のＣＣをサポートし、ＵＥにおいて、第１のＴＡＧの第１のＣＣ上での新たな送信が、第２のＴＡＧの第２のＣＣ上での既存の送信の最後の部分とオーバーラップすることがある、電力制御限界から除外される時間の量に対応するオーバーラップしきい値を識別させ、オーバーラップしきい値の表示を基地局に送信させるように、動作可能な命令を含んでいてもよい。
【００１８】
［００１８］
上記で説明した方法、装置、および、非一時的コンピュータ読取可能媒体のいくつかの例では、ＵＥの送信電力は、オーバーラップしきい値までの時間期間に対して、最大送信電力しきい値を超えることがある。上記で説明した方法、装置、および、非一時的コンピュータ読取可能媒体のいくつかの例では、オーバーラップしきい値は、ＣＣのうちの１つ以上における送信の開始または終了に適用される。
【００１９】
［００１９］
上記で説明した方法、装置、および、非一時的コンピュータ読取可能媒体のいくつかの例は、第１のＣＣおよび第２のＣＣ上の連続するスロット中で、アップリンク送信に対するアップリンクリソースの許可を受信するためのプロセス、特徴、手段、または、命令をさらに含んでいてもよい。上記で説明した方法、装置、および、非一時的コンピュータ読取可能媒体のいくつかの例は、第１のＣＣと第２のＣＣとの間のタイミング差がオーバーラップしきい値を超えることを決定するためのプロセス、特徴、手段、または、命令をさらに含んでいてもよい。上記で説明した方法、装置、および、非一時的コンピュータ読取可能媒体のいくつかの例は、タイミング差に少なくとも部分的に基づいて、第１のＣＣまたは第２のＣＣのうちの一方または両方のアップリンク送信を修正するためのプロセス、特徴、手段、または、命令をさらに含んでいてもよい。修正することは、連続するスロット間のスロット境界において終了する第１のＣＣ送信をドロップすることと、スロット境界において開始する第２のＣＣ送信をドロップすることと、第１のＣＣ送信、第２のＣＣ送信、または、両方の送信電力を低減させることと、第１のＣＣ送信の最後のシンボルをドロップすることと、第２のＣＣ送信の最初のシンボルをドロップすることのうちの１つを含んでいてもよい。
【００２０】
［００２０］
上記で説明した方法、装置、および、非一時的コンピュータ読取可能媒体のいくつかの例は、第１のＣＣ送信と第２のＣＣ送信のそれぞれに関係する優先度に少なくとも部分的に基づいて、修正する前に、ドロップされるべきまたは低減させた電力で送信されるべき、第１のＣＣ送信または第２のＣＣ送信を選択するためのプロセス、特徴、手段、または、命令をさらに含んでいてもよい。
【００２１】
［００２１］
ワイヤレス通信の方法を説明する。方法は、ＴＡＧ内にまたは異なるＴＡＧ中に２つ以上のＣＣを有するＵＥとの接続を確立することと、ＵＥが異なるＣＣ上に異なる開始時間または持続時間を有する送信をサポートすることができるか否かを示す表示と、第１のＴＡＧの第１のＣＣ上での新たな送信が、第２のＴＡＧの第２のＣＣ上での既存の送信の最後の部分とオーバーラップすることがある、電力制御制限から免除される時間の量に対応するオーバーラップしきい値とをＵＥから受信することと、表示とオーバーラップしきい値とに少なくとも部分的に基づいて、２つ以上のＣＣを使用して、ＵＥに対する複数のアップリンク送信をスケジュールすることと、複数のアップリンク送信に対するリソース許可を含む複数のアップリンク許可をＵＥに送信することとを含んでいてもよい。
【００２２】
［００２２］
ワイヤレス通信のための装置を説明する。装置は、ＴＡＧ内にまたは異なるＴＡＧ中に２つ以上のＣＣを有するＵＥとの接続を確立する手段と、ＵＥが異なるＣＣ上に異なる開始時間または持続時間を有する送信をサポートすることができるか否かを示す表示と、第１のＴＡＧの第１のＣＣ上での新たな送信が、第２のＴＡＧの第２のＣＣ上での既存の送信の最後の部分とオーバーラップすることがある、電力制御制限から免除される時間の量に対応するオーバーラップしきい値とをＵＥから受信する手段と、表示とオーバーラップしきい値とに少なくとも部分的に基づいて、２つ以上のＣＣを使用して、ＵＥに対する複数のアップリンク送信をスケジュールする手段と、複数のアップリンク送信に対するリソース許可を含む複数のアップリンク許可をＵＥに送信する手段とを含んでいてもよい。
【００２３】
［００２３］
ワイヤレス通信のための別の装置を説明する。装置は、プロセッサと、プロセッサと電子通信するメモリと、メモリ中に記憶されている命令とを含んでいてもよい。命令は、プロセッサに、ＴＡＧ内にまたは異なるＴＡＧ中に２つ以上のＣＣを有するＵＥとの接続を確立させ、ＵＥが異なるＣＣ上に異なる開始時間または持続時間を有する送信をサポートすることができるか否かを示す表示と、第１のＴＡＧの第１のＣＣ上での新たな送信が、第２のＴＡＧの第２のＣＣ上での既存の送信の最後の部分とオーバーラップすることがある、電力制御制限から免除される時間の量に対応するオーバーラップしきい値とをＵＥから受信させ、表示とオーバーラップしきい値とに少なくとも部分的に基づいて、２つ以上のＣＣを使用させて、ＵＥに対する複数のアップリンク送信をスケジュールさせ、複数のアップリンク送信に対するリソース許可を含む複数のアップリンク許可をＵＥに送信させるように、動作可能であってもよい。
【００２４】
［００２４］
ワイヤレス通信の方法を説明する。方法は、ＵＥにおいて、スロット中で２つ以上のコンポーネント搬送波（ＣＣ）を介して複数のアップリンク送信を送信する送信電力が、スロットの少なくとも一部分の間に、ＵＥに対する最大電力しきい値を超えることを決定することと、複数のアップリンク送信のうちの第１のアップリンク送信の少なくとも一部分をドロップし、結果的に得られる送信電力が、最大電力しきい値以下であることと、ＣＣのうちの１つ以上を使用して、スロット間に、複数のアップリンク送信のうちの残りのアップリンク送信を送信することとを含んでいてもよい。
【００２５】
［００２５］
ワイヤレス通信のための装置を説明する。装置は、スロット中で２つ以上のＣＣを介して複数のアップリンク送信を送信する送信電力が、スロットの少なくとも一部分の間に、ＵＥに対する最大電力しきい値を超えることを決定する手段と、複数のアップリンク送信のうちの第１のアップリンク送信の少なくとも一部分をドロップし、結果的に得られる送信電力が、最大電力しきい値以下である手段と、ＣＣのうちの１つ以上を使用して、スロット間に、複数のアップリンク送信のうちの残りのアップリンク送信を送信する手段とを含んでいてもよい。
【００２６】
［００２６］
ワイヤレス通信のための別の装置を説明する。装置は、プロセッサと、プロセッサと電子通信するメモリと、メモリ中に記憶されている命令とを含んでいてもよい。命令は、プロセッサに、スロット中で２つ以上のＣＣを介して複数のアップリンク送信を送信する送信電力が、スロットの少なくとも一部分の間に、ＵＥに対する最大電力しきい値を超えることを決定させ、複数のアップリンク送信のうちの第１のアップリンク送信の少なくとも一部分をドロップさせ、結果的に得られる送信電力が、最大電力しきい値以下であり、ＣＣのうちの１つ以上を使用させて、スロット間に、複数のアップリンク送信のうちの残りのアップリンク送信を送信させるように、動作可能であってもよい。
【００２７】
［００２７］
ワイヤレス通信のための非一時的コンピュータ読取可能媒体を説明する。非一時的コンピュータ読取可能媒体は、プロセッサに、スロット中で２つ以上のＣＣを介して複数のアップリンク送信を送信する送信電力が、スロットの少なくとも一部分の間に、ＵＥに対する最大電力しきい値を超えることを決定させ、複数のアップリンク送信のうちの第１のアップリンク送信の少なくとも一部分をドロップさせ、結果的に得られる送信電力が、最大電力しきい値以下であり、ＣＣのうちの１つ以上を使用させて、スロット間に、複数のアップリンク送信のうちの残りのアップリンク送信を送信させるように、動作可能な命令を含んでいてもよい。
【００２８】
［００２８］
上記で説明した方法、装置、および、非一時的コンピュータ読取可能媒体のいくつかの例では、決定することは、スロットの複数のシンボルの各シンボルに対して実行してもよい。上記で説明した方法、装置、および、非一時的コンピュータ読取可能媒体のいくつかの例では、決定することおよびドロップすることは、スロット間の送信のために複数のアップリンク送信をフォーマットするときに実行してもよい。
【００２９】
［００２９］
上記で説明した方法、装置、および、非一時的コンピュータ読取可能媒体のいくつかの例は、最大電力しきい値を超えるアグリゲート電力を有しているかもしれない２つ以上のオーバーラップするアップリンク送信に関係する優先度を識別するためのプロセス、特徴、手段、または、命令をさらに含んでいてもよい。上記で説明した方法、装置、および、非一時的コンピュータ読取可能媒体のいくつかの例は、２つ以上のオーバーラップするアップリンク送信の他のものの優先度よりも低いかもしれない優先度を有する第１のアップリンク送信に少なくとも部分的に基づいて、第１のアップリンク送信をドロップするためのプロセス、特徴、手段、または、命令をさらに含んでいてもよい。
【００３０】
［００３０］
上記で説明した方法、装置、および、非一時的コンピュータ読取可能媒体のいくつかの例は、複数のアップリンク送信の１つ以上の他のサブセットの第２の優先度よりも少なくとも低いかもしれない第１の優先度を有しているかもしれない、複数のアップリンク送信のアップリンク送信の第１のサブセットを識別するためのプロセス、特徴、手段、または、命令をさらに含んでいてもよく、第１のサブセットは第１のアップリンク送信を含んでいる。上記で説明した方法、装置、および、非一時的コンピュータ読取可能媒体のいくつかの例は、第１のアップリンク送信が、最大電力しきい値と、第１のアップリンク送信とオーバーラップしているかもしれない、複数のアップリンク送信のうちの他のもののアグリゲート送信電力との差以上であるかもしれない、関係する第１のアップリンク送信電力を有しているかもしれないことを決定するためのプロセス、特徴、手段、または、命令をさらに含んでいてもよい。上記で説明した方法、装置、および、非一時的コンピュータ読取可能媒体のいくつかの例は、第１のアップリンク送信をドロップするためのプロセス、特徴、手段、または、命令をさらに含んでいてもよい。
【００３１】
［００３１］
上記で説明した方法、装置、および、非一時的コンピュータ読取可能媒体のいくつかの例は、オーバーラップするアップリンク送信のセットが、ＵＥに対する最大電力しきい値を超えるアグリゲート送信電力を有しているかもしれないスロットの第１のシンボルを識別するためのプロセス、特徴、手段、または、命令をさらに含んでいてもよい。上記で説明した方法、装置、および、非一時的コンピュータ読取可能媒体のいくつかの例は、第１のシンボルに先行する送信開始時間を有する、オーバーラップするアップリンク送信のうちの１つ以上のアップリンク送信と、第１のアップリンク送信が第１のシンボルにおいて開始することとを識別するためのプロセス、特徴、手段、または、命令をさらに含んでいてもよい。上記で説明した方法、装置、および、非一時的コンピュータ読取可能媒体のいくつかの例は、第１のアップリンク送信が第１のシンボルにおいて開始することに少なくとも部分的に基づいて、第１のアップリンク送信をドロップするためのプロセス、特徴、手段、または、命令をさらに含んでいてもよい。
【００３２】
［００３２］
上記で説明した方法、装置、および、非一時的コンピュータ読取可能媒体のいくつかの例は、オーバーラップするアップリンク送信のセットが、ＵＥに対する最大電力しきい値を超えるアグリゲート送信電力を有しているかもしれないスロットの第１のシンボルを識別するためのプロセス、特徴、手段、または、命令をさらに含んでいてもよい。上記で説明した方法、装置、および、非一時的コンピュータ読取可能媒体のいくつかの例は、オーバーラップするアップリンク送信のセットの１つ以上の他のサブセットの第２の優先度よりも少なくとも低いかもしれない第１の優先度を有しているかもしれず、最大電力しきい値とアグリゲート送信電力との間の差以上であるかもしれない送信電力を有しているかもしれない、オーバーラップするアップリンク送信のセットの第１のサブセットを識別するためのプロセス、特徴、手段、または、命令をさらに含んでいてもよい。上記で説明した方法、装置、および、非一時的コンピュータ読取可能媒体のいくつかの例は、第１のアップリンク送信がアップリンク送信の第１のサブセットの中で最小電力を有しているかもしれないことを決定するためのプロセス、特徴、手段、または、命令をさらに含んでいてもよい。上記で説明した方法、装置、および、非一時的コンピュータ読取可能媒体のいくつかの例は、第１のアップリンク送信をドロップするためのプロセス、特徴、手段、または、命令をさらに含んでいてもよい。
【００３３】
［００３３］
上記で説明した方法、装置、および、非一時的コンピュータ読取可能媒体のいくつかの例は、オーバーラップするアップリンク送信のセットが、ＵＥに対する最大電力しきい値を超えるアグリゲート送信電力を有しているかもしれないスロットの第１のシンボルを識別するためのプロセス、特徴、手段、または、命令をさらに含んでいてもよい。上記で説明した方法、装置、および、非一時的コンピュータ読取可能媒体のいくつかの例は、オーバーラップするアップリンク送信のセットの１つ以上の他のサブセットの第２の優先度よりも少なくとも低いかもしれない第１の優先度を有しているかもしれない、オーバーラップするアップリンク送信のセットの第１のサブセットを識別するためのプロセス、特徴、手段、または、命令をさらに含んでいてもよい。上記で説明した方法、装置、および、非一時的コンピュータ読取可能媒体のいくつかの例は、ドロップされるべき第１のサブセットの１つ以上のアップリンク送信をランダムに選択するためのプロセス、特徴、手段、または、命令をさらに含んでいてもよい。上記で説明した方法、装置、および、非一時的コンピュータ読取可能媒体のいくつかの例は、選択した１つ以上のアップリンク送信をドロップするためのプロセス、特徴、手段、または、命令をさらに含んでいてもよい。
【００３４】
［００３４］
上記で説明した方法、装置、および、非一時的コンピュータ読取可能媒体のいくつかの例は、オーバーラップするアップリンク送信のセットが、ＵＥに対する最大電力しきい値を超えるアグリゲート送信電力を有しているかもしれないスロットの第１のシンボルを識別するためのプロセス、特徴、手段、または、命令をさらに含んでいてもよい。上記で説明した方法、装置、および、非一時的コンピュータ読取可能媒体のいくつかの例は、オーバーラップするアップリンク送信のセットのうちの少なくとも１つのアップリンク送信が、オーバーラップするアップリンク送信のセットのうちの１つ以上の他のアップリンク送信の第２の優先度よりも少なくとも高いかもしれない第１の優先度を有しているかもしれないことを識別するためのプロセス、特徴、手段、または、命令をさらに含んでいてもよい。上記で説明した方法、装置、および、非一時的コンピュータ読取可能媒体のいくつかの例は、ＵＥの送信電力が最大電力しきい値以下であってもよいように、少なくとも１つのアップリンク送信の送信電力をスケーリングするためのプロセス、特徴、手段、または、命令をさらに含んでいてもよい。
【００３５】
［００３５］
上記で説明した方法、装置、および、非一時的コンピュータ読取可能媒体のいくつかの例では、少なくとも１つのアップリンク送信は、ＨＡＲＱフィードバック情報、ＳＲ情報、または、これらの組み合わせを含んでいる。
【００３６】
［００３６］
上記で説明した方法、装置、および、非一時的コンピュータ読取可能媒体のいくつかの例では、複数のアップリンク送信は、第１のタイミングアドバンスグループ（ＴＡＧ）のアップリンク送信の第１のサブセットと、第２のタイミングアドバンスグループのアップリンク送信の第２のサブセットとを含み、ＵＥは、アップリンク送信の第１のサブセットをアップリンク送信の第１のバンドルサブセットに、アップリンク送信の第２のサブセットをアップリンク送信の第２のバンドルサブセットにバンドルし、ドロップすることは、アップリンク送信のバンドルサブセットに基づいて実行され、バンドルサブセットの優先度は、サブセット中の送信の最高の優先度となるように設定されていてもよい。
【００３７】
［００３７］
上記で説明した方法、装置、および、非一時的コンピュータ読取可能媒体のいくつかの例は、オーバーラップするアップリンク送信のセットが、ＵＥに対する最大電力しきい値を超えるアグリゲート送信電力を有しているかもしれないスロットの第１のシンボルを識別するためのプロセス、特徴、手段、または、命令をさらに含んでいてもよい。上記で説明した方法、装置、および、非一時的コンピュータ読取可能媒体のいくつかの例は、第１のシンボルに先行する送信開始時間を有する、オーバーラップするアップリンク送信のセットの第１のサブセットと、第１のシンボルにおいて開始する、オーバーラップするアップリンク送信のセットの第２のサブセットとを識別するためのプロセス、特徴、手段、または、命令をさらに含んでいてもよい。上記で説明した方法、装置、および、非一時的コンピュータ読取可能媒体のいくつかの例は、第１のサブセットに対するアグリゲート送信電力を決定するためのプロセス、特徴、手段、または、命令をさらに含んでいてもよい。上記で説明した方法、装置、および、非一時的コンピュータ読取可能媒体のいくつかの例は、第２のサブセットの各アップリンク送信に関係する優先度を決定するためのプロセス、特徴、手段、または、命令をさらに含んでいてもよい。上記で説明した方法、装置、および、非一時的コンピュータ読取可能媒体のいくつかの例は、最大電力しきい値とアグリゲート送信電力との間の差以下であるかもしれない送信電力を有しているかもしれない、第２のサブセットの最高優先度アップリンク送信を第１のサブセットに追加するためのプロセス、特徴、手段、または、命令をさらに含んでいてもよい。上記で説明した方法、装置、および、非一時的コンピュータ読取可能媒体のいくつかの例は、追加された最高優先度アップリンク送信に基づいて、アグリゲート送信電力を更新するためのプロセス、特徴、手段、または、命令をさらに含んでいてもよい。上記で説明した方法、装置、および、非一時的コンピュータ読取可能媒体のいくつかの例は、第２のサブセットの残りのアップリンク送信のいずれもが、最大電力しきい値と更新されたアグリゲート送信電力との間の差以下であるかもしれない送信電力を有しているかもしれないまで、追加および更新を反復するためのプロセス、特徴、手段、または、命令をさらに含んでいてもよい。上記で説明した方法、装置、および、非一時的コンピュータ読取可能媒体のいくつかの例は、第２のサブセットの任意の残りのアップリンク送信をドロップするためのプロセス、特徴、手段、または、命令をさらに含んでいてもよい。
【００３８】
［００３８］
上記で説明した方法、装置、および、非一時的コンピュータ読取可能媒体のいくつかの例では、第２のサブセットの２つ以上のアップリンク送信は、最高の優先度を有してもよく、追加することは、第１のサブセットに追加されるべき２つ以上のアップリンク送信のうちの１つまたは全部のアップリンク送信をランダムに選択することを含んでいる。上記で説明した方法、装置、および、非一時的コンピュータ読取可能媒体のいくつかの例は、反復の後に、１つ以上の残りのアップリンク送信の送信電力をスケーリングして、最大電力しきい値と更新されたアグリゲート送信電力との間の差に対応するためのプロセス、特徴、手段、または、命令をさらに含んでいてもよい。
【００３９】
［００３９］
上記で説明した方法、装置、および、非一時的コンピュータ読取可能媒体のいくつかの例は、第２のサブセット中の送信が最大電力しきい値を超えることなく追加されうるように、第１のサブセットの１つ以上の送信をドロップするためのプロセス、特徴、手段、または、命令をさらに含んでいてもよい。上記で説明した方法、装置、および、非一時的コンピュータ読取可能媒体のいくつかの例では、第１のサブセットの１つ以上の送信をドロップすることは、同じタイミングアドバンスグループに属する第１のサブセットのすべての送信をドロップすることをさらに含んでいる。
【００４０】
［００４０］
ワイヤレス通信の方法を説明する。方法は、ＵＥにおいて、基地局との接続を確立し、接続は２つ以上のＣＣをサポートすることと、スロット間の２つ以上のＣＣ上での複数のアップリンク送信に対するアップリンクリソースの複数の許可を受信し、複数の許可は、スロットの開始に先立って、少なくとも予め定められた時間に受信されることと、複数のアップリンク送信を送信する送信電力が、スロットの少なくとも一部分の間に、ＵＥに対する最大電力しきい値を超えることを決定することと、複数のアップリンク送信の少なくともサブセットの送信電力をスケーリングして、送信電力が最大電力しきい値以下であることを提供することと、ＣＣのうちの１つ以上を使用して、スロット間に、複数のアップリンク送信を送信することとを含んでいてもよい。
【００４１】
［００４１］
ワイヤレス通信のための装置を説明する。装置は、ＵＥにおいて、基地局との接続を確立し、接続は２つ以上のＣＣをサポートする手段と、スロット間の２つ以上のＣＣ上での複数のアップリンク送信に対するアップリンクリソースの複数の許可を受信し、複数の許可は、スロットの開始に先立って、少なくとも予め定められた時間に受信される手段と、複数のアップリンク送信を送信する送信電力が、スロットの少なくとも一部分の間に、ＵＥに対する最大電力しきい値を超えることを決定する手段と、複数のアップリンク送信の少なくともサブセットの送信電力をスケーリングして、送信電力が最大電力しきい値以下であることを提供する手段と、ＣＣのうちの１つ以上を使用して、スロット間に、複数のアップリンク送信を送信する手段とを含んでいてもよい。
【００４２】
［００４２］
ワイヤレス通信のための別の装置を説明する。装置は、プロセッサと、プロセッサと電子通信するメモリと、メモリ中に記憶されている命令とを含んでいてもよい。命令は、プロセッサに、ＵＥにおいて、基地局との接続を確立させ、接続は２つ以上のＣＣをサポートし、スロット間の２つ以上のＣＣ上での複数のアップリンク送信に対するアップリンクリソースの複数の許可を受信させ、複数の許可は、スロットの開始に先立って、少なくとも予め定められた時間に受信され、複数のアップリンク送信を送信する送信電力が、スロットの少なくとも一部分の間に、ＵＥに対する最大電力しきい値を超えることを決定させ、複数のアップリンク送信の少なくともサブセットの送信電力をスケーリングさせて、送信電力が最大電力しきい値以下であることを提供させ、ＣＣのうちの１つ以上を使用させて、スロット間に、複数のアップリンク送信を送信させるように、動作可能であってもよい。
【００４３】
［００４３］
ワイヤレス通信のための非一時的コンピュータ読取可能媒体を説明する。非一時的コンピュータ読取可能媒体は、プロセッサに、ＵＥにおいて、基地局との接続を確立させ、接続は２つ以上のＣＣをサポートし、スロット間の２つ以上のＣＣ上での複数のアップリンク送信に対するアップリンクリソースの複数の許可を受信させ、複数の許可は、スロットの開始に先立って、少なくとも予め定められた時間に受信され、複数のアップリンク送信を送信する送信電力が、スロットの少なくとも一部分の間に、ＵＥに対する最大電力しきい値を超えることを決定させ、複数のアップリンク送信の少なくともサブセットの送信電力をスケーリングさせて、送信電力が最大電力しきい値以下であることを提供させ、ＣＣのうちの１つ以上を使用させて、スロット間に、複数のアップリンク送信を送信させるように、動作可能である命令を含んでいてもよい。
【００４４】
［００４４］
上記で説明した方法、装置、および、非一時的コンピュータ読取可能媒体のいくつかの例は、予め定められた時間の後かつスロットの開始の前に、追加のアップリンク送信に対する追加の許可を受信するためのプロセス、特徴、手段、または、命令をさらに含んでいてもよい。上記で説明した方法、装置、および、非一時的コンピュータ読取可能媒体のいくつかの例は、追加のアップリンク送信が、ＵＥのアグリゲート送信電力を最大電力しきい値より上に増加させることになることを決定したことに応答して、追加のアップリンク送信をドロップするためのプロセス、特徴、手段、または、命令をさらに含んでいてもよい。上記で説明した方法、装置、および、非一時的コンピュータ読取可能媒体のいくつかの例は、追加のアップリンク送信が、ＵＥのアグリゲート送信電力を最大電力しきい値より上に増加させることにならないことを決定したことに応答して、追加のアップリンク送信を送信するためのプロセス、特徴、手段、または、命令をさらに含んでいてもよい。
【００４５】
［００４５］
上記で説明した方法、装置、および、非一時的コンピュータ読取可能媒体のいくつかの例では、複数の許可を受信するための予め定められた時間は、予め構成されるかまたは基地局とＵＥとの間でシグナリングされてもよい。上記で説明した方法、装置、および、非一時的コンピュータ読取可能媒体のいくつかの例では、複数の許可を受信するための予め定められた時間は、ＵＥの能力に少なくとも部分的に基づいていてもよい。
【００４６】
［００４６］
上記で説明した方法、装置、および、非一時的コンピュータ読取可能媒体のいくつかの例では、２つ以上のＣＣのうちの第１のＣＣは、２つ以上のＣＣのうちの第２のＣＣ以外の異なるタイミングアドバンスグループ（ＴＡＧ）に属し、第１のＣＣのスロットの開始時間は、第２のＣＣの前のスロットの終了時間に先行する。上記で説明した方法、装置、および、非一時的コンピュータ読取可能媒体のいくつかの例は、ＵＥにおいて、ＵＥに対する最大電力しきい値から免除されるかもしれない時間の量に対応するオーバーラップしきい値を識別するためのプロセス、特徴、手段、または、命令をさらに含んでいてもよい。上記で説明した方法、装置、および、非一時的コンピュータ読取可能媒体のいくつかの例は、第１のＣＣのスロットの開始時間と第２のＣＣの前のスロットの終了時間との間のオーバーラップ期間が、オーバーラップしきい値を超えることを決定するためのプロセス、特徴、手段、または、命令をさらに含んでいてもよい。上記の方法、装置、および、非一時的コンピュータ読取可能媒体のいくつかの例は、第１のＣＣまたは第２のＣＣのオーバーラップするアップリンク送信をドロップして、または、第１のＣＣおよび第２のＣＣのそれぞれのアップリンク送信に対する送信電力のスケーリングを実行して、オーバーラップ期間の間に、最大電力しきい値以下であるかもしれないアグリゲート送信電力を提供するためのプロセス、特徴、手段、または、命令をさらに含んでいてもよい。
【００４７】
［００４７］
ワイヤレス通信の方法を説明する。方法は、ユーザ機器（ＵＥ）において、基地局との接続を確立し、接続は２つ以上のコンポーネント搬送波（ＣＣ）をサポートすることと、スロット間の２つ以上のＣＣ上での複数のアップリンク送信に対するアップリンクリソースの複数の許可を受信し、複数の許可は、スロットの開始に先立って、少なくとも予め定められた時間に受信されることと、複数のアップリンク送信のうちの第１のアップリンク送信が、第１のアップリンク送信とオーバーラップする、複数のアップリンク送信のうちの第２のアップリンク送信の第２の優先度よりも少なくとも高い第１の優先度を有することを識別することと、第１のアップリンク送信の第１の送信電力を決定することと、ＵＥのアグリゲート送信電力が最大電力しきい値以下であるように、第２のアップリンク送信の第２の送信電力をスケーリングすることと、２つ以上のＣＣを使用して、スロット間に、複数のアップリンク送信を送信することとを含んでいてもよい。
【００４８】
［００４８］
ワイヤレス通信のための装置を説明する。装置は、ユーザ機器（ＵＥ）において、基地局との接続を確立し、接続は２つ以上のコンポーネント搬送波（ＣＣ）をサポートする手段と、スロット間の２つ以上のＣＣ上での複数のアップリンク送信に対するアップリンクリソースの複数の許可を受信し、複数の許可は、スロットの開始に先立って、少なくとも予め定められた時間に受信される手段と、複数のアップリンク送信のうちの第１のアップリンク送信が、第１のアップリンク送信とオーバーラップする、複数のアップリンク送信のうちの第２のアップリンク送信の第２の優先度よりも少なくとも高い第１の優先度を有することを識別する手段と、第１のアップリンク送信の第１の送信電力を決定する手段と、ＵＥのアグリゲート送信電力が最大電力しきい値以下であるように、第２のアップリンク送信の第２の送信電力をスケーリングする手段と、２つ以上のＣＣを使用して、スロット間に、複数のアップリンク送信を送信する手段とを含んでいてもよい。
【００４９】
［００４９］
ワイヤレス通信のための別の装置を説明する。装置は、プロセッサと、プロセッサと電子通信するメモリと、メモリ中に記憶されている命令とを含んでいてもよい。命令は、プロセッサに、ユーザ機器（ＵＥ）において、基地局との接続を確立させ、接続は２つ以上のコンポーネント搬送波（ＣＣ）をサポートし、スロット間の２つ以上のＣＣ上での複数のアップリンク送信に対するアップリンクリソースの複数の許可を受信させ、複数の許可は、スロットの開始に先立って、少なくとも予め定められた時間に受信され、複数のアップリンク送信のうちの第１のアップリンク送信が、第１のアップリンク送信とオーバーラップする、複数のアップリンク送信のうちの第２のアップリンク送信の第２の優先度よりも少なくとも高い第１の優先度を有することを識別させ、第１のアップリンク送信の第１の送信電力を決定させ、ＵＥのアグリゲート送信電力が最大電力しきい値以下であるように、第２のアップリンク送信の第２の送信電力をスケーリングさせ、２つ以上のＣＣを使用させて、スロット間に、複数のアップリンク送信を送信させるように、動作可能であってもよい。
【００５０】
［００５０］
ワイヤレス通信のための非一時的コンピュータ読取可能媒体を説明する。非一時的なコンピュータ読取可能媒体は、プロセッサに、ユーザ機器（ＵＥ）において、基地局との接続を確立させ、接続は２つ以上のコンポーネント搬送波（ＣＣ）をサポートし、スロット間の２つ以上のＣＣ上での複数のアップリンク送信に対するアップリンクリソースの複数の許可を受信させ、複数の許可は、スロットの開始に先立って、少なくとも予め定められた時間に受信され、複数のアップリンク送信のうちの第１のアップリンク送信が、第１のアップリンク送信とオーバーラップする、複数のアップリンク送信のうちの第２のアップリンク送信の第２の優先度よりも少なくとも高い第１の優先度を有することを識別させ、第１のアップリンク送信の第１の送信電力を決定させ、ＵＥのアグリゲート送信電力が最大電力しきい値以下であるように、第２のアップリンク送信の第２の送信電力をスケーリングさせ、２つ以上のＣＣを使用させて、スロット間に、複数のアップリンク送信を送信させるように、動作可能である命令を含んでいてもよい。
【００５１】
［００５１］
上記で説明した方法、装置、および、非一時的コンピュータ読取可能媒体のいくつかの例は、ＵＥのアグリゲート送信電力と最大電力しきい値との間の残りの電力を決定し、第１のアップリンク送信および第２のアップリンク送信とオーバーラップし、第１の優先度および第２の優先度よりも低い優先度を有しているかもしれない第３のアップリンク送信を識別するためのプロセス、特徴、手段、または、命令をさらに含んでいてもよい。上記で説明した方法、装置、および、非一時的コンピュータ読取可能媒体のいくつかの例は、残りの電力を第３のアップリンク送信に割り振るためのプロセス、特徴、手段、または、命令をさらに含んでいてもよい。
【００５２】
［００５２］
上記で説明した方法、装置、および、非一時的コンピュータ読取可能媒体のいくつかの例では、既に開始されているかもしれないアップリンク送信は、他のアップリンク送信よりも高い優先度を有しているかもしれない。上記で説明した方法、装置、および、非一時的コンピュータ読取可能媒体のいくつかの例では、アップリンク送信が、進行中の送信、アップリンク送信のタイプ、送信されるべき情報、または、これらの任意の組み合わせであるか否かにしたがって、複数のアップリンク送信を優先順位付けしてもよい。
【００５３】
［００５３］
上記で説明した方法、装置、および、非一時的コンピュータ読取可能媒体のいくつかの例では、ＵＥは、ＵＥのアグリゲート送信電力が最大電力しきい値以下であるかもしれないように、同じ優先度を有する１つより多いアップリンク送信をさらにスケーリングする。上記で説明した方法、装置、および、非一時的コンピュータ読取可能媒体のいくつかの例では、スロット間のアップリンク送信の各シンボルは、同じ送信電力を有していてもよい。
【図面の簡単な説明】
【００５４】
【図１】［００５４］  図１は、本開示の態様にしたがう、ワイヤレス通信においてキャリアアグリゲーションを使用して電力制御するための技法をサポートするワイヤレス通信のためのシステムの例を示す図である。
【図２】［００５５］  図２は、本開示の態様にしたがう、ワイヤレス通信においてキャリアアグリゲーションを使用して電力制御するための技法をサポートするワイヤレス通信システムの一部分の例を示す。
【図３】［００５６］  図３は、本開示の態様にしたがう、ワイヤレス通信においてキャリアアグリゲーションを使用して電力制御するための技法をサポートする複数のコンポーネント搬送波に対するワイヤレスリソースの例を示す。
【図４】［００５７］  図４は、本開示の態様にしたがう、ワイヤレス通信においてキャリアアグリゲーションを使用して電力制御するための技法をサポートする１つ以上のコンポーネント搬送波における周波数ホッピングの例を示す。
【図５】［００５８］  図５は、本開示の態様にしたがう、ワイヤレス通信においてキャリアアグリゲーションを使用して電力制御するための技法をサポートする複数のコンポーネント搬送波に対するオーバーラップするワイヤレスリソースの例を示す。
【図６】［００５９］  図６は、本開示の態様にしたがう、ワイヤレス通信においてキャリアアグリゲーションを使用して電力制御するための技法をサポートする複数のタイミングアドバンスグループの送信に対するオーバーラップしきい値の例を示す。
【図７】［００６０］  図７は、本開示の態様にしたがう、ワイヤレス通信においてキャリアアグリゲーションを使用して電力制御するための技法をサポートする異なるコンポーネント搬送波上の異なるタイプの送信の例を示す。
【図８】［００６１］  図８は、本開示の態様にしたがう、ワイヤレス通信においてキャリアアグリゲーションを使用する送信をドロップすることによる電力制御の例を示す。
【図９】［００６２］  図９は、本開示の態様にしたがう、ワイヤレス通信においてキャリアアグリゲーションを使用して電力制御するための技法をサポートするリソース許可のタイムラインの例を示す。
【図１０】［００６３］  図１０は、本開示の態様にしたがう、ワイヤレス通信においてキャリアアグリゲーションを使用して電力制御するための技法をサポートする方法の例を示す。
【図１１】［００６４］  図１１は、本開示の態様にしたがう、ワイヤレス通信においてキャリアアグリゲーションを使用して電力制御するための技法をサポートする別の方法の例を示す。
【図１２】［００６５］  図１２は、本開示の態様にしたがう、ワイヤレス通信においてキャリアアグリゲーションを使用して電力制御するための技法をサポートする別の方法の例を示す。
【図１３】［００６６］  図１３は、本開示の態様にしたがう、ワイヤレス通信においてキャリアアグリゲーションを使用して電力制御するための技法をサポートするデバイスのブロック図を示す。
【図１４】図１４は、本開示の態様にしたがう、ワイヤレス通信においてキャリアアグリゲーションを使用して電力制御するための技法をサポートするデバイスのブロック図を示す。
【図１５】図１５は、本開示の態様にしたがう、ワイヤレス通信においてキャリアアグリゲーションを使用して電力制御するための技法をサポートするデバイスのブロック図を示す。
【図１６】［００６７］  図１６は、本開示の態様にしたがう、ワイヤレス通信においてキャリアアグリゲーションを使用して電力制御するための技法をサポートするＵＥを含むシステムのブロック図を示す。
【図１７】［００６８］  図１７は、本開示の態様にしたがう、ワイヤレス通信においてキャリアアグリゲーションを使用して電力制御するための技法をサポートするデバイスのブロック図を示す。
【図１８】図１８は、本開示の態様にしたがう、ワイヤレス通信においてキャリアアグリゲーションを使用して電力制御するための技法をサポートするデバイスのブロック図を示す。
【図１９】図１９は、本開示の態様にしたがう、ワイヤレス通信においてキャリアアグリゲーションを使用して電力制御するための技法をサポートするデバイスのブロック図を示す。
【図２０】［００６９］  図２０は、本開示の態様にしたがう、ワイヤレス通信においてキャリアアグリゲーションを使用して電力制御するための技法をサポートする基地局を含むシステムのブロック図を示す。
【図２１】［００７０］  図２１は、本開示の態様にしたがう、ワイヤレス通信においてキャリアアグリゲーションを使用して電力制御するための技法のための方法を示す。
【図２２】図２２は、本開示の態様にしたがう、ワイヤレス通信においてキャリアアグリゲーションを使用して電力制御するための技法のための方法を示す。
【図２３】図２３は、本開示の態様にしたがう、ワイヤレス通信においてキャリアアグリゲーションを使用して電力制御するための技法のための方法を示す。
【図２４】図２４は、本開示の態様にしたがう、ワイヤレス通信におけるキャリアアグリゲーションを使用した電力制御のための技法のための方法を示す。
【図２５】図２５は、本開示の態様にしたがう、ワイヤレス通信におけるキャリアアグリゲーションを使用した電力制御のための技法のための方法を示す。
【詳細な説明】
【００５５】
［００７１］
ここで説明するさまざまな技法は、ＣＣのうちの１つ以上を使用する送信が、送信スロット、サブフレーム、または、他の送信時間間隔（ＴＴＩ）のような、全ＴＴＩ未満にしか及ばないかもしれない、複数のコンポーネント搬送波（ＣＣ）を使用する送信を管理することを提供する。いくつかのケースでは、ＵＥは、基地局におけるスケジューリング柔軟性の向上を可能にするために、基地局により使用されるかもしれないキャリアアグリゲーションに関連する１つ以上の能力をシグナリングしてもよい。いくつかのケースでは、ＵＥは、異なるＣＣ上に異なる開始時間または持続時間を有する送信をサポートするためのＵＥの能力の能力表示を基地局にシグナリングしてもよい。その後、基地局は、異なるＣＣ上の送信が異なる開始時間または持続時間を有しているかもしれないＵＥに対する送信をスケジューリングすることができ、これは、向上したスケジューリング柔軟性、ＵＥとの向上した通信、増加したネットワーク効率を提供するかもしれない。
【００５６】
［００７２］
いくつかのケースでは、ＵＥは、異なるＣＣが異なるタイミングアドバンスグループ（ＴＡＧ）に属しているかもしれず、したがって、ＴＴＩ（例えば、シンボル、スロット、サブフレーム、これらの組み合わせ）の開始時間は、ある特定のしきい値まで非同期であるかもしれないＣＣをサポートしていてもよい。このような同期オフセットは、結果的に、最大電力しきい値を超えることがある過渡値を有する、ＵＥにおける送信電力となることがあり、いくつかのケースでは、ＵＥは、ＵＥ送信電力が最大電力しきい値を超えることがある時間の量を示すオーバーラップしきい値の表示をＵＥに提供してもよい。基地局は、このようなオーバーラップしきい値を使用して、異なるＴＡＧ中にあるかもしれない複数のＣＣを使用する送信のためにＵＥをスケジュールしてもよく、これは、基地局に対して追加のスケジューリング柔軟性を提供するかもしれない。
【００５７】
［００７３］
いくつかのケースでは、異なるＣＣの送信が、異なる開始時間、異なる停止時間、異なる持続時間、または、これらの組み合わせを有しているかもしれない場合に、ＵＥはまた、複数のＣＣに対する電力制御を実行して、最大電力しきい値に適合するアップリンク送信電力を提供してもよい。いくつかのケースでは、ＵＥは、スロット間の２つ以上のＣＣ上での複数のアップリンク送信に対するアップリンクリソースの多数の許可を受信し、アップリンク送信を送信する送信電力が、スロットの少なくとも一部分の間に、ＵＥに対する最大電力しきい値を超えることを決定してもよい。ＵＥは、このような決定に応答して、多数のアップリンク送信のうちの第１のアップリンク送信の少なくとも一部分をドロップしてもよく、結果的に得られる送信電力は、最大電力しきい値以下であり、ＣＣのうちの１つ以上を使用して、スロット間に、多数のアップリンク送信のうちの残りのアップリンク送信を送信してもよい。追加的または代替的に、ＵＥは、ＵＥ送信電力が最大電力しきい値以下であるように、スロットの少なくとも一部分の間に、ＣＣのうちの１つ以上の送信電力をスケーリングしてもよい。いくつかのケースでは、ＵＥは、スロットの開始に先立って、少なくとも予め定められた時間に受信されるアップリンク許可のためにルックアヘッド電力スケーリングを実行してもよい。
【００５８】
［００７４］
本開示の態様は、ワイヤレス通信システムのコンテキストで最初に説明されている。本開示の態様は、ワイヤレス通信においてキャリアアグリゲーションを使用して電力制御するための技法に関する装置図、システム図、ワイヤレスリソース図、および、フローチャートによりさらに例示され、これらを参照して説明されている。
【００５９】
［００７５］
図１は、本開示のさまざまな態様にしたがう、ワイヤレス通信システム１００の例を示す。ワイヤレス通信システム１００は、基地局１０５と、ＵＥ１１５と、コアネットワーク１３０とを含んでいる。いくつかの例では、ワイヤレス通信システム１００は、ロングタームエボリューション（ＬＴＥ（登録商標））ネットワーク、ＬＴＥアドバンスト（ＬＴＥ−Ａ）ネットワーク、または、新しい無線（ＮＲ）ネットワークであってもよい。いくつかのケースでは、ワイヤレス通信システム１００は、拡張ブロードバンド通信、超信頼性（例えば、ミッションクリティカル）通信、低レイテンシー通信、または、低コストおよび低複雑性のデバイスとの通信をサポートしてもよい。いくつかのケースでは、ＵＥ１１５および基地局１０５は、複数のＣＣを使用して通信してもよく、ＣＣのうちの１つ以上は、異なる持続時間、異なる開始時間、異なる終了時間、または、これらの任意の組み合わせを有する送信を送信するために使用してもよい。
【００６０】
［００７６］
基地局１０５は、１本以上の基地局アンテナを介してＵＥ１１５とワイヤレスに通信してもよい。ここで説明する基地局１０５は、トランシーバ基地局、無線基地局、アクセスポイント、無線トランシーバ、ノードＢ、ｅノードＢ（ｅＮＢ）、次世代ノードＢ、または、ギガノードＢ（いずれもｇＮＢとして呼ばれることもある）、ホームノードＢ、ホームｅノードＢ、または、他の何らかの適切な用語を含み、これらとして、当業者により参照されることがある。ワイヤレス通信システム１００は、異なるタイプの基地局１０５（例えば、マクロまたはスモールセル基地局）を含んでいてもよい。ここで説明するＵＥ１１５は、マクロｅＮＢ、スモールセルｅＮＢ、ｇＮＢ、中継基地局、これらに類するものを含む、さまざまなタイプの基地局１０５およびネットワーク機器と通信することができてもよい。
【００６１】
［００７７］
さまざまなＵＥ１１５との通信がサポートされる特定の地理的カバレージエリア１１０に、各基地局１０５は関係していてもよい。各基地局１０５は、通信リンク１２５を介してそれぞれの地理的カバレージエリア１１０のための通信カバレージを提供してもよく、基地局１０５とＵＥ１１５との間の通信リンク１２５は、１つ以上の搬送波を利用していてもよい。ワイヤレス通信システム１００中に示されている通信リンク１２５は、ＵＥ１１５から基地局１０５へのアップリンク送信、または、基地局１０５からＵＥ１１５へのダウンリンク送信を含んでいてもよい。ダウンリンク送信はまた、順方向リンク送信として呼ばれることがあり、アップリンク送信は、逆方向リンク送信として呼ばれることもある。
【００６２】
［００７８］
基地局１０５のための地理的カバレージエリア１１０は、地理的カバレージエリア１１０の一部分のみを作り上げるセクタに分割され、各セクタはセルに関係していてもよい。例えば、各基地局１０５は、マクロセル、スモールセル、ホットスポット、または、他のタイプのセル、または、これらのさまざまな組み合わせのための通信カバレージを提供してもよい。いくつかの例では、基地局１０５は、移動可能であり、したがって、移動する地理的カバレージエリア１１０のための通信カバレージを提供してもよい。いくつかの例では、異なる技術に関係する異なる地理的カバレージエリア１１０がオーバーラップしていてもよく、異なる技術に関係するオーバーラップする地理的カバレージエリア１１０が、同じ基地局１０５により、または、異なる基地局１０５によりサポートされていてもよい。ワイヤレス通信システム１００は、例えば、異なるタイプの基地局１０５がさまざまな地理的カバレージエリア１１０のためのカバレージを提供する、異種ＬＴＥ／ＬＴＥ−ＡまたはＮＲＡネットワークを含んでいてもよい。
【００６３】
［００７９］
「セル」という用語は、（例えば、搬送波を介した）基地局１０５との通信のために使用する論理通信エンティティを指し、同じ搬送波または異なる搬送波を通して動作する隣接セルを識別する識別子（例えば、物理セル識別子（ＰＣＩＤ）、仮想セル識別子（ＶＣＩＤ））に関係していてもよい。いくつかの例では、搬送波は、複数のセルをサポートしてもよく、異なるタイプのデバイスのためのアクセスを提供するかもしれない異なるプロトコルタイプ（例えば、マシンタイプ通信（ＭＴＣ）、狭帯域インターネットオブシングス（ＮＢ−ＩｏＴ）、拡張モバイルブロードバンド（ｅＭＢＢ）、または、他のもの）にしたがって、異なるセルを構成してもよい。いくつかのケースでは、「セル」という用語は、論理エンティティが動作する地理的カバレージエリア１１０（例えば、セクタ）の一部分を指すこともある。
【００６４】
［００８０］
ＵＥ１１５は、ワイヤレス通信システム１００の全体に渡って分散されていてもよく、各ＵＥ１１５は、静止していてもまたは移動体であってもよい。ＵＥ１１５はまた、移動体デバイス、ワイヤレスデバイス、リモートデバイス、ハンドヘルドデバイス、または、加入者デバイス、または、他の何らかの適切な用語で呼ばれることもあり、「デバイス」は、ユニット、局、端末、または、クライアントとして呼ばれることもある。ＵＥ１１５はまた、セルラー電話機、パーソナルデジタルアシスタント（ＰＤＡ）、タブレットコンピュータ、ラップトップコンピュータ、または、パーソナルコンピュータのような、パーソナル電子デバイスであってもよい。いくつかの例では、ＵＥ１１５はまた、ワイヤレスローカルループ（ＷＬＬ）局、インターネットオブスイングス（ＩｏＴ）デバイス、インターネットオブエブリシング（ＩｏＥ）デバイス、または、ＭＴＣデバイス、または、これらに類するものを指すことがあり、これらは、アプライアンス、車両、メータ、または、これらに類するもののような、さまざまな物品で実現してもよい。
【００６５】
［００８１］
ＭＴＣデバイスまたはＩｏＴデバイスのようないくつかのＵＥ１１５は、低コストまたは低複雑性デバイスであってもよく、（例えば、マシンツーマシン（Ｍ２Ｍ）通信を介した）マシン間の自動通信を提供してもよい。Ｍ２Ｍ通信またはＭＴＣは、デバイスが、人間の介入なしに、互いに、または、基地局１０５と通信することを可能にするデータ通信技術を指すことがある。いくつかの例では、Ｍ２Ｍ通信またはＭＴＣは、情報を測定または捕捉するセンサまたはメータを組み込み、その情報を使用することができるかまたはその情報をプログラムまたはアプリケーションと対話する人間に提示することができる中央サーバまたはアプリケーションプログラムにその情報を中継する、デバイスからの通信を含んでいてもよい。いくつかのＵＥ１１５は、情報を収集するか、または、機械の自動化された挙動を可能にするように設計されていてもよい。ＭＴＣデバイスのためのアプリケーションの例は、スマートメータリング、在庫監視、水位監視、機器監視、ヘルスケア監視、野生生活監視、天候および地質学的事象監視、フリート管理および追跡、リモートセキュリティセンシング、物理アクセス制御、ならびに、トランザクションベースのビジネス課金を含んでいる。
【００６６】
［００８２］
いくつかのケースでは、ＵＥ１１５はまた、（例えば、ピアツーピア（Ｐ２Ｐ）またはデバイスツーデバイス（Ｄ２Ｄ）プロトコルを使用して）他のＵＥ１１５と直接通信することができてもよい。Ｄ２Ｄ通信を利用するＵＥ１１５のグループのうちの１つ以上は、基地局１０５の地理的カバレージエリア１１０内にあってもよい。このようなグループ中の他のＵＥ１１５は、基地局１０５の地理的カバレージエリア１１０の外側にあるかもしれず、または、さもなければ、基地局１０５からの送信を受信することが不可能であるかもしれない。いくつかのケースでは、Ｄ２Ｄ通信を介して通信するＵＥ１１５のグループは、各ＵＥ１１５がグループ中の他のすべてのＵＥ１１５に送信する、１対多（１：Ｍ）システムを利用するかもしれない。いくつかのケースでは、基地局１０５は、Ｄ２Ｄ通信に対するリソースのスケジューリングを容易にする。他のケースでは、Ｄ２Ｄ通信は、基地局１０５の関与なしで、ＵＥ１１５の間で実行される。
【００６７】
［００８３］
基地局１０５は、コアネットワーク１３０と、そして、互いに通信してもよい。例えば、基地局１０５は、バックホールリンク１３２を通して（例えば、Ｓ１または他のインターフェースを介して）、コアネットワーク１３０とインターフェースしていてもよい。基地局１０５は、バックホールリンク１３４を介して（例えば、Ｘ２または他のインターフェースを介して）、直接的に（例えば、基地局１０５間で直接的に）、または、間接的に（例えば、コアネットワーク１３０を介して）互いに通信してもよい。
【００６８】
［００８４］
コアネットワーク１３０は、ユーザ認証、アクセス許可、トラッキング、インターネットプロトコル（ＩＰ）接続性、および、他のアクセス、ルーティング、または、モビリティ機能を提供してもよい。コアネットワーク１３０は、少なくとも１つのモビリティ管理エンティティ（ＭＭＥ）、少なくとも１つのサービングゲートウェイ（Ｓ−ＧＷ）、および、少なくとも１つのパケットデータネットワーク（ＰＤＮ）ゲートウェイ（Ｐ−ＧＷ）を含んでいてもよい、発展型パケットコア（ＥＰＣ）であってもよい。ＭＭＥは、ＥＰＣに関係する基地局１０５によりサービスされるＵＥ１１５に対するモビリティ、認証、および、ベアラ管理のような、非アクセス層（例えば、制御プレーン）機能を管理してもよい。ユーザＩＰパケットは、Ｓ−ＧＷを介して転送され、Ｓ−ＧＷ自体は、Ｐ−ＧＷに接続されていてもよい。Ｐ−ＧＷは、ＩＰアドレス割り振りとともに他の機能を提供してもよい。Ｐ−ＧＷは、ネットワークオペレータＩＰサービスに接続されていてもよい。オペレータＩＰサービスは、インターネット、イントラネット、ＩＰマルチメディアサブシステム（ＩＭＳ）、または、パケット交換（ＰＳ）ストリーミングサービスへのアクセスを含んでいてもよい。
【００６９】
［００８５］
基地局１０５のようなネットワークデバイスのうちの少なくともいくつかは、アクセスネットワークエンティティのようなサブコンポーネントを含んでいてもよく、アクセスネットワークエンティティは、アクセスノード制御装置（ＡＮＣ）の例であってもよい。各アクセスネットワークエンティティは、無線ヘッド、スマート無線ヘッド、または、送信／受信ポイント（ＴＲＰ）として呼ばれることもある、他の多数のアクセスネットワーク送信エンティティを介して、ＵＥ１１５と通信してもよい。いくつかのコンフィギュレーションでは、各アクセスネットワークエンティティまたは基地局１０５のさまざまな機能は、さまざまなネットワークデバイス（例えば、無線ヘッドおよびアクセスネットワーク制御装置）に渡って分散されていてもよく、または、単一のネットワークデバイス（例えば、基地局１０５）に統合されていてもよい。
【００７０】
［００８６］
ワイヤレス通信システム１００は、典型的には３００ＭＨｚ〜３００ＧＨｚの範囲で、１つ以上の周波数帯域を使用して動作するかもしれない。一般的に、３００ＭＨｚ〜３ＧＨｚの領域は、超高周波（ＵＨＦ）領域またはデシメートル帯域として知られている。なぜなら、波長は、長さが約１デシメートル〜１メートルの範囲であるからである。ＵＨＦ波は、建物および環境特徴により遮断またはリダイレクトされるかもしれない。しかしながら、波は、マクロセルが屋内に位置するＵＥ１１５にサービスを提供するのに十分なくらい構造を貫通するかもしれない。ＵＨＦ波の送信は、３００ＭＨｚ未満のスペクトルの高周波数（ＨＦ）または非常に高い周波数（ＶＨＦ）部分のより低い周波数およびより長い波を使用する送信と比較して、より小さいアンテナおよびより短い範囲（例えば、１００ｋｍ未満）に関係していてもよい。
【００７１】
［００８７］
ワイヤレス通信システム１００はまた、センチメートル帯域としても知られる３ＧＨｚから３０ＧＨｚまでの周波数帯域を使用する超高周波数（ＳＨＦ）領域中で動作してもよい。ＳＨＦ領域は、５ＧＨｚの産業用、科学用、および、医療用（ＩＳＭ）の帯域のような帯域を含み、これは、他のユーザからの干渉を許容することができる装置により都合よく使用してもよい。
【００７２】
［００８８］
ワイヤレス通信システム１００は、ミリメータ帯域としても知られるスペクトルの非常に高い周波数（ＥＨＦ）領域（例えば、３０ＧＨｚから３００ＧＨｚ）中でも動作してもよい。いくつかの例では、ワイヤレス通信システム１００は、ＵＥ１１５と基地局１０５との間のミリ波（ｍｍＷ）通信をサポートしてもよく、それぞれのデバイスのＥＨＦアンテナは、ＵＨＦアンテナよりもさらに小さく、より近くに間隔が空けられていてもよい。いくつかのケースでは、これは、ＵＥ１１５内のアンテナアレイの使用を容易にするかもしれない。しかしながら、ＥＨＦ送信の伝搬は、ＳＨＦまたはＵＨＦ送信よりも大きな大気減衰の影響を受け、より短い範囲となるかもしれない。ここで開示する技法は、１つ以上の異なる周波数領域を使用する送信に渡って用いてもよく、これらの周波数領域に渡る帯域の指定された使用は、国または規制機関により異なっていてもよい。
【００７３】
［００８９］
いくつかの例では、基地局１０５またはＵＥ１１５は、送信ダイバーシティ、受信ダイバーシティ、多入力多出力（ＭＩＭＯ）通信、または、ビーム形成のような技法を用いるのに使用してもよい、複数のアンテナを装備していてもよい。例えば、ワイヤレス通信システム１００は、送信デバイス（例えば、基地局１０５）と受信デバイス（例えば、ＵＥ１１５）との間の送信スキームを使用してもよく、送信デバイスは複数のアンテナを装備し、受信デバイスは１つ以上のアンテナを装備する。ＭＩＭＯ通信は、マルチパス信号伝搬を用いて、異なる空間レイヤを介して複数の信号を送信または受信することにより、スペクトル効率を増加させてもよく、これは空間多重化として呼ばれることもある。複数の信号は、例えば、異なるアンテナまたはアンテナの異なる組み合わせを介して、送信デバイスにより送信されてもよい。同様に、複数の信号は、異なるアンテナまたはアンテナの異なる組み合わせを介して、受信デバイスにより受信されてもよい。複数の信号のそれぞれは、別個の空間ストリームとして呼ばれることがあり、同じデータストリーム（例えば、同じコードワード）または異なるデータストリームに関係するビットを伝えてもよい。異なる空間レイヤは、チャネル測定および報告のために使用される異なるアンテナポートに関係していてもよい。ＭＩＭＯ技法は、複数の空間レイヤが同じ受信デバイスに送信される単一ユーザＭＩＭＯ（ＳＵ−ＭＩＭＯ）と、複数の空間レイヤが複数のデバイスに送信される複数ユーザＭＩＭＯ（ＭＵ−ＭＩＭＯ）とを含んでいる。
【００７４】
［００９０］
いくつかのケースでは、ワイヤレス通信システム１００は、レイヤ化プロトコルスタックにしたがって動作するパケットベースのネットワークであってもよい。ユーザプレーンでは、ベアラまたはパケットデータコンバージェンスプロトコル（ＰＤＣＰ）レイヤにおける通信は、ＩＰベースであってもよい。無線リンク制御（ＲＬＣ）レイヤは、いくつかのケースでは、論理チャネルを介して通信するために、パケットセグメンテーションおよびリアセンブリを実行してもよい。媒体アクセス制御（ＭＡＣ）レイヤは、優先取り扱いを行い、論理チャネルのトランスポートチャネルへの多重化を行ってもよい。ＭＡＣレイヤはまた、リンク効率を改善するために、ＭＡＣレイヤにおける再送信を提供するハイブリッド自動再送要求（ＨＡＲＱ）を使用してもよい。制御プレーンでは、無線リソース制御（ＲＲＣ）プロトコルレイヤは、ＵＥ１１５と、基地局１０５またはユーザプレーンデータに対する無線ベアラをサポートするコアネットワーク１３０との間のＲＲＣ接続の確立、コンフィギュレーション、および、管理を提供してもよい。物理（ＰＨＹ）レイヤでは、トランスポートチャネルは、物理チャネルにマッピングされていてもよい。
【００７５】
［００９１］
いくつかのケースでは、ＵＥ１１５および基地局１０５は、データの再送信をサポートして、データの受信が成功する可能性を増加させてもよい。ＨＡＲＱフィードバックは、データが通信リンク１２５を介して正確に受信される可能性を増加させる１つの技術である。ＨＡＲＱは、（例えば、巡回冗長検査（ＣＲＣ）を使用する）誤り検出、順方向誤り訂正（ＦＥＣ）、および、再送信（例えば、自動反復要求（ＡＲＱ））の組み合わせを含んでいてもよい。ＨＡＲＱは、劣悪な無線状態（例えば、信号対雑音状態）において、ＭＡＣレイヤにおけるスループットを改善するかもしれない。いくつかのケースでは、ワイヤレスデバイスは、同じスロットＨＡＲＱフィードバックをサポートしてもよく、デバイスは、スロット中の前のシンボル中で受信されたデータのために、特定のスロット中にＨＡＲＱフィードバックを提供してもよい。他のケースでは、デバイスは、後続のスロット中で、または、他の何らかの時間間隔にしたがって、ＨＡＲＱフィードバックを提供してもよい。
【００７６】
［００９２］
ＬＴＥまたはＮＲにおける時間間隔は、基本時間単位の倍数で表されていてもよく、基本時間単位は、例えば、Ｔｓ＝１／３０，７２０，０００秒のサンプリング期間を指していてもよい。通信リソースの時間間隔は、それぞれが１０ミリ秒（ｍｓ）の持続時間を有する無線フレームにしたがって編成されていてもよく、フレーム期間は、Ｔｆ＝３０７，２００Ｔｓとして表されていてもよい。無線フレームは、０から１０２３の範囲のシステムフレーム番号（ＳＦＮ）により識別されてもよい。各フレームは、０から９まで番号付けされた１０のサブフレームを含んでいてもよく、各サブフレームは、１ｍｓの持続時間を有していてもよい。サブフレームは、それぞれが０．５ｍｓの持続時間を有する２つのスロットにさらに分割されてもよく、各スロットは、（例えば、各シンボル期間の前に付加されるサイクリックプレフィックスの長さに依存して）６つまたは７つの変調シンボル期間を含んでいてもよい。サイクリックプレフィックスを除外すると、各シンボル期間は、２０４８のサンプリング期間を含んでいてもよい。いくつかのケースでは、サブフレームは、ワイヤレス通信システム１００の最小スケジューリング単位であってもよく、送信時間間隔（ＴＴＩ）として呼ばれることもある。他のケースでは、ワイヤレス通信システム１００の最小スケジューリング単位は、サブフレームよりも短くてもよく、または、（例えば、短縮ＴＴＩ（ｓＴＴＩ）のバースト中で、または、ｓＴＴＩを使用する選択されたコンポーネント搬送波中で）動的に選択してもよい。
【００７７】
［００９３］
いくつかのワイヤレス通信システムでは、スロットは、１つ以上のシンボルを含む複数のミニスロットにさらに分割されていてもよい。いくつかの事例では、ミニスロットまたはミニスロットのシンボルが、スケジューリングの最小単位であってもよい。各シンボルは、例えば、副搬送波間隔または動作の周波数帯域に依存して、持続時間が変化してもよい。さらに、いくつかのワイヤレス通信システムは、複数のスロットまたはミニスロットが一緒にアグリゲートされて、ＵＥ１１５と基地局１０５との間の通信のために使用されるスロットアグリゲーションを実現してもよい。
【００７８】
［００９４］
用語「搬送波」は、通信リンク１２５を介しての通信をサポートするために規定されている物理レイヤ構造を有する無線周波数スペクトルリソースのセットを指す。例えば、通信リンク１２５の搬送波は、所定の無線アクセス技術のための物理レイヤチャネルにしたがって動作する無線周波数スペクトル帯域の一部分を含んでいてもよい。各物理レイヤチャネルは、ユーザデータ、制御情報、または、他のシグナリングを伝えてもよい。搬送波は、予め規定されている周波数チャネル（例えば、Ｅ−ＵＴＲＡ絶対無線周波数チャネル番号（ＥＡＲＦＣＮ））に関係していてもよく、ＵＥ１１５による発見のためのチャネルラスタにしたがって位置決めされていてもよい。搬送波は、（例えば、ＦＤＤモード中で）ダウンリンクまたはアップリンクであってもよく、または、（例えば、ＴＤＤモード中で）ダウンリンクおよびアップリンク通信を伝えるように構成されていてもよい。いくつかの例では、搬送波を介して送信される信号波形は、（例えば、ＯＦＤＭまたはＤＦＴ−ｓ−ＯＦＤＭのようなマルチキャリア変調（ＭＣＭ）技法を使用して）複数の副搬送波から作り上げられていてもよい。
【００７９】
［００９５］
搬送波の組織構造は、異なる無線アクセス技術（例えば、ＬＴＥ、ＬＴＥ−Ａ、ＮＲなど）に対して異なっていてもよい。例えば、搬送波を介した通信は、ＴＴＩまたはスロットにしたがって編成してもよく、これらのそれぞれは、ユーザデータとともにユーザデータのデコーディングをサポートするための制御情報またはシグナリングを含んでいてもよい。搬送波はまた、専用捕捉シグナリング（例えば、同期信号またはシステム情報など）と、搬送波のための動作を調整する制御シグナリングとを含んでいてもよい。いくつかの例では（例えば、キャリアアグリゲーションコンフィギュレーション中では）、搬送波はまた、他の搬送波のための動作を調整する捕捉シグナリングまたは制御シグナリングを有していてもよい。
【００８０】
［００９６］
物理チャネルは、さまざまな技法にしたがって搬送波上で多重化してもよい。物理制御チャネルおよび物理データチャネルは、例えば、時分割多重化（ＴＤＭ）技法、周波数分割多重化（ＦＤＭ）技法、または、ハイブリッドＴＤＭ−ＦＤＭ技法を使用して、ダウンリンク搬送波上で多重化してもよい。いくつかの例では、物理制御チャネル中で送信される制御情報は、カスケード方法で、異なる制御領域間（例えば、共通制御領域または共通サーチ空間と、１つ以上のＵＥ特有の制御領域またはＵＥ特有のサーチ空間との間で）で分散させてもよい。
【００８１】
［００９７］
搬送波は、無線周波数スペクトルの特定の帯域幅に関係していてもよく、いくつかの例では、搬送波帯域幅は、搬送波のまたはワイヤレス通信システム１００の「システム帯域幅」として呼ばれることもある。例えば、搬送波帯域幅は、特定の無線アクセス技術の搬送波（例えば、１．４、３、５、１０、１５、２０、４０、または、８０ＭＨｚ）に対する多数の予め定められた帯域幅のうちの１つであってもよい。いくつかの例では、各サービス提供されるＵＥ１１５は、搬送波帯域幅の一部分または全部に渡って動作するように構成されていてもよい。他の例では、いくつかのＵＥ１１５は、搬送波内（例えば、狭帯域プロトコルタイプの「インバンド」配備）の予め規定されている部分または範囲（例えば、副搬送波またはＲＢのセット）に関係する狭帯域プロトコルタイプを使用する動作のために構成されていてもよい。
【００８２】
［００９８］
ワイヤレス通信システム１００のデバイス（例えば、基地局１０５またはＵＥ１１５）は、特定の搬送波帯域幅に渡る通信をサポートするハードウェアコンフィギュレーションを有しているかもしれないか、または、搬送波帯域幅のセットのうちの１つを介した通信をサポートするように構成可能であってもよい。いくつかの例では、ワイヤレス通信システム１００は、１つより多い異なる搬送波帯域幅に関係する搬送波を介して同時通信をサポートすることができる基地局１０５および／またはＵＥを含んでいてもよい。
【００８３】
［００９９］
ワイヤレス通信システム１００は、複数のセルまたは搬送波上でＵＥ１１５との通信をサポートしてもよく、この特徴は、キャリアアグリゲーション（ＣＡ）またはマルチキャリア動作として呼ばれることもある。ＵＥ１１５は、キャリアアグリゲーションコンフィギュレーションにしたがって、複数のダウンリンクＣＣおよび１つ以上のアップリンクＣＣにより構成されていてもよい。キャリアアグリゲーションは、ＦＤＤコンポーネント搬送波およびＴＤＤコンポーネント搬送波の両方とともに使用してもよい。
【００８４】
［０１００］
いくつかのケースでは、ワイヤレス通信システム１００は、拡張コンポーネント搬送波（ｅＣＣ）を利用してもよい。ｅＣＣは、より広い搬送波または周波数チャネル帯域幅、より短いシンボル持続時間、より短いＴＴＩ持続時間、または、修正された制御チャネルコンフィギュレーションを含む１つ以上の特徴により特徴付けられていてもよい。いくつかのケースでは、ｅＣＣは、キャリアアグリゲーションコンフィギュレーションまたはデュアル接続コンフィギュレーション（例えば、複数のサービングセルが準最適なまたは非理想的なバックホールリンクを有するとき）に関係していてもよい。ｅＣＣはまた、（例えば、１つより多くの事業者がスペクトルを使用することが許可されている場合）ライセンスされていないスペクトルまたは共有スペクトル中での使用のために構成されていてもよい。広い搬送波帯域幅により特徴付けられるｅＣＣは、搬送波帯域幅全体を監視することができない、または、そうでなければ、（例えば、電力を節約するために）限定された搬送波帯域幅を使用するように構成されているＵＥ１１５により利用されるかもしれない１つ以上のセグメントを含んでいてもよい。
【００８５】
［０１０１］
いくつかのケースでは、ｅＣＣは、他のＣＣ以外の異なるシンボル持続時間を利用していてもよく、これは、他のＣＣのシンボル持続時間と比較して低減されたシンボル持続時間の使用を含んでいてもよい。より短いシンボル持続時間は、隣接する副搬送波間の増加した間隔に関係していてもよい。ｅＣＣを利用する、ＵＥ１１５または基地局１０５のようなデバイスは、低減シンボル持続時間（例えば、１６．６７マイクロ秒）で、（例えば、２０、４０、６０、８０ＭＨｚなどの周波数チャネルまたは搬送波帯域幅にしたがって）広帯域信号を送信してもよい。ｅＣＣ中のＴＴＩは、１つまたは複数のシンボル期間からなっていてもよい。いくつかのケースでは、ＴＴＩ持続時間（すなわち、ＴＴＩ中のシンボル期間の数）は可変であってもよい。
【００８６】
［０１０２］
ＮＲシステムのようなワイヤレス通信システムは、数ある中でも、ライセンスされているスペクトル帯域幅、共有されているスペクトル帯域、および、ライセンスされていないスペクトル帯域の任意の組み合わせを利用してもよい。ｅＣＣシンボル持続時間および副搬送波間隔の柔軟性は、複数のスペクトルに渡るｅＣＣの使用を可能にするかもしれない。いくつかの例では、ＮＲ共有スペクトルは、特に、リソースの動的な垂直（例えば、周波数に渡る）および水平（例えば、時間に渡る）共有を通して、スペクトル利用およびスペクトル効率を増加させるかもしれない。
【００８７】
［０１０３］
いくつかのケースでは、ＵＥ１１５および基地局１０５は、２つ以上のＣＣを使用して通信し、ここで説明するさまざまな技法は、全ＴＴＩ（例えば、スロット、サブフレーム、または、他のＴＴＩ）未満にしか及ばないＣＣのうちの１つ以上を使用する送信を提供する。いくつかのケースでは、ＵＥ１１５は、異なるＣＣ上に異なる開始時間または持続時間を有するアップリンク送信を送信し、異なるＣＣ上の異なるＴＡＧをサポートするためのＵＥ１１５の能力に関連する能力を基地局１０５にシグナリングしてもよい。サービング基地局１０５はその後、異なるＣＣ上の送信が異なる開始時間または持続時間を有してもよく、異なるＣＣが異なるＴＡＧに関係していてもよい、ＵＥ１１５のための送信をスケジュールしてもよい。このような技法は、向上したスケジューリング柔軟性、ＵＥ１１５との向上した通信、および、増加したネットワーク効率を提供するかもしれない。
【００８８】
［０１０４］
いくつかのケースでは、異なるＣＣの送信が、異なる開始時間、異なる停止時間、異なる持続時間、または、これらの組み合わせを有しているかもしれない場合に、ＵＥ１１５はまた、複数のＣＣに対する電力制御を実行して、最大電力しきい値に適合するアップリンク送信電力を提供してもよい。いくつかのケースでは、ＵＥ１１５は、スロット間の２つ以上のＣＣ上での複数のアップリンク送信に対するアップリンクリソースの多数の許可を受信し、アップリンク送信を送信する送信電力が、スロットの少なくとも一部分の間に、ＵＥ１１５に対する最大電力しきい値を超えることを決定してもよい。ＵＥ１１５は、このような決定に応答して、多数のアップリンク送信のうちの第１のアップリンク送信の少なくとも一部分をドロップして、送信電力が最大電力しきい値以下であることを提供し、そして、ＣＣのうちの１つ以上を使用して、スロット間に、多数のアップリンク送信のうちの残りのアップリンク送信を送信してもよい。追加的または代替的に、ＵＥ１１５は、ＵＥ送信電力が最大電力しきい値以下であるように、スロットの少なくとも一部分の間に、ＣＣのうちの１つ以上の送信電力をスケーリングしてもよい。いくつかのケースでは、送信電力のスケーリングは、スロットに先立って、予め定められた時間の前に基地局１０５から受信されるアップリンク許可に対して実行してもよい。いくつかのケースでは、スケーリングは、ＵＥ１１５のアップリンク電力がそうでなければ最大電力しきい値を超えることになる期間中に送信されるすべてのオーバーラップするアップリンク送信に対して実行してもよい。いくつかのケースでは、アップリンク送信を優先順位付けしてもよく、送信のスケーリングまたはドロップは、送信の優先度レベルに基づいていてもよい。
【００８９】
［０１０５］
図２は、本開示のさまざまな態様にしたがう、ワイヤレス通信においてキャリアアグリゲーションを使用して電力制御するための技法をサポートするワイヤレス通信システム２００の一部分の例を示す。ワイヤレス通信システム２００は、基地局１０５−ａおよびＵＥ１１５−ａを含んでいてもよく、これらは、図１を参照して説明されている基地局１０５およびＵＥ１１５の例であってもよい。いくつかの例では、基地局１０５−ａは、地理的カバレージエリア１１０−ａ内の１つ以上のＵＥ１１５と通信してもよい。ワイヤレス通信システム２００は、ワイヤレス通信システム１００の態様を実現していてもよい。例えば、ワイヤレス通信システム２００は、キャリアアグリゲーションをサポートしてもよく、基地局１０５−ａは、第１のコンポーネント搬送波２０５−ａ、第２のコンポーネント搬送波２０５−ｂ、第ｎのコンポーネント搬送波２０５−ｎまでを含む複数のコンポーネント搬送波２０５のリソース上で、ＵＥ１１５−ａと通信してもよい。いくつかのケースでは、送信の持続時間、送信の開始時間、送信の終了時間、または、これらの組み合わせは、異なるコンポーネント搬送波２０５に対して異なっていてもよい。
【００９０】
［０１０６］
ＵＥ１１５−ａと基地局１０５−ａとの間のキャリアアグリゲーション通信において複数のＣＣ２０５を使用するとき、いくつかのケースでは、基地局１０５−ａが、スロット全体または他のＴＴＩに及ばない１つ以上のＣＣ２０５上での送信をスケジュールすることが有益であるかもしれない。しかしながら、このようなケースでは、ＵＥ１１５−ａは、ＣＣ２０５上の送信間に、送信／受信チェーン中にある電力増幅器（ＰＡ）における電力設定を変更することができないかもしれない。したがって、いったんＵＥ１１５−ａがＣＣ２０５上で送信を開始すると、送信の位相連続性を維持し、送信の適切なデコーディングを可能にするために、ＰＡ設定は、次のスロットまたはＴＴＩ境界まで同じままである。したがって、スロット中で第１の送信が進行中であり、スロット間で何らかのシンボルにおいて第２の送信が開始する場合、このようなケースでは、第１の送信の送信電力は同じままであり、ＵＥ１１５−ａの総送信電力を決定するために、第２の送信の送信電力は第１の送信の送信電力に加えられる。加えて、サウンディング基準信号（ＳＲＳ）および物理ランダムチャネル（ＰＲＡＣＨ）送信のような、あるタイプの送信は、ＵＥ１１５−ａにおいて逆高速フーリエ変換（ＩＦＦＴ）を実現できないかもしれず、したがって、他のアップリンクチャネルとのこのような送信の周波数分割多重化は許容されないかもしれない。
【００９１】
［０１０７］
特定のスロットにおいて、複数のＣＣ２０５を使用して、準備および送信するために、ＵＥ１１５−ａは、異なる送信に対する電力設定を計算することができるある時間量を必要とするかもしれない。いくつかのケースでは、ＵＥ１１５−ａが、スロット間の異なるＣＣ２０５上での異なる持続時間送信のためのこのような計算を実行するために、あるタイムライン要件が提供されてもよく、したがって、いくつかのケースでは、スロットの開始に先立って、予め定められている時間に、スロットに対するスケジューリング情報および電力制御コマンドが、ＵＥ１１５−ａに提供されてもよい。このようなタイムライン要件はまた、関係する送信に対するデジタルデータを発生させるのに十分な時間をＵＥ１１５−ａに提供するかもしれない。
【００９２】
［０１０８］
ＵＥ１１５−ａはまた、複数のＣＣ２０５上の送信に影響を及ぼすかもしれないある送信機アーキテクチャ特徴を有しているかもしれない。いくつかのケースでは、ＵＥ１１５−ａは、複数のＣＣ２０５上での送信のために、単一のＦＦＴ／ＩＦＦＴエンジンと、共有ＲＦチェーンとを有しているかもしれない。このようなケースでは、ＵＥ１１５−ａは、ＣＣ２０５が同じヌメロロジ（すなわち、同じトーン間隔、シンボル持続時間など）を有すると仮定して、単一のＴＡＧを用いて帯域内連続搬送波を送信することができるかもしれない。他のケースでは、ＵＥ１１５−ａは、複数のＦＦＴ／ＩＦＦＴエンジンおよびＲＦチェーンを有してもよく、したがって、帯域内非連続搬送波とともに帯域間搬送波を送信するための能力を有し、複数のＴＡＧをサポートするかもしれない。
【００９３】
［０１０９］
図３は、さまざまな態様にしたがう、ワイヤレス通信においてキャリアアグリゲーションを使用して電力制御するための技法をサポートする複数のコンポーネント搬送波３００に対するワイヤレスリソースの例を示す。いくつかの例では、複数のコンポーネント搬送波３００に対するワイヤレスリソースは、ワイヤレス通信システム１００または２００の態様において実現してもよい。
【００９４】
［０１１０］
上記で説明したように、ＣＣのうちの１つ以上における送信が、特定のスロットまたは他のＴＴＩ内で、異なる開始時間、異なる停止時間、異なる持続時間、または、これらの組み合わせを有しているかもしれないＣＡモードにおいて、ＵＥ（例えば、図１または図２のＵＥ１１５）および基地局（例えば、図１または図２の基地局１０５）は、複数のＣＣを使用してもよい。図３の例では、第１のＣＣ３０５および第２のＣＣ３１０は、スロット３３０間での送信のために構成されていてもよい。このケースでは、第１の送信３１５は、第１のＣＣ３０５上でスロット３３０の始まりにおいて開始することができ、スロット３３０の終了前のある時点で停止するかもしれない。この例では、第２の送信３２０は、第１の送信３１５が終了した後に第１のＣＣ３０５上で開始してもよく、スロット３３０の終わりにおいて終了してもよい。第３の送信３２５は、第２のＣＣ３１０上でスロット３３０の始まりにおいて開始してもよく、スロット３３０の終わりの前に終了するかもしれない。この例では、ＵＥの送信電力は、スロット３３０の最初の部分に対する第１の送信３１５および第３の送信３２５の送信電力、ならびに、スロット３３０の最後の部分に対する第２の送信３２０の送信電力である。したがって、同時送信が互いに完全にオーバーラップ（すなわち、同じ開始時間および持続時間を有する）しない限り、電力変化が送信の中間で生じるかもしれない。
【００９５】
［０１１１］
いくつかのケースでは、ＵＥは、送信内の総電力のこのような変化をサポートすることができないことがある。ここで提供されるいくつかの技法によれば、同時に開始しないまたは異なる持続時間を有する、ＴＡＧ内でオーバーラップする送信をＵＥがサポートするか否かの表示を、ＵＥが基地局に提供してもよい。いくつかのケースでは、複数のＣＣをサポートする接続を確立するときに、基地局に送信される能力報告中に、ＵＥはこのような表示を提供してもよい。いくつかのケースでは、ＵＥ能力は、帯域ごと、帯域の組み合わせごと、または、これらの組み合わせで報告されてもよい。基地局は、このようなＵＥ能力報告を受信し、異なる開始時間、異なる停止時間、異なる持続時間、または、これらの組み合わせを有するオーバーラップする送信をサポートするためのＵＥの能力に基づいて、ＵＥに対する送信をスケジュールしてもよい。
【００９６】
［０１１２］
図４は、本開示のさまざまな態様にしたがう、ワイヤレス通信においてキャリアアグリゲーションを使用して電力制御するための技法をサポートする１つ以上のコンポーネント搬送波４００における周波数ホッピングの例を示す。いくつかの例では、１つ以上のコンポーネント搬送波４００における周波数ホッピングは、ワイヤレス通信システム１００または２００の態様において実現してもよい。
【００９７】
［０１１３］
この例では、第１のＣＣ４０５および第２のＣＣ４１０は、スロット４４０内の送信のためにスケジュールされていてもよい。第１のＣＣ送信４１５は、この例では、スロット４４０内の異なる周波数間で周波数ホッピングを用いてもよく、第２のＣＣ送信４２０は、ホッピングを有していないかもしれない。この例では、ＤＭＲＳ送信４２５は、第１のＣＣ送信４１５および第２のＣＣ送信４２０において提供されていてもよい。周波数ホッピングを実行するとき、いくつかのケースでは、ＵＥは、スロット内周波数ホッピングを有するＰＵＳＣＨ／ＰＵＣＣＨ送信を２つの送信として考えるかもしれない。他のケースでは、ＵＥは、（例えば、図４に示すように）他のすべての同時送信が時間セグメントの両方にＤＭＲＳシンボルを有していない限り、スロット内周波数ホッピングを有するＰＵＳＣＨ／ＰＵＣＣＨを２つの送信として考えるかもしれず、これは、受信機が２つのセグメントの同じ電力レベルを仮定しないことを意味していてもよい。他のケースでは、ＵＥは、周波数ホッピングを有するＰＵＳＣＨ／ＰＵＣＣＨを１つの送信として考えるかもしれず、このケースでは、ＵＥは、送信の開始の前に、もしあれば、周波数ホッピングの、送信電力に対する影響を考えてもよい。
【００９８】
［０１１４］
図５は、本開示のさまざまな態様にしたがう、ワイヤレス通信においてキャリアアグリゲーションを使用する複数のコンポーネント搬送波５００に対するワイヤレスリソースおよび送信の例を示す。いくつかの例では、複数のコンポーネント搬送波５００に対するワイヤレスリソースおよび送信は、ワイヤレス通信システム１００または２００の態様において実現してもよい。
【００９９】
［０１１５］
この例では、ＵＥは、第１のＣＣ５０５、第２のＣＣ５１０、および、第３のＣＣ５１５により構成されていてもよく、スロット５５０の一部分の間のみに送信されるべきである第１のＣＣ５０５上の第１の送信５３０によりスケジュールされていてもよい。ＵＥはまた、第２のＣＣ５１０上の第２の送信５３５および第３の送信５４０によりスケジュールされていてもよい。ＵＥはまた、第４のＣＣ５１５上の第３の送信５４５によりスケジュールされていてもよい。この例では、第２の送信５３５、第３の送信５４０、および、第４の送信５４５は、ＰＵＳＣＨ送信５２０であってもよく、第１の送信５３０は、ＰＵＣＣＨ送信５２５であってもよい。上述したように、ＵＥの送信電力は、したがって、スロット５５０の間に変化するかもしれない。この例では、第１の送信５３０は、第１の送信電力Ｐ１を有し、第２の送信５３５は、第２の送信電力Ｐ２を有し、第３の送信５４０は、第３の送信電力Ｐ３を有し、第４の送信５４５は、第４の送信電力Ｐ４を有していてもよい。したがって、このケースでは、第２の送信５３５のＰ２に対応する第１の送信電力は、スロット５５０の開始に存在してもよく、これは、第４の送信が開始するとき、Ｐ２＋Ｐ４の送信電力に増加するかもしれず、第１の送信５３０が開始するとき、再度Ｐ１＋Ｐ２＋Ｐ４に増加するかもしれない。総送信電力は、第２の送信５３５と第３の送信５４０との間のギャップ間にちょうどＰ１＋Ｐ４までドロップするかもしれず、いったん第３の送信が開始されると、Ｐ１＋Ｐ３＋Ｐ４に増加するかもしれない。最後に、第１の送信５３０および第４の送信５４５が停止した後、この例では、総送信電力はちょうどＰ３にドロップするだろう。いくつかのケースでは、Ｐ１＋Ｐ２＋Ｐ４またはＰ１＋Ｐ３＋Ｐ４がＰｃｍａｘよりも大きい場合のように、総送信電力が最大送信電力（例えば、Ｐｃｍａｘ）を超えることがある。このようなケースでは、ここで提供されるさまざまな技法によれば、スロット間にＰｃｍａｘに適合する最高の最大電力をＵＥに提供するように、アップリンク送信のすべてまたはいくつかを、スケーリングしてもよい。他のケースでは、残りの送信が最大送信電力を超えないように、送信のすべてまたは一部分をドロップしてもよい。
【０１００】
［０１１６］
いくつかのケースでは、送信電力のドロップまたはスケーリングは、送信に関係する優先度に少なくとも部分的に基づいて実行してもよい。いくつかの例では、チャネルタイプ（例えば、ＰＵＣＣＨ、ＰＵＳＣＨ）に、および、／または、送信が伝えるアップリンク制御情報（ＵＣＩ）のタイプに依存して、異なる送信またはチャネルに優先度レベルを割り当ててもよい。いくつかのケースでは、異なる送信またはチャネルにあるいはＵＣＩのタイプに対する優先度レベルは、基地局によりＵＥにシグナリングされてもよく、または、予め構成されていてもよい。例えば、ＰＵＣＣＨ送信５２５は、ＰＵＳＣＨ送信５２０よりも高い優先度が割り当てられていてもよい。このようなケースでは、Ｐ２＋Ｐ１＋Ｐ４のアグリゲート電力＞Ｐｃｍａｘである場合、ＵＥは、Ｐ２およびＰ４をスケールダウンし、より高い優先度送信に対する送信電力であることが理由で、Ｐ１を変更しないままにしてもよい。同様に、Ｐ４＋Ｐ３＋Ｐ１＞Ｐｃｍａｘである場合、ＵＥは、Ｐ３およびＰ４をスケールダウンしてもよい。Ｐｃｍａｘ以下である総送信電力を提供するように、スケーリングされる電力を十分にスケーリングしてもよい。さらに、いくつかのケースでは、第４の送信５４５は、（例えば、第３の送信５４０により、サポートされるサービスにまたは送信されるデータに基づいて）第３の送信５４０よりも低い優先度が割り当てられていてもよい。このようなケースでは、送信電力Ｐ４は、Ｐ３よりも大きくスケーリングされることになるだろう。
【０１０１】
［０１１７］
図６は、本開示のさまざまな態様にしたがう、ワイヤレス通信においてキャリアアグリゲーションを使用して電力制御するための技法をサポートする複数のタイミングアドバンスグループ６００の送信に対するオーバーラップしきい値の例を示す。いくつかの例では、複数のタイミングアドバンスグループ６００の送信に対するオーバーラップしきい値は、ワイヤレス通信システム１００または２００の態様において実現してもよい。上述のように、いくつかのケースでは、ＵＥは、異なるＴＡＧ中にある複数のＣＣ上での送信の能力を有してもよく、これは、結果的に、ＵＥと特定の基地局との間の距離に依存して、ある時間（例えば、３０μ秒）までだけ、スロット境界が位置ずれするかもしれないことになる。
【０１０２】
［０１１８］
したがって、複数のＴＡＧが異なるＣＣに対して存在しているケースでは、シンボルの位置ずれが原因で、アップリンク送信のある部分がオーバーラップするかもしれない。図６の例では、第１のＣＣ６０５は、第１のタイミングアドバンス（ＴＡ）を使用する、第１のＴＡＧ中にあるかもしれず、第２のＣＣ６１０は、第２のタイミングアドバンスを使用する第２のＴＡＧ中にあるかもしれない。このケースでは、第２のＣＣ６１０は、シンボルｉ−１において終了する第１の送信６２０を有しているかもしれず、シンボルｉにおいて開始する第２の送信６２５を有しているかもしれない。第１のＣＣ６０５は、シンボルｉにおいて開始する送信を有し、第１のＴＡＧおよび第２のＴＡＧの異なるＴＡが原因で、シンボルｉの開始境界が整列されず、結果的に、第１のＣＣ送信６１５が第２のＣＣ６１０の第１の送信６２０とオーバーラップするオーバーラップ期間６３０がもたらされる。
【０１０３】
［０１１９］
シンボルｉに対する電力制御を実行するとき、ＵＥは、第２のＣＣ６１０の第２の送信６２５および第１のＣＣ６０５の送信６１５を考慮に入れてもよく、それにしたがって、送信電力を設定してもよく、このため、シンボルｉ間に、ＵＥ送信電力は最大送信電力しきい値（Ｐｃｍａｘ）を超えない。しかしながら、ＵＥは、第２のＣＣ６１０の第１の送信６２０がシンボルｉ−１において終了するとき、シンボルｉの送信を考慮しないので、オーバーラップ期間６３０の間の送信電力は、Ｐｃｍａｘを超えるかもしれない。このようなケースでは、衝突送信の増加が考慮されてもよく、いくつかのケースでは、第１のＣＣ６０５の送信６１５がドロップされるかもしれない。いくつかのケースでは、ＵＥは、オーバーラップ部分がしきい値Ｙよりも小さい場合、異なるＴＡＧ間のタイミング差が原因の電力制御に対して、オーバーラップ期間６３０を無視できるかもしれない。いくつかのケースでは、ＵＥは、このようなしきい値Ｙを基地局に報告してもよく、ネットワークスケジューリングを実行するのを助けるために、しきい値Ｙが使用されてもよい。いくつかのケースでは、しきい値Ｙの値は、ＵＥ能力、ＵＥに存在するハードウェア、または、これらの組み合わせに依存していてもよい。
【０１０４】
［０１２０］
図７は、本開示のさまざまな態様にしたがう、ワイヤレス通信においてキャリアアグリゲーションを使用して電力制御するための技法をサポートする、異なるコンポーネント搬送波７００上の異なるタイプの送信の例を示す図である。いくつかの例では、異なるコンポーネント搬送波７００上の異なるタイプの送信は、ワイヤレス通信システム１００または２００の態様において実現してもよい。
【０１０５】
［０１２１］
図７の例では、ＰＵＣＣＨ送信７１５、ＰＵＳＣＨ送信７２０、および、ＳＲＳ送信７２５のようなさまざまな異なる送信が、変化する持続時間を有しているかもしれず、結果的に、第１のＣＣ７０５および第２のＣＣ７１０に対して、部分的にオーバーラップする送信をもたらす。Ｐｃｍａｘを超えないオーバーラップする送信を提供するために、シンボルの送信電力設定は、送信のうちのいくつかがドロップされない限り、スロット中のすべての送信の知識を必要とするかもしれない。例えば、ケース１において、ＵＥは、第１のＣＣ７０５上で異なるＰＵＣＣＨ送信７１５を送信する一方で、スロット７３０全体に及ぶ、第２のＣＣ７１０上での単一のＰＵＳＣＨ送信７２０を送信してもよい。このようなケースでは、ＵＥは、スロット７３０に対する送信電力計算を実行するとき、ＰＵＳＣＨ送信７２０とともにＰＵＣＣＨ送信７１５を考慮してもよい。
【０１０６】
［０１２２］
ケース２において、ＵＥは、第１のＣＣ７０５を使用してスロット７３５の最初の部分の間にＰＵＳＣＨ送信７２０と、第１のＣＣ７０５を使用してスロット７３５の最後の部分の間にＰＵＣＣＨ送信７１５とを送信する一方で、第２のＣＣ７１０を使用してスロット７３５全体に及ぶＰＵＳＣＨ送信７２０を送信してもよい。ケース３において、ＵＥは、スロット７４０において、スロット７４０の最初の部分の間にＰＵＳＣＨ送信７２０を、第１のＣＣ７０５上のスロット７４０の最後の部分の間にＳＲＳ送信７２５を送信してもよく、第１のＣＣ７０５のＳＲＳ送信７２５とオーバーラップする、第２のＣＣ７１０上のＳＲＳ送信７２５を送信してもよい。ケース４では、ＵＥは、スロット７４５間に、第１のＣＣ７０５上でＰＵＳＣＨ送信７２０およびＰＵＣＣＨ送信７１５を送信してもよく、スロット７４５の最後の部分の間に、第２のＣＣ７１０上でＳＲＳ送信７２５を送信してもよい。異なるオーバーラップする送信のいくつかの例が図示されているが、オーバーラップする送信の他の多数の例が可能であり、ここで提供される技法は、異なってオーバーラップする送信のさまざまな異なる例に適用してもよい。さらに、図７では、２つのＣＣのみが示されているが、ここで提供される技法は、任意の数の構成されたＣＣのために使用してもよい。
【０１０７】
［０１２３］
図８は、本開示のさまざまな態様にしたがう、ワイヤレス通信においてキャリアアグリゲーションを使用する送信８００をドロップすることを通しての電力制御の例を示す。いくつかの例では、送信８００のドロップを通しての電力制御は、ワイヤレス通信システム１００または２００の態様において実現してもよい。
【０１０８】
［０１２４］
この例では、ＵＥは、第１のＣＣ８０５および第２のＣＣ８１０により構成されていてもよく、スロット８４５の一部分の間のみに送信されるべきである、第１のＣＣ８０５上の第１の送信８２５によりスケジュールされていてもよい。ＵＥはまた、第２のＣＣ８１０上の第２の送信８３０および第３の送信８３５によりスケジュールされていてもよい。この例では、第２の送信８３０および第３の送信８３５は、ＰＵＳＣＨ送信８１５であってもよく、第１の送信８２５は、ＰＵＣＣＨ送信８２０であってもよい。上述したように、ＵＥの送信電力は、したがって、スロット８４５の間に変化するかもしれない。この例では、第１の送信８２５は、第１の送信電力Ｐ１を有していてもよく、第２の送信８３０は、第２の送信電力Ｐ２を有していてもよく、第３の送信は、第３の送信電力Ｐ３を有していてもよい。したがって、このケースでは、第２の送信８３０のＰ２に対応する第１の送信電力は、スロット８４５の開始に存在してもよく、これは、第１の送信８２５が開始するとき、Ｐ１＋Ｐ２の送信電力まで増加するかもしれず、第２の送信８３０が停止するとき、ちょうどＰ１までドロップするかもしれず、第３の送信８３５が開始するとき、Ｐ＋Ｐ３まで増加するかもしれない。いくつかのケースでは、Ｐ１＋Ｐ２またはＰ１＋Ｐ３がＰｃｍａｘよりも大きい場合のように、総送信電力がＰｃｍａｘを超えることがある。このようなケースでは、ここで提供されるさまざまな技法によれば、ＵＥの総送信電力がＰｃｍａｘを超える場合、いくつかの送信の全部または一部分がドロップされるかもしれない。
【０１０９】
［０１２５］
いくつかのケースでは、異なる送信を優先順位付けしてもよく、ＵＥの総送信電力が最大送信電力しきい値（例えば、Ｐｃｍａｘ）を超える場合、より低い優先度の送信がドロップされるかもしれない。いくつかのケースでは、総送信電力決定は、スロット内でシンボルごとに行ってもよく、追加のタイムライン要件は必要とされないかもしれない。いくつかのケースでは、ＵＥは、送信の一部分のみをドロップしてもよい。図８の例では、Ｐ２＋Ｐ１＞Ｐｃｍａｘの場合、ＵＥは、第１の送信８２５とオーバーラップする第２の送信８３０の一部分８４０をドロップしてもよい。同様に、Ｐ３＋Ｐ１＞Ｐｃｍａｘである場合、ＵＥは、第３の送信８３５をドロップしてもよい。いくつかのケースでは、ＵＥが送信のシンボルをドロップするとき、ＵＥは、スロットに対するその送信のすべての後続のシンボルをドロップしてもよい。したがって、第１の送信８２５がスロット８４５の終了前に停止したとしても、ＵＥは、いったん第３の送信８３５の第１のシンボルをドロップする決定が行われていると、第３の送信８３５を送信するのを開始しないことになる。いくつかのケースでは、図１０および図１１に関して以下でより詳細に説明するように、オーバーラップする送信が最大送信電力しきい値を超えるか否かを識別するのに、そして、スロット間の送信をドロップするか送信するかを決定するのに、異なる反復法を使用してもよい。
【０１１０】
［０１２６］
図９は、本開示のさまざまな態様にしたがう、ワイヤレス通信においてキャリアアグリゲーションを使用して電力制御するための技法をサポートする、リソース許可９００のタイムラインの例を示す。いくつかの例では、リソース許可９００のタイムラインは、ワイヤレス通信システム１００または２００の態様において実現してもよい。
【０１１１】
［０１２７］
図９の例では、第１の送信９０５、第２の送信９１０、および、第３の送信９１５は、スロット９２０中での送信のために、基地局からＵＥにおいて受信されるリソース許可中に割り振ってもよい。この例では、第１の送信９０５および第２の送信９１０は、ＰＵＳＣＨ送信９３０であってもよく、第３の送信は、ＰＵＣＣＨ送信９３５であってもよい。上述のように、アップリンク送信が、異なる持続時間、開始時間、停止時間、または、これらの組み合わせを有しているかもしれないケースでは、ＵＥは、最大送信電力しきい値（例えば、Ｐｃｍａｘ）以下でＵＥの送信電力を維持するために、電力スケーリングまたはドロップを使用すべきか否かを決定してもよい。いくつかのケースでは、このような電力スケーリングを実行するために、ＵＥは、スロット９２０が開始するときに先立って、予め定められている時間期間９２５において、または、その前に、スロット９２０に対するアップリンク送信に対する許可を受信する必要があるかもしれない。図９の例では、予め定められた時間期間９２５は、スロット９２０の開始の前にＸ個のシンボルの持続時間を有しているかもしれない。
【０１１２】
［０１２８］
図９の例では、ＵＥは、予め定められた時間期間９２５の前に、第２の送信９１０および第３の送信９１５に対するリソース割り振りのための許可を受信するかもしれない。しかしながら、第１の送信９０５に対する許可は、予め定められた時間期間９２５の開始後に受信されるかもしれない。このようなケースでは、ＵＥは、第１の送信９０５に対する電力スケーリングを実行できないかもしれず、既にスケジュールされている第２の送信９１０および第３の送信９１５に第１の送信９０５を追加することが、最大送信電力しきい値を超えるケースでは、ＵＥは第１の送信９０５をドロップするかもしれない。第２の送信９１０および第３の送信９１５の追加された送信電力が最大送信電力しきい値を超えるケースでは、ＵＥは、第２の送信９１０および第３の送信９１５の一方または両方の送信電力をスケーリングする電力スケーリングを実行してもよい（例えば、スケーリングは、より低い優先度の送信に適用してもよい）。
【０１１３】
［０１２９］
いくつかのケースでは、ＵＥは、優先順位に基づいて、１つずつ送信をスロット９２０に追加することにより、送信のために電力スケーリングを実行してもよく、最高の優先度の送信が最初に追加される。いくつかのケースでは、より高いタイムラインベースの優先度レベルを有する送信が最初に割り振られ、したがって、前のスロットまたはシンボル中において開始した進行中の送信は、新たに追加された送信よりも高い優先度で継続されてもよい。いくつかのケースでは、同じタイムラインベースの優先度レベルを有する送信は、送信タイプ／ＵＣＩコンテンツに基づいて、いくつかの優先度レベルにさらに分割されていてもよい。例えば、優先度は、最高から最低まで、ＰＲＡＣＨ送信、ＵＣＩを有するＰＵＣＣＨ／ＰＵＳＣＨ送信、ＰＵＳＣＨ送信、および、ＳＲＳ送信に提供されてもよい。他の例では、優先度が、最高から最低まで、ＰＲＡＣＨ送信、ＨＡＣＫ／ＡＣＫを含むＵＣＩを有する、ＨＡＲＱ  ＡＣＫ／ＳＲまたはＰＵＳＣＨを含むＰＵＣＣＨ送信、ＨＡＲＱ  ＡＣＫを含まないＵＣＩを有する、ＨＡＲＱ  ＡＣＫ／ＳＲおよびＰＵＳＣＨを含まないＰＵＣＣＨ送信、ＰＵＳＣＨ送信、および、ＳＲＳ送信に提供されてもよい。
【０１１４】
［０１３０］
このような優先順位にしたがって送信をスケーリングするとき、すべての残りの送信は、利用可能な残余電力に適合するようにスケーリングされる。利用可能な残余電力は、シンボルインデックスの関数であるが、１つの送信のすべてのシンボルは、スケーリング後には同じ電力を有する。同じ優先度を有するが同一でない送信持続時間を有する複数の送信がある場合、ＵＥは、電力スケーリングまたはドロップのために、別の送信より先の送信のうちの１つを（例えば、ランダムに）選択してもよい。いくつかのケースでは、ＵＥは、予め定められた時間期間９２５を基地局にシグナリングしてもよい。他のケースでは、基地局は、ネットワークにおけるスケジューリング目的のために複数のＵＥに渡って均一性を有するために、予め定められた時間期間９２５をＵＥにシグナリングしてもよい。他のケースでは、予め定められた時間期間９２５は、予め構成された値であってもよい。
【０１１５】
［０１３１］
図１０は、本開示のさまざまな態様にしたがう、ワイヤレス通信においてキャリアアグリゲーションを使用して電力制御するための技法をサポートする方法１０００の例を示す図である。いくつかの例では、方法１０００は、ワイヤレス通信システム１００または２００の態様で実現してもよい。上述のように、いくつかのケースでは、ドロップルールは、ＵＥにおいて実現してもよく、ドロップルールでは、チャネルタイプ（例えば、ＰＵＣＣＨ、ＰＵＳＣＨ）に、および／または、送信が伝えるアップリンク制御情報（ＵＣＩ）のタイプに依存して、送信（またはチャネル）に優先度レベルが割り当てられ（例えば、ＨＡＲＱフィードバック情報、ＳＲ情報などは、より高い優先度を有しているかもしれない）、オーバーラップする送信の総送信電力が最大送信電力しきい値を超える場合には、より低い優先度の送信がドロップされるかもしれない。
【０１１６】
［０１３２］
この例では、１００５において、ＵＥは、異なるＣＣ上での送信に対するＵＥ能力を識別してもよい。このような能力は、例えば、ＵＥが、異なる開始時間、異なる停止時間、異なる持続時間、または、これらの組み合わせを有する異なるＣＣ上でオーバーラップする送信を送信できるか否かを含んでいてもよい。能力はまた、ＵＥが、帯域間ＣＣ、帯域内非連続ＣＣ、または、帯域内連続ＣＣをサポートできるか否かを含んでいてもよい。いくつかのケースでは、ＵＥの能力は、ＵＥにおいて予め構成されていてもよい。他のケースでは、ＵＥの能力は、特定の時間においてアクティブ／処理されるかもしれない送信／受信チェーンの数を制限するかもしれない熱条件、ＵＥにおけるバッテリレベルまたは電力節約モード、あるいは、ＵＥにおける他の条件のような、ＵＥにおける条件に依存していてもよい。
【０１１７】
［０１３３］
１０１０において、ＵＥはＴＡＧに対するオーバーラップしきい値を識別してもよい。上述のように、いくつかのケースでは、ＵＥは、異なるＣＣ上で複数の異なるＴＡＧをサポートしてもよく、オーバーラップしきい値は、ＵＥが最大送信電力しきい値を超える電力で送信するかもしれない時間の量であってもよい。いくつかのケースでは、オーバーラップしきい値の値は、ＵＥにおいて予め構成されていてもよく、または、ＵＥにおける条件に基づいて決定されてもよい。
【０１１８】
［０１３４］
１０１５において、ＵＥは、その能力とオーバーラップしきい値とを基地局にシグナリングしてもよい。このようなシグナリングは、例えば、無線リソース制御（ＲＲＣ）シグナリングを介して送信してもよい。いくつかのケースでは、このようなシグナリングは、ＵＥおよび基地局が複数のＣＣをサポートする接続を確立するとき、接続確立プロシージャの一部として、提供されていてもよい。いくつかのケースでは、結果的に異なるＵＥ能力またはオーバーラップしきい値をもたらす、能力または条件が変化したことをＵＥが決定してもよく、いくつかのケースでは、初期の能力とオーバーラップしきい値とがシグナリングされた後には、このような変化が基地局に示されてもよい。
【０１１９】
［０１３５］
１０２０において、ＵＥは、２つ以上のＣＣ上の複数の送信に対する許可を受信してもよい。いくつかのケースでは、基地局は、ＵＥ能力とオーバーラップしきい値とに基づいて、ＵＥにおける送信をスケジュールし、ＵＥに送信されるダウンリンク制御情報（ＤＣＩ）を介して、ＵＥに許可を提供してもよい。
【０１２０】
［０１３６］
１０２５において、ＵＥは、複数の送信に対する優先度レベルを識別してもよい。上述のように、チャネルタイプ（例えば、ＰＵＣＣＨ、ＰＵＳＣＨ）に、および／または、送信が伝えるアップリンク制御情報（ＵＣＩ）のタイプに依存して、異なる送信またはチャネルに優先度レベルを割り当ててもよい。いくつかのケースでは、異なる送信またはチャネルにあるいはＵＣＩのタイプに対する優先度レベルは、基地局によりＵＥにシグナリングされてもよく、または、予め構成されていてもよい。例えば、優先順位は、最高の優先度から最低の優先度に、１次セル（ＰＣｅｌｌ）に対するＣＣのＰＲＡＣＨ、ＡＣＫ／ＮＡＣＫおよび／またはＳＲを有するＰＵＣＣＨ／ＰＵＳＣＨ、他のＵＣＩを有するＰＵＣＣＨ／ＰＵＳＣＨ、ＵＣＩのないＰＵＳＣＨ、２次セル（ＳＣｅｌｌ）のＣＣのＳＲＳ／ＰＲＡＣＨであってもよい。いくつかのケースでは、同じ優先度レベル内では、ＰＣｅｌｌはＳＣｅｌｌよりも優先される。優先順位付けの他の多数の例をさまざまなケースで使用してもよく、上記の例示的な優先順位は、例示および説明のためだけに提供されている。
【０１２１】
［０１３７］
１０３０において、ＵＥは、各ＣＣ送信に対する送信電力を決定してもよい。このような決定は、確立された電力制御技法にしたがい、許可の一部としてＵＥに提供される電力制御情報と、ＵＥにおける利用可能な電力とにしたがって行ってもよい。
【０１２２】
［０１３８］
１０３５において、ＵＥは、スロットの第１のシンボル（シンボルｉ）に対するアグリゲート送信電力を決定してもよい。ＵＥは、シンボルに対してスケジュールされた送信を有する各ＣＣに対する送信電力の和として、アグリゲート送信電力を決定してもよい。
【０１２３】
［０１３９］
１０４０において、ＵＥは、シンボルに対するアグリゲート送信電力が最大送信電力しきい値（Ｐｃｍａｘ）を超えるか否かを決定してもよい。このような決定は、計算されたアグリゲート送信電力と、Ｐｃｍａｘの値（例えば、２３ｄＢｍ）との間の比較に基づいて行ってもよい。
【０１２４】
［０１４０］
シンボルに対するアグリゲート送信電力がＰｃｍａｘを超えない場合、ＵＥは、１０４５において、シンボルに対する各送信を送信してもよい。このようなケースでは、シンボルのオーバーラップする送信は、最大送信電力しきい値よりも小さいアグリゲート電力を有し、したがって、送信のうちのいずれもドロップされる必要はない。
【０１２５】
［０１４１］
１０５０において、ＵＥは、スロット内のシンボルをインクリメントしてもよく、１０３５において開始する動作を実行してもよい。シンボルがスロットの最後のシンボルであった場合、ＵＥは停止してもよく、後続のスロットに対する動作を実行してもよい。
【０１２６】
［０１４２］
シンボルに対するアグリゲート送信電力がＰｃｍａｘを超える場合、ＵＥは、１０５５において、電力不足を計算してもよい。このような電力不足は、シンボルのための計算されたアグリゲート電力とＰｃｍａｘとの間の差として計算してもよい。
【０１２７】
［０１４３］
１０６０において、ＵＥは、シンボルに対してスケジュールされている最低の優先度の送信をまたは複数の送信を識別してもよい。上述のように、チャネルタイプ（例えば、ＰＵＣＣＨ、ＰＵＳＣＨ）に、および／または、送信が伝えるアップリンク制御情報（ＵＣＩ）のタイプに依存して、異なる送信またはチャネルに優先度レベルを割り当ててもよい。割り当てられている優先度レベルに基づいて、ＵＥは、１つ以上のＣＣの送信のうちの１つ以上のうちのどれが最低の優先度を有するかを決定してもよい。
【０１２８】
［０１４４］
１０６５において、ＵＥは、識別された最低の優先度送信のうちのいずれかが、現在のシンボルにおいて開始するか否かを決定してもよい。いくつかのケースでは、進行中の送信は、特定のシンボルにおいて開始している送信よりも高い優先度を有してもよく、どの送信が現在のシンボルにおいて開始するかを識別することは、このような優先順位けを可能にするかもしれない。
【０１２９】
［０１４５］
送信のいずれも現在のシンボル中で開始しない場合、ＵＥは、１０７０において、識別された優先度を有する送信のすべてを選択してもよい。送信のうちの１つ以上が現在のシンボルにおいて開始する場合、ＵＥは、１０７５において、現在のシンボルにおいて開始するこれらの送信を選択してもよい。
【０１３０】
［０１４６］
１０８０において、ＵＥは、選択された送信のうちのいずれかが、計算された電力不足以上である送信電力を有するか否かを決定してもよい。ＵＥは、例えば、選択された送信のそれぞれの送信電力を電力不足と比較することにより、このような決定を行ってもよい。
【０１３１】
［０１４７］
選択された送信のうちの１つ以上が、計算された電力不足以上である送信電力を有する場合、ＵＥは、１０８５において、このような送信をドロップしてもよい。選択された送信のうちの２つ以上がこのような基準を満たす場合、ＵＥは、送信のうちの１つをランダムに選択して、ドロップしてもよい。ドロップされる送信の送信電力が計算された電力不足以上であることから、シンボルの残りの送信は、Ｐｃｍａｘ以下であるアグリゲート送信電力を有することになり、したがって、それぞれを送信することができる。
【０１３２】
［０１４８］
１０９０において、ＵＥは、現在シンボルに対する残りの送信のそれぞれを送信してもよい。残りの送信のスケジューリングされた送信許可にしたがって、１つ以上のＣＣを使用して、送信を送信してもよい。その後、ＵＥは、１０５０において開始する動作を実行してもよい。
【０１３３】
［０１４９］
選択された送信のうちの１つ以上が、計算された電力不足以上である送信電力を有さない場合、ＵＥは、１０９５において、最高の送信電力を有する送信をドロップしてもよい。選択された送信のうちの２つ以上が、最高の送信電力である同じ送信電力を有する場合、ＵＥは、送信のうちの１つをランダムに選択して、ドロップしてもよい。このようなアクションは、シンボルに対するアグリゲート送信電力を低減させるが、ドロップされた送信の送信電力は、電力不足よりも小さいので、シンボルに対するアグリゲート送信電力は、依然としてＰｃｍａｘを超え、ＵＥは、１０６０において開始する動作を実行して、ドロップされるべき１つ以上の他の送信を選択してもよい。
【０１３４】
［０１５０］
このような技法を使用して、ＵＥは、シンボルに対する電力しきい値が満たされるまで、送信を反復的にドロップしてもよい。いくつかのケースでは、ＨＡＲＱ−ＡＣＫ／ＳＲを伝える送信のようなある優先度レベルに対して、ＵＥは、送信の最初のシンボルにおいてドロップする代わりにスケーリングを実行してもよい。スケーリングされる電力は、それがドロップされない限り、送信全体に対して不変のままである。
【０１３５】
［０１５１］
いくつかのケースでは、上記で説明したように、ＵＥは、ＴＡＧ内で部分的にオーバーラップしている送信を行うことができないかもしれない。このようなケースでは、ＴＡＧ内で同時に開始および終了するすべてのオーバーラップしている送信が、バンドルされた送信として一緒にバンドルされてもよく、バンドルされた送信の優先度は、バンドルの任意の送信の最高の優先度として設定されていてもよい。このようなケースでは、電力割り振りは、２つのステップにより実行され、第１に、ＵＥは、バンドルが開始するときに、（以下で論じられるように）各バンドルされた送信の送信電力がＰｃｍａｘおよび残りの電力を確実に超えないようにし、第２に、ＵＥは、個々の送信に対して説明したような方法で、バンドルされた送信の間で電力割り振りを実行してもよい。バンドル中のすべての送信は同時に開始および終了するので、１つのシンボルのみに対して電力割り振りが実行される。
【０１３６】
［０１５２］
図１１は、本開示のさまざまな態様にしたがう、ワイヤレス通信においてキャリアアグリゲーションを使用して電力制御するための技法をサポートする別の方法１１００の例を示す。いくつかの例では、別の方法１１００は、ワイヤレス通信システム１００または２００の態様で実現してもよい。上述のように、いくつかのケースでは、ドロップルールは、ＵＥにおいて実現してもよく、ドロップルールでは、チャネルタイプ（例えば、ＰＵＣＣＨ、ＰＵＳＣＨ）に、および／または、送信が伝えるアップリンク制御情報（ＵＣＩ）のタイプに依存して、送信（またはチャネル）に優先度レベルが割り当てられ、オーバーラップする送信の総送信電力が最大送信電力しきい値を超える場合には、より低い優先度の送信がドロップされるかもしれない。
【０１３７】
［０１５３］
この例では、１１０５において、図１０に関して上記で説明したのと同様に、ＵＥは、異なるＣＣ上の送信に対するＵＥ能力を識別してもよい。このような能力は、例えば、ＵＥが、異なる開始時間、異なる停止時間、異なる持続時間、または、これらの組み合わせを有する異なるＣＣ上でオーバーラップする送信を送信できるか否かを含んでいてもよい。能力はまた、ＵＥが、帯域間ＣＣ、帯域内非連続ＣＣ、または、帯域内連続ＣＣをサポートできるか否かを含んでいてもよい。いくつかのケースでは、ＵＥの能力は、ＵＥにおいて予め構成されていてもよい。他のケースでは、ＵＥの能力は、特定の時間においてアクティブ／処理されるかもしれない送信／受信チェーンの数を制限するかもしれない熱条件、ＵＥにおけるバッテリレベルまたは電力節約モード、あるいは、ＵＥにおける他の条件のような、ＵＥにおける条件に依存していてもよい。
【０１３８】
［０１５４］
１１１０において、ＵＥはＴＡＧに対するオーバーラップしきい値を識別してもよい。上述のように、いくつかのケースでは、ＵＥは、異なるＣＣ上で複数の異なるＴＡＧをサポートしてもよく、オーバーラップしきい値は、ＵＥが最大送信電力しきい値を超える電力で送信するかもしれない時間の量であってもよい。いくつかのケースでは、オーバーラップしきい値の値は、ＵＥにおいて予め構成されていてもよく、または、ＵＥにおける条件に基づいて決定されてもよい。
【０１３９】
［０１５５］
１１１５において、ＵＥは、その能力とオーバーラップしきい値とを基地局にシグナリングしてもよい。このようなシグナリングは、例えば、無線リソース制御（ＲＲＣ）シグナリングを介して送信してもよい。いくつかのケースでは、このようなシグナリングは、ＵＥおよび基地局が複数のＣＣをサポートする接続を確立するとき、接続確立プロシージャの一部として、提供されてもよい。いくつかのケースでは、結果的に異なるＵＥ能力またはオーバーラップしきい値をもたらす、能力または条件が変化したことをＵＥが決定してもよく、いくつかのケースでは、初期の能力とオーバーラップしきい値とがシグナリングされた後には、このような変化が基地局に示されてもよい。
【０１４０】
［０１５６］
１１２０において、ＵＥは、２つ以上のＣＣ上の複数の送信に対する許可を受信してもよい。いくつかのケースでは、基地局は、ＵＥ能力とオーバーラップしきい値とに基づいて、ＵＥにおける送信をスケジュールし、ＵＥに送信されるダウンリンク制御情報（ＤＣＩ）を介して、ＵＥに許可を提供してもよい。
【０１４１】
［０１５７］
１１２５において、ＵＥは、複数の送信に対する優先度レベルを識別してもよい。上述のように、チャネルタイプ（例えば、ＰＵＣＣＨ、ＰＵＳＣＨ）に、および／または、送信が伝えるアップリンク制御情報（ＵＣＩ）のタイプに依存して、異なる送信またはチャネルに優先度レベルを割り当ててもよい。いくつかのケースでは、異なる送信またはチャネルにあるいはＵＣＩのタイプに対する優先度レベルは、基地局によりＵＥにシグナリングされてもよく、または、予め構成されていてもよい。
【０１４２】
［０１５８］
１１３０において、ＵＥは、各ＣＣ送信に対する送信電力を決定してもよい。このような決定は、確立された電力制御技法にしたがい、許可の一部としてＵＥに提供される電力制御情報と、ＵＥにおける利用可能な電力とにしたがって行ってもよい。
【０１４３】
［０１５９］
１１３５において、ＵＥは、シンボルに対する残りの電力をＰｃｍａｘとして設定してもよい。残りの電力を設定することにより、ＵＥは、残りの電力がもはや利用可能でなくなるまで、シンボル間にスケジュールされる送信を追加してもよく、追加されていない何らかの残りの送信は、ドロップされる送信であるかもしれない。
【０１４４】
［０１６０］
１１４０において、ＵＥは、進行中の各送信に対する総送信電力を計算してもよい。いくつかのケースでは、上述のように、前のシンボル中で開始した進行中の送信は、現在のシンボルにおいてちょうど開始している送信を超える優先度を有しているかもしれない。進行中の送信に対する総送信電力を計算するために、ＵＥは、現在のシンボルで送信を継続している先行するシンボルからの各送信の送信電力を合計してもよい。その後、ＵＥは、Ｐｃｍａｘ−進行中の各送信に対する総送信電力として、現在のシンボルに対する残りの電力を計算してもよい。
【０１４５】
［０１６１］
１１４５において、ＵＥは、現在のシンボルにおいて何らかの送信が開始するか否かを決定してもよい。方法の反復に続いて、１１４５における決定が行われる場合、ＵＥは、現在のシンボルにおいて何らかの残りの送信が開始するか否かを決定してもよい。特定の現在のシンボルにおいて開始するようにスケジュールされている任意のＣＣの任意の送信に基づいて、このような決定を行ってもよく、これは、アップリンクに対する許可中で提供されてもよい。
【０１４６】
［０１６２］
何らの追加の送信も現在のシンボルにおいて開始しない場合、ＵＥは、１１５０において、シンボルに対する送信を送信してもよい。このようなケースでは、シンボルのオーバーラップする送信は、最大送信電力しきい値より小さいアグリゲート電力を有し、送信されるかもしれない。
【０１４７】
［０１６３］
１１５５において、ＵＥは、スロット内のシンボルをインクリメントしてもよく、１１３５において開始する動作を実行してもよい。シンボルがスロットの最後のシンボルであった場合、ＵＥは停止してもよく、後続のスロットに対する動作を実行してもよい。
【０１４８】
［０１６４］
送信が現在のシンボルにおいて開始する場合、ＵＥは、ブロック１１６０において、最高の優先度の送信を識別してもよい。１つより多い送信が同じ最高の優先度を有する場合、ＵＥは、１つのこのような送信をランダムに選択してもよい。
【０１４９】
［０１６５］
１１６５において、ＵＥは、識別された送信の総追加電力を計算してもよい。識別された送信の送信電力に基づいて、総追加電力を計算してもよい。
【０１５０】
［０１６６］
１１７０において、ＵＥは、識別された送信の総追加電力が計算された残りの電力以下であるか否かを決定してもよい。このような決定は、識別されたアップリンク送信の送信電力を、残りの電力の計算された値と比較することにより行ってもよい。
【０１５１】
［０１６７］
識別された送信の総追加電力が計算された残りの電力以下である場合、ＵＥは、１１７５において、残りの電力値を更新し、１１４５において開始する動作を反復してもよい。ＵＥは、残りの電力の値から総追加電力を減算することにより、残りの電力値を更新してもよく、したがって、識別された送信を加算した後に残される残りの電力の更新された値を提供する。
【０１５２】
［０１６８］
識別された送信の総追加電力が計算された残りの電力より大きい場合、ＵＥは、１１８０において、残りの電力に等しくなるように、識別された送信の電力をスケーリングしてもよい。例えば、ＵＥは、残りの電力と総追加電力との間の比としてスケーリングファクタを適用し、スケーリングされた電力を新しく追加される送信に適用してもよい。その後、ＵＥは、１１５０において開始する動作を実行してもよい。代替的に、ＵＥは、より低い優先度の進行中の送信のうちの１つ以上をドロップすることを決めてもよい。このようなケースでは、ＵＥにおいてＲＦチェーンを共有する進行中の送信は、一緒にドロップされるかもしれない。このようなドロップは、シンボルｉにおいて開始するより高い優先度の送信により使用されるかもしれない追加の残りの電力を提供するかもしれない。
【０１５３】
［０１６９］
方法１１００を使用する例では、電力制御はシンボルごとに実行してもよく、各シンボルにおいて、ＵＥは、電力バジェットに基づいて、送信を含めることを決めてもよい。この例では、進行中の送信は、以前のシンボル中のものと同じ電力レベルで常に含まれ、現在のシンボル中で開始する新たな送信は、優先順位にしたがって追加される。すべての利用可能な電力を使用するために、電力バジェットに適合するように、新たに含まれる送信に電力スケーリングを適用してもよい。
【０１５４】
［０１７０］
図１２は、本開示のさまざまな態様にしたがう、ワイヤレス通信においてキャリアアグリゲーションを使用して電力制御するための技法をサポートする方法１２００の例を示す。いくつかの例では、方法１２００は、ワイヤレス通信システム１００または２００の態様を実現してもよい。上述のように、いくつかのケースでは、電力スケーリングのために送信および優先度を選択するためのタイムラインベースのルールが、ＵＥにおいて実現されてもよく、タイムラインベースのルールでは、チャネルタイプ（例えば、ＰＵＣＣＨ、ＰＵＳＣＨ）に、送信が伝えるアップリンク制御情報（ＵＣＩ）のタイプ（例えば、ＨＡＲＱフィードバック情報、ＳＲ情報などが、より高い優先度を有しているかもしれない）に、送信が進行中であるかまたは新たな送信であるか否かに、あるいは、これらの組み合わせに依存して、送信（またはチャネル）に優先度レベルを割り当ててもよい。いくつかのケースでは、オーバーラップする送信の総送信電力が最大送信電力しきい値を超える場合には、より低い優先度の送信を電力スケーリングしてもよい。
【０１５５】
［０１７１］
この例では、１２０５において、ＵＥおよび基地局は接続確立を行い、ＵＥは、コンフィギュレーション情報を受信してもよい。いくつかのケースでは、コンフィギュレーション情報は、ＵＥからのアップリンク送信のために使用してもよい２つ以上のＣＣに対する情報を含んでいてもよい。いくつかのケースでは、ＵＥは、異なるＣＣ上の送信に対するＵＥ能力を識別してもよい。このような能力は、例えば、ＵＥが、異なる開始時間、異なる停止時間、異なる持続時間、または、これらの組み合わせを有する異なるＣＣ上でオーバーラップする送信を送信できるか否かを含んでいてもよい。能力はまた、ＵＥが、帯域間ＣＣ、帯域内非連続ＣＣ、または、帯域内連続ＣＣをサポートできるか否かを含んでいてもよい。いくつかのケースでは、ＵＥの能力は、ＵＥにおいて予め構成されていてもよい。他のケースでは、ＵＥの能力は、特定の時間においてアクティブ／処理されるかもしれない送信／受信チェーンの数を制限するかもしれない熱条件、ＵＥにおけるバッテリレベルまたは電力節約モード、あるいは、ＵＥにおける他の条件のような、ＵＥにおける条件に依存していてもよい。
【０１５６】
［０１７２］
１２１０において、ＵＥは、複数のＣＣ上でのアップリンク送信に対する許可を受信してもよい。いくつかのケースでは、基地局は、ＵＥ能力に基づいて、ＵＥにおける送信をスケジュールし、ＵＥに送信されるダウンリンク制御情報（ＤＣＩ）を介してＵＥに許可を提供してもよい。
【０１５７】
［０１７３］
１２１５において、ＵＥは、ＵＥがアップリンク送信に対する電力スケーリングを実行してもよいように、スロットに到達したより前の時間であるか否かを決定してもよい。ＵＥは、図９に関して上記で説明したように、ＵＥにおけるタイムラインコンフィギュレーションに基づいて、このような決定を行ってもよい。スロットにまだ到達していない前の時間である場合、１２１０の動作が継続されてもよい。
【０１５８】
［０１７４］
スロットに到達する前の時間である場合、１２２０において、ＵＥは、スロットに対する総送信電力が最大送信電力しきい値（Ｐｃｍａｘ）を超えるか否かを決定してもよい。いくつかのケースでは、ＵＥは、受信したアップリンク許可中で示されるオーバーラップする送信に対する送信電力をアグリゲートして、スロットに対する総送信電力を計算してもよく、そして、総送信電力を最大送信電力しきい値と比較してもよい。
【０１５９】
［０１７５］
総送信電力が最大送信電力しきい値よりも大きい場合、ＵＥは、１２２５において、アップリンク送信のうちの１つ以上の送信電力をスケーリングしてもよい。いくつかのケースでは、ＵＥは、図９に関して上述したように、アップリンク送信の優先順位に基づいて、送信電力をスケーリングしてもよく、より高い優先度のアップリンク送信は、電力スケーリングをほとんどまたはまったく有さず、より低い優先度のアップリンク送信は、より多くの電力スケーリングを有する。
【０１６０】
［０１７６］
電力スケーリングの後、または、１２２０において、総送信電力が最大送信電力しきい値よりも大きくないことが決定された場合、ＵＥは、１２３０において、何らかの追加の許可が受信されているか否かを決定してもよい。いくつかのケースでは、基地局は、１２１５において識別された時間の後に、アップリンク許可を提供してもよい。このようなケースでは、ＵＥは、電力スケーリング計算においてこのようなアップリンク送信を使用できないかもしれない。追加の許可が受信されない場合、１２３５で示されるように、ＵＥは、ＣＣ上でアップリンク送信を送信してもよい。
【０１６１】
［０１７７］
追加の許可が受信されている場合、ＵＥは、１２４０において、追加の許可の送信電力を含む総送信電力が最大送信電力しきい値よりも大きいか否かを決定してもよい。いくつかのケースでは、ＵＥは、追加の許可に関係する送信電力を総送信電力またはスケーリングされた送信電力に追加し、更新された総送信電力を最大送信電力しきい値と比較してもよい。
【０１６２】
［０１７８］
１２４０において、追加の許可の送信電力を含む総送信電力が最大送信電力しきい値よりも大きいことが決定された場合、ＵＥは、１２４５において、追加の許可をドロップしてもよい。
【０１６３】
［０１７９］
追加の許可の送信電力を含む総送信電力が最大送信電力しきい値より大きくないことが１２４０において決定された場合、または、追加の許可が１２３０において受信されていなかった場合、ＵＥは、１２３５に示すように、ＣＣ上でアップリンク送信を送信してもよい。アップリンク送信は、アップリンク許可中に示されているような、ＣＣのアップリンクリソースを使用して送信されてもよく、ここで説明するような技法にしたがって、スケーリングされていてもよい送信電力を使用してもよい。
【０１６４】
［０１８０］
図１３は、本開示の態様にしたがう、ワイヤレス通信においてキャリアアグリゲーションを使用して電力制御するための技法をサポートするワイヤレスデバイス１３０５のブロック図１３００を示す。ワイヤレスデバイス１３０５は、ここで説明するようなユーザ機器（ＵＥ）１１５の態様の例であってもよい。ワイヤレスデバイス１３０５は、受信機１３１０と、ＵＥ通信マネージャー１３１５と、送信機１３２０とを含んでいてもよい。ワイヤレスデバイス１３０５はまた、プロセッサを含んでいてもよい。これらのコンポーネントのそれぞれは、（例えば、１つ以上のバスを介して）他のものと通信してもよい。
【０１６５】
［０１８１］
受信機１３１０は、パケット、ユーザデータ、または、さまざまな情報チャネル（例えば、制御チャネル、データチャネル、および、ワイヤレス通信においてキャリアアグリゲーションを使用して電力制御するための技法に関連する情報など）に関係する制御情報のような、情報を受信してもよい。情報は、デバイスの他のコンポーネントに渡されてもよい。受信機１３１０は、図１６を参照して説明するトランシーバ１６３５の態様の例であってもよい。受信機１３１０は、単一のアンテナまたはアンテナのセットを利用してもよい。
【０１６６】
［０１８２］
ＵＥ通信マネージャー１３１５は、図１６を参照して説明するＵＥ通信マネージャー１６１５の態様の例であってもよい。
【０１６７】
［０１８３］
ＵＥ通信マネージャー１３１５および／またはそのさまざまなサブコンポーネントのうちの少なくともいくつかは、ハードウェア、プロセッサにより実行されるソフトウェア、ファームウェア、または、これらの任意の組み合わせで実現してもよい。プロセッサにより実行されるソフトウェアで実現される場合、ＵＥ通信マネージャー１３１５の機能、および／または、そのさまざまなサブコンポーネントの少なくともいくつかの機能は、汎用プロセッサ、デジタル信号プロセッサ（ＤＳＰ）、特定用途向け集積回路（ＡＳＩＣ）、フィールドプログラマブルゲートアレイ（ＦＰＧＡ）、あるいは、他のプログラマブル論理デバイス、ディスクリートゲートまたはトランジスタ論理、ディスクリートハードウェアコンポーネント、あるいは、本開示で説明する機能を実行するように設計されているこれらの任意の組み合わせにより実行してもよい。ＵＥ通信マネージャー１３１５および／またはそのさまざまなサブコンポーネントのうちの少なくともいくつかは、機能の一部が、１つ以上の物理デバイスにより異なる物理的位置において実現されるように分散されることを含む、さまざまな位置に物理的に位置していてもよい。いくつかの例では、ＵＥ通信マネージャー１３１５および／またはそのさまざまなサブコンポーネントのうちの少なくともいくつかは、本開示のさまざまな態様にしたがう、別個の異なるコンポーネントであってもよい。他の例では、ＵＥ通信マネージャー１３１５および／またはそのさまざまなサブコンポーネントのうちの少なくともいくつかは、本開示のさまざまな態様にしたがう、限定はしないが、Ｉ／Ｏコンポーネント、トランシーバ、ネットワークサーバ、別のコンピューティングデバイス、本開示で説明する１つ以上の他のコンポーネント、または、これらの組み合わせを含む、１つ以上の他のハードウェアコンポーネントと組み合わせてもよい。
【０１６８】
［０１８４］
いくつかのケースでは、ＵＥ通信マネージャー１３１５は、基地局との接続を確立し、接続はＴＡＧ内で２つ以上のＣＣをサポートし、ＵＥにおいて、異なるＣＣ上に異なる開始時間または持続時間を有する送信をサポートするための能力を識別し、能力の表示を基地局に送信してもよい。
【０１６９】
［０１８５］
追加的または代替的に、ＵＥ通信マネージャー１３１５は、追加的または代替的に、基地局との接続を確立し、接続は異なるＴＡＧ内で２つ以上のＣＣをサポートし、ＵＥにおいて、第１のＴＡＧの第１のＣＣ上での新たな送信が、第２のＴＡＧの第２のＣＣ上での既存の送信の最後の部分とオーバーラップすることがある、電力制御制限から免除される時間の量に対応するオーバーラップしきい値を識別し、オーバーラップしきい値の表示を基地局に送信してもよい。
【０１７０】
［０１８６］
追加的または代替的に、ＵＥ通信マネージャー１３１５は、基地局との接続を確立し、接続は２つ以上のＣＣをサポートし、スロット間の２つ以上のＣＣ上でのアップリンク送信のセットに対するアップリンクリソースの許可のセットを受信し、アップリンク送信のセットを送信する送信電力が、スロットの少なくとも一部分の間に、ＵＥに対する最大電力しきい値を超えることを決定し、アップリンク送信のセットのうちの第１のアップリンク送信の少なくとも一部分をドロップし、結果的な送信電力は最大電力しきい値以下となり、ＣＣのうちの１つ以上を使用して、スロット間に、アップリンク送信のセットのうちの残りのアップリンク送信を送信してもよい。
【０１７１】
［０１８７］
追加的または代替的に、ＵＥ通信マネージャー１３１５は、基地局との接続を確立し、接続は２つ以上のＣＣをサポートし、スロット間の２つ以上のＣＣ上でのアップリンク送信のセットに対するアップリンクリソースの許可のセットを受信し、許可のセットは、スロットの開始に先立って、少なくとも予め定められた時間に受信され、アップリンク送信のセットを送信する送信電力が、スロットの少なくとも一部分の間に、ＵＥに対する最大電力しきい値を超えることを決定し、アップリンク送信のセットの少なくともサブセットの送信電力をスケーリングして、送信電力が最大電力しきい値以下であることを提供し、ＣＣのうちの１つ以上を使用して、スロット間に、アップリンク送信のセットを送信してもよい。
【０１７２】
［０１８８］
追加的または代替的に、ＵＥ通信マネージャー１３１５は、基地局との接続を確立し、接続は２つ以上コンポーネント搬送波（ＣＣ）をサポートし、スロット間の２つ以上のＣＣ上でのアップリンク送信のセットに対するアップリンクリソースの許可のセットを受信し、許可のセットは、スロットの開始に先立って、少なくとも予め定められた時間に受信され、第１のアップリンク送信とオーバーラップする、アップリンク送信のセットのうちの第２のアップリンク送信の第２の優先度よりも少なくとも高い第１の優先度を有する、アップリンク送信のセットのうちの第１のアップリンク送信を識別し、第１のアップリンク送信の第１の送信電力を決定し、ＵＥのアグリゲート送信電力が最大電力しきい値以下であるように、第２のアップリンク送信の第２の送信電力をスケーリングし、２つ以上のＣＣを使用して、スロット間に、アップリンク送信のセットを送信してもよい。
【０１７３】
［０１８９］
送信機１３２０は、デバイスの他のコンポーネントにより発生される信号を送信してもよい。いくつかの例では、送信機１３２０は、トランシーバモジュール中の受信機１３１０とコロケートさせてもよい。例えば、送信機１３２０は、図１６を参照して説明するトランシーバ１６３５の態様の例であってもよい。送信機１３２０は、単一のアンテナまたはアンテナのセットを利用してもよい。
【０１７４】
［０１９０］
図１４は、本開示の態様にしたがう、ワイヤレス通信においてキャリアアグリゲーションを使用して電力制御するための技法をサポートするワイヤレスデバイス１４０５のブロック図１４００を示す。ワイヤレスデバイス１４０５は、図１３を参照して説明したように、ワイヤレスデバイス１３０５またはＵＥ１１５の態様の例であってもよい。ワイヤレスデバイス１４０５は、受信機１４１０と、ＵＥ通信マネージャー１４１５と、送信機１４２０とを含んでいてもよい。ワイヤレスデバイス１４０５はまた、プロセッサを含んでいてもよい。これらのコンポーネントのそれぞれは、（例えば、１つ以上のバスを介して）互いに通信してもよい。
【０１７５】
［０１９１］
受信機１４１０は、パケット、ユーザデータ、または、さまざまな情報チャネル（例えば、制御チャネル、データチャネル、および、ワイヤレス通信においてキャリアアグリゲーションを使用して電力制御するための技法に関連する情報など）に関係する制御情報のような、情報を受信してもよい。情報は、デバイスの他のコンポーネントに渡されてもよい。受信機１４１０は、図１６を参照して説明するトランシーバ１６３５の態様の例であってもよい。受信機１４１０は、単一のアンテナまたはアンテナのセットを利用してもよい。
【０１７６】
［０１９２］
ＵＥ通信マネージャー１４１５は、図１６を参照して説明するＵＥ通信マネージャー１６１５の態様の例であってもよい。ＵＥ通信マネージャー１４１５はまた、接続確立コンポーネント１４２５と、ＣＣ能力コンポーネント１４３０と、タイミングアドバンスマネージャー１４３５と、アップリンク送信マネージャー１４４０と、送信電力制御マネージャー１４４５とを含んでいてもよい。
【０１７７】
［０１９３］
接続確立コンポーネント１４２５は、基地局との接続を確立してもよく、接続はＴＡＧ内で２つ以上のＣＣをサポートする。いくつかのケースでは、接続確立コンポーネント１４２５は、基地局との接続を確立してもよく、接続は異なるＴＡＧ内で２つ以上のＣＣをサポートする。
【０１７８】
［０１９４］
ＣＣ能力コンポーネント１４３０は、異なるＣＣ上に異なる開始時間または持続時間を有する送信をサポートするための能力を識別し、能力の表示を基地局に送信してもよい。いくつかのケースでは、識別することは、異なる周波数帯域のセットまたは異なる周波数帯域の組み合わせのそれぞれに対する異なる開始時間または持続時間を有する送信をサポートするための能力を識別することを含んでいる。いくつかのケースでは、異なる周波数帯域のセットまたは異なる周波数帯域の組み合わせのそれぞれに対する異なる開始時間または持続時間をサポートするための能力は、ＵＥにおける送信のために利用可能なＲＦチェーンの数に基づいて決定される。いくつかのケースでは、異なる周波数帯域のセットまたは異なる周波数帯域の組み合わせは、ＵＥにおけるＲＦチェーン当たりの帯域内連続搬送波周波数を含んでいる。いくつかのケースでは、異なる周波数帯域のセットまたは異なる周波数帯域の組み合わせは、ＵＥにおける複数のＲＦチェーンに対する帯域内非連続または帯域間搬送波周波数を含んでいる。
【０１７９】
［０１９５］
タイミングアドバンスマネージャー１４３５は、第１のＴＡＧの第１のＣＣ上での新たな送信が、第２のＴＡＧの第２のＣＣ上での既存の送信の最後の部分とオーバーラップすることがある、電力制御制限から免除される時間の量に対応するオーバーラップしきい値を識別し、オーバーラップしきい値の表示を基地局に送信し、第１のＣＣと第２のＣＣとの間のタイミング差がオーバーラップしきい値を超えるか否かを決定してもよい。いくつかのケースでは、オーバーラップしきい値は、ＣＣのうちの１つ以上における送信の開始または終了に適用される。いくつかのケースでは、タイミング差がオーバーラップしきい値を超える場合、ここで提供される技法にしたがって、１つ以上のＣＣの１つ以上の送信をドロップしてもよい。
【０１８０】
［０１９６］
アップリンク送信マネージャー１４４０は、第１のＣＣおよび第２のＣＣ上でのアップリンク送信に対するアップリンクリソースの許可を受信してもよい。いくつかのケースでは、アップリンク送信マネージャー１４４０は、スロット間の２つ以上のＣＣ上でのアップリンク送信のセットに対するアップリンクリソースの許可のセットを受信してもよい。いくつかのケースでは、アップリンク送信マネージャー１４４０は、ここで説明するような送信ドロップ技法に基づいて、ＣＣのうちの１つ以上を使用して、スロット間に、アップリンク送信のセットのうちのアップリンク送信を送信してもよい。いくつかのケースでは、アップリンク送信マネージャー１４４０は、第１のシンボルに先行する送信開始時間を有する、オーバーラップするアップリンク送信のセットの第１のサブセットと、第１のシンボルにおいて開始する、オーバーラップするアップリンク送信のセットの第２のサブセットとを識別してもよく、いくつかのケースでは、このようなアップリンク送信には、より高い優先度が与えられる。
【０１８１】
［０１９７］
いくつかのケースでは、アップリンク送信マネージャー１４４０は、スロット間の２つ以上のＣＣ上でのアップリンク送信のセットに対するアップリンクリソースの許可のセットを受信してもよく、許可のセットは、スロットの開始に先立って、少なくとも予め定められている時間に受信される。いくつかのケースでは、アップリンク送信マネージャー１４４０は、予め定められた時間の後かつスロットの開始の前に、追加のアップリンク送信に対する追加の許可を受信し、追加のアップリンク送信がＵＥのアグリゲート送信電力を最大電力しきい値より上に増加させることにならないとの決定に応答して、追加のアップリンク送信を送信してもよい。いくつかのケースでは、最後の制御情報送信とスロットの開始との間の時間ギャップは、アップリンク送信のセットのうちの１つ以上を使用して送信されるべきアップリンク情報に基づいている。いくつかのケースでは、２つ以上のＣＣのうちの第１のＣＣは、２つ以上のＣＣのうちの少なくとも第２のＣＣ以外の異なるシンボル持続時間を有し、許可のセットのうちの少なくとも１つを含む最後の制御情報送信は、第１のＣＣおよび第２のＣＣのために別個にシグナリングされる。
【０１８２】
［０１９８］
送信電力制御マネージャー１４４５は、ここで提供される技法にしたがって、送信電力およびドロップされるべきである送信を決定してもよい。いくつかのケースでは、送信電力制御マネージャー１４４５は、アップリンク送信のセットを送信する送信電力が、スロットの少なくとも一部分の間に、ＵＥに対する最大電力しきい値を超えることを決定してもよく、アップリンク送信のセットのうちの少なくとも第１のアップリンク送信をドロップしてもよく、結果的に得られる送信電力は、最大電力しきい値以下である。いくつかのケースでは、送信電力制御マネージャー１４４５は、第１のアップリンク送信が、２つ以上のオーバーラップするアップリンク送信のうちの他のものの優先度よりも低い優先度を有することに基づいて、第１のアップリンク送信をドロップしてもよい。
【０１８３】
［０１９９］
いくつかのケースでは、送信電力制御マネージャー１４４５は、第１のアップリンク送信が、最大電力しきい値と、第１のアップリンク送信とオーバーラップしている、アップリンク送信のセットのうちの他のもののアグリゲート電力との間の差以上である、関係する第１のアップリンク送信電力を有することを決定し、このような決定に基づいて、第１のアップリンク送信をドロップしてもよい。いくつかのケースでは、送信電力制御マネージャー１４４５は、オーバーラップするアップリンク送信がＵＥに対する最大電力しきい値を超えるアグリゲート送信電力を有するスロットの第１のシンボルを識別し、進行中の送信である、オーバーラップするアップリンク送信のうちの１つ以上のアップリンク送信を識別し、進行中の送信をより高い優先度を有するように設定してもよい。
【０１８４】
［０２００］
いくつかのケースでは、送信電力制御マネージャー１４４５は、第１のＣＣおよび第２のＣＣが、結果的に送信のオーバーラップする部分となるタイミングアドバンス（ＴＡ）を有することを決定し、ＴＡのタイミング差に基づいて、第１のＣＣまたは第２のＣＣのうちの一方または両方のアップリンク送信を修正してもよい。いくつかのケースでは、修正することは、連続スロット間のスロット境界において終了する第１のＣＣ送信をドロップすること、スロット境界において開始する第２のＣＣ送信をドロップすること、第１のＣＣ送信、第２のＣＣ送信、または、その両方の送信電力を低減させること、第１のＣＣ送信の最後のシンボルをドロップすること、または、第２のＣＣ送信の最初のシンボルをドロップすることとのうちの１つを含んでいる。
【０１８５】
［０２０１］
いくつかのケースでは、送信電力制御マネージャー１４４５は、最大電力しきい値を超える多数のオーバーラップする送信を有するシンボルから、ドロップされるべき送信を反復的に識別し、第１のアップリンク送信は、ドロップされるかもしれないアップリンク送信のサブセットの中で最小電力を有することを決定し、第１のアップリンク送信をドロップしてもよい。いくつかのケースでは、ドロップされるかもしれない２つ以上のアップリンク送信が識別される場合、送信電力制御マネージャー１４４５は、ドロップされるべきアップリンク送信のうちの１つをランダムに選択してもよい。いくつかのケースでは、決定することおよびドロップすることは、スロット間の送信のためにアップリンク送信のセットをフォーマットするときに、シンボルごとに実行される。
【０１８６】
［０２０２］
いくつかのケースでは、送信電力制御マネージャー１４４５は、アップリンク送信のセットが最大電力しきい値を超えることを決定したことに応答して、１つ以上のオーバーラップするアップリンク送信の送信電力をスケーリングしてもよい。いくつかのケースでは、送信電力制御マネージャー１４４５は、電力制御機能の後に、追加のアップリンク許可が受信されることを識別し、追加のアップリンク送信がＵＥのアグリゲート送信電力を最大電力しきい値より上に増加させることになるとの決定に応答して、追加のアップリンク送信をドロップしてもよい。
【０１８７】
［０２０３］
いくつかのケースでは、送信電力制御マネージャー１４４５は、第１のアップリンク送信の第１の送信電力と第２のアップリンク送信の第２の送信電力とを決定し、ＵＥのアグリゲート送信電力と最大電力しきい値との間の残りの電力を決定し、第１のアップリンク送信および第２のアップリンク送信とオーバーラップし、第１の優先度および第２の優先度よりも低い優先度を有する第３のアップリンク送信を識別し、残りの電力を第３のアップリンク送信に割り振ってもよい。いくつかのケースでは、許可のセットを受信するための予め定められた時間は、予め構成されるかまたは基地局とＵＥとの間でシグナリングされる。いくつかのケースでは、許可のセットを受信するための予め定められた時間は、ＵＥの能力に基づいている。いくつかのケースでは、スロット間のアップリンク送信の各シンボルは、同じ送信電力を有する。
【０１８８】
［０２０４］
送信機１４２０は、デバイスの他のコンポーネントにより発生される信号を送信してもよい。いくつかの例では、送信機１４２０は、トランシーバモジュール中の受信機１４１０とコロケートさせてもよい。例えば、送信機１４２０は、図１６を参照して説明するトランシーバ１６３５の態様の例であってもよい。送信機１４２０は、単一のアンテナまたはアンテナのセットを利用してもよい。
【０１８９】
［０２０５］
図１５は、本開示の態様にしたがう、ワイヤレス通信においてキャリアアグリゲーションを使用して電力制御するための技法をサポートするＵＥ通信マネージャー１５１５のブロック図１５００を示す。ＵＥ通信マネージャー１５１５は、図１３、図１４、および、図１６を参照して説明するＵＥ通信マネージャー１３１５、ＵＥ通信マネージャー１４１５、または、ＵＥ通信マネージャー１６１５の態様の例であってもよい。ＵＥ通信マネージャー１５１５は、接続確立コンポーネント１５２０と、ＣＣ能力コンポーネント１５２５と、タイミングアドバンスマネージャー１５３０と、アップリンク送信マネージャー１５３５と、送信電力制御マネージャー１５４０と、優先度識別コンポーネント１５４５と、電力スケーリングコンポーネント１５５０と、送信バンドリングコンポーネント１５５５とを含んでいてもよい。これらのモジュールのそれぞれは、直接的にまたは間接的に（例えば、１つ以上のバスを介して）互いに通信してもよい。
【０１９０】
［０２０６］
接続確立コンポーネント１５２０は、基地局との接続を確立してもよく、接続はＴＡＧ内で２つ以上のＣＣをサポートする。いくつかのケースでは、接続確立コンポーネント１５２０は、基地局との接続を確立してもよく、接続は異なるＴＡＧ内で２つ以上のＣＣをサポートする。
【０１９１】
［０２０７］
ＣＣ能力コンポーネント１５２５は、異なるＣＣ上に異なる開始時間または持続時間を有する送信をサポートするための能力を識別し、能力の表示を基地局に送信してもよい。いくつかのケースでは、識別することは、異なる周波数帯域のセットまたは異なる周波数帯域の組み合わせのそれぞれに対する異なる開始時間または持続時間を有する送信をサポートするための能力を識別することを含んでいる。いくつかのケースでは、異なる周波数帯域のセットまたは異なる周波数帯域の組み合わせのそれぞれに対する異なる開始時間または持続時間をサポートするための能力は、ＵＥにおける送信のために利用可能なＲＦチェーンの数に基づいて決定される。いくつかのケースでは、異なる周波数帯域のセットまたは異なる周波数帯域の組み合わせは、ＵＥにおけるＲＦチェーン当たりの帯域内連続搬送波周波数を含んでいる。いくつかのケースでは、異なる周波数帯域のセットまたは異なる周波数帯域の組み合わせは、ＵＥにおける複数のＲＦチェーンに対する帯域内非連続または帯域間搬送波周波数を含んでいる。
【０１９２】
［０２０８］
タイミングアドバンスマネージャー１５３０は、第１のＴＡＧの第１のＣＣ上での新たな送信が、第２のＴＡＧの第２のＣＣ上での既存の送信の最後の部分とオーバーラップすることがある、電力制御制限から免除される時間の量に対応するオーバーラップしきい値を識別し、オーバーラップしきい値の表示を基地局に送信し、第１のＣＣと第２のＣＣとの間のタイミング差がオーバーラップしきい値を超えるか否かを決定してもよい。いくつかのケースでは、オーバーラップしきい値は、ＣＣのうちの１つ以上における送信の開始または終了に適用される。いくつかのケースでは、タイミング差がオーバーラップしきい値を超える場合、ここで提供される技法にしたがって、１つ以上のＣＣの１つ以上の送信をドロップしてもよい。
【０１９３】
［０２０９］
アップリンク送信マネージャー１５３５は、第１のＣＣおよび第２のＣＣ上でのアップリンク送信に対するアップリンクリソースの許可を受信してもよい。いくつかのケースでは、アップリンク送信マネージャー１５３５は、スロット間の２つ以上のＣＣ上でのアップリンク送信のセットに対するアップリンクリソースの許可のセットを受信してもよい。いくつかのケースでは、アップリンク送信マネージャー１５３５は、ここで説明するような送信ドロップ技法に基づいて、ＣＣのうちの１つ以上を使用して、スロット間に、アップリンク送信のセットのうちのアップリンク送信を送信してもよい。いくつかのケースでは、アップリンク送信マネージャー１５３５は、第１のシンボルに先行する送信開始時間を有する、オーバーラップするアップリンク送信のセットの第１のサブセットと、第１のシンボルにおいて開始する、オーバーラップするアップリンク送信のセットの第２のサブセットとを識別してもよく、いくつかのケースでは、このようなアップリンク送信には、より高い優先度が与えられる。
【０１９４】
［０２１０］
送信電力制御マネージャー１５４０は、ここで提供される技法にしたがって、送信電力およびドロップされるべき送信を決定してもよい。いくつかのケースでは、送信電力制御マネージャー１５４０は、アップリンク送信のセットを送信する送信電力が、スロットの少なくとも一部分の間に、ＵＥに対する最大電力しきい値を超えることを決定してもよく、アップリンク送信のセットのうちの少なくとも第１のアップリンク送信をドロップしてもよく、結果的に得られる送信電力は、最大電力しきい値以下である。いくつかのケースでは、送信電力制御マネージャー１５４０は、第１のアップリンク送信が、２つ以上のオーバーラップするアップリンク送信のうちの他のものの優先度よりも低い優先度を有することに基づいて、第１のアップリンク送信をドロップしてもよい。
【０１９５】
［０２１１］
いくつかのケースでは、送信電力制御マネージャー１５４０は、第１のアップリンク送信が、最大電力しきい値と、第１のアップリンク送信とオーバーラップしているアップリンク送信のセットのうちの他のもののアグリゲート送信電力との差以上である、関係する第１のアップリンク送信電力を有していることを決定し、このような決定に基づいて、第１のアップリンク送信をドロップしてもよい。いくつかのケースでは、送信電力制御マネージャー１５４０は、オーバーラップするアップリンク送信がＵＥに対する最大電力しきい値を超えるアグリゲート送信電力を有するスロットの第１のシンボルを識別し、進行中の送信である、オーバーラップするアップリンク送信のうちの１つ以上のアップリンク送信を識別し、進行中の送信をより高い優先度を有するように設定してもよい。
【０１９６】
［０２１２］
いくつかのケースでは、送信電力制御マネージャー１５４０は、第１のＣＣおよび第２のＣＣが、結果的に送信のオーバーラップする部分となるタイミングアドバンス（ＴＡ）を有することを決定し、ＴＡのタイミング差に基づいて、第１のＣＣまたは第２のＣＣのうちの一方または両方のアップリンク送信を修正してもよい。いくつかのケースでは、修正することは、連続スロット間のスロット境界において終了する第１のＣＣ送信をドロップすること、スロット境界において開始する第２のＣＣ送信をドロップすること、第１のＣＣ送信、第２のＣＣ送信、または、その両方の送信電力を低減させること、第１のＣＣ送信の最後のシンボルをドロップすること、または、第２のＣＣ送信の最初のシンボルをドロップすることとのうちの１つを含んでいる。
【０１９７】
［０２１３］
いくつかのケースでは、送信電力制御マネージャー１５４０は、最大電力しきい値を超える多数のオーバーラップする送信を有するシンボルから、ドロップされるべき送信を反復的に識別し、第１のアップリンク送信は、ドロップされるかもしれないアップリンク送信のサブセットの中で最小電力を有することを決定し、第１のアップリンク送信をドロップしてもよい。いくつかのケースでは、ドロップされるかもしれない２つ以上のアップリンク送信が識別される場合、送信電力制御マネージャー１５４０は、ドロップされるべきアップリンク送信のうちの１つをランダムに選択してもよい。いくつかのケースでは、決定することおよびドロップすることは、スロット間の送信のためにアップリンク送信のセットをフォーマットするときに、シンボルごとに実行される。
【０１９８】
［０２１４］
いくつかのケースでは、送信電力制御マネージャー１５４０は、アップリンク送信のセットが最大電力しきい値を超えることを決定したことに応答して、１つ以上のオーバーラップするアップリンク送信の送信電力をスケーリングしてもよい。いくつかのケースでは、送信電力制御マネージャー１５４０は、電力制御機能の後に、追加のアップリンク許可が受信されることを識別し、追加のアップリンク送信がＵＥのアグリゲート送信電力を最大電力しきい値より上に増加させることになるとの決定に応答して、追加のアップリンク送信をドロップしてもよい。
【０１９９】
［０２１５］
いくつかのケースでは、送信電力制御マネージャー１５４０は、第１のアップリンク送信の第１の送信電力と第２のアップリンク送信の第２の送信電力とを決定し、ＵＥのアグリゲート送信電力と最大電力しきい値との間の残りの電力を決定し、第１のアップリンク送信および第２のアップリンク送信とオーバーラップし、第１の優先度および第２の優先度よりも低い優先度を有する第３のアップリンク送信を識別し、残りの電力を第３のアップリンク送信に割り振ってもよい。いくつかのケースでは、許可のセットを受信するための予め定められた時間は、予め構成されるかまたは基地局とＵＥとの間でシグナリングされる。いくつかのケースでは、許可のセットを受信するための予め定められた時間は、ＵＥの能力に基づいている。いくつかのケースでは、スロット間のアップリンク送信の各シンボルは、同じ送信電力を有する。
【０２００】
［０２１６］
優先度識別コンポーネント１５４５は、第１のＣＣ送信および第２のＣＣ送信のそれぞれに関係する優先度に基づいて、ドロップされるべきまたは低減された電力で送信されるべき、第１のＣＣ送信または第２のＣＣ送信を選択してもよい。いくつかのケースでは、選択は、最大電力しきい値を超えるアグリゲート電力を有する２つ以上のオーバーラップするアップリンク送信に関係する識別された優先度、または、アップリンク送信のセットの１つ以上の他のサブセットの第２の優先度よりも少なくとも低い第１の優先度を有する、アップリンク送信のセットのバンドルアップリンク送信の識別された第１のサブセット、のうちの１つ以上に基づいていてもよい。
【０２０１】
［０２１７］
電力スケーリングコンポーネント１５５０は、ＵＥの送信電力が最大電力しきい値以下であるように、少なくとも１つのアップリンク送信の送信電力をスケーリングしてもよい。いくつかのケースでは、最大電力しきい値とアグリゲート送信電力との間の差に対応するように、１つ以上のアップリンク送信の送信電力をスケーリングしてもよい。
【０２０２】
［０２１８］
いくつかのケースでは、電力スケーリングコンポーネント１５５０は、アップリンク送信のセットの少なくともサブセットの送信電力をスケーリングして、送信電力が最大電力しきい値以下であることを提供してもよい。いくつかのケースでは、送信電力のスケーリングは、スロットに関係する最後の制御情報送信の後の開始時間とスロットの開始の境界における終了時間とを有する時間期間の間に実行される。いくつかのケースでは、ＵＥのアグリゲート送信電力が最大電力しきい値以下であるように、ＵＥは、同じ優先度を有する１つより多いアップリンク送信をさらにスケーリングする。
【０２０３】
［０２１９］
送信バンドリングコンポーネント１５５５は、異なるＴＡＧの１つ以上の送信をバンドルしてもよい。いくつかのケースでは、アップリンク送信のセットは、第１のＴＡＧのアップリンク送信の第１のサブセットと、第２のＴＡＧのアップリンク送信の第２のサブセットとを含み、ＵＥは、アップリンク送信の第１のサブセットをアップリンク送信の第１のバンドルサブセットにバンドルし、アップリンク送信の第２のサブセットをアップリンク送信の第２のバンドルサブセットにバンドルする。送信のドロップのような電力制御技法は、アップリンク送信のバンドルサブセットに基づいて実行してもよく、バンドルサブセットの優先度は、サブセット中の送信の最高の優先度であるように設定してもよい。
【０２０４】
［０２２０］
図１６は、本開示の態様にしたがう、ワイヤレス通信においてキャリアアグリゲーションを使用して電力制御するための技法をサポートするデバイス１６０５を含むシステム１６００の図を示す。デバイス１６０５は、例えば、図１３および図１４を参照して上記で説明したように、ワイヤレスデバイス１３０５の、ワイヤレスデバイス１４０５の、または、ＵＥ１１５のコンポーネントの例であってもよいか、または、これらを含んでいてもよい。デバイス１６０５は、ＵＥ通信マネージャー１６１５、プロセッサ１６２０、メモリ１６２５、ソフトウェア１６３０、トランシーバ１６３５、アンテナ１６４０、および、Ｉ／Ｏ制御装置１６４５を含む、通信を送信および受信するためのコンポーネントを含む、双方向音声およびデータ通信のためのコンポーネントを含んでいてもよい。これらのコンポーネントは、１つ以上のバス（例えば、バス１６１０）を介して電子通信してもよい。デバイス１６０５は、１つ以上の基地局１０５とワイヤレスに通信してもよい。
【０２０５】
［０２２１］
プロセッサ１６２０は、インテリジェントハードウェアデバイス（例えば、汎用プロセッサ、ＤＳＰ、中央処理ユニット（ＣＰＵ）、マイクロ制御装置、ＡＳＩＣ、ＦＰＧＡ、プログラマブル論理デバイス、ディスクリートゲートまたはトランジスタ論理コンポーネント、ディスクリートハードウェアコンポーネント、あるいは、これらの任意の組み合わせ）を含んでいてもよい。いくつかのケースでは、プロセッサ１６２０は、メモリ制御装置を使用して、メモリアレイを動作させるように構成されていてもよい。他のケースでは、メモリ制御装置は、プロセッサ１６２０に統合されていてもよい。プロセッサ１６２０は、メモリに記憶されているコンピュータ読取可能命令を実行して、さまざまな機能（例えば、ワイヤレス通信においてキャリアアグリゲーションを使用して電力制御するための技法をサポートする機能またはタスク）を実行するように構成されていてもよい。
【０２０６】
［０２２２］
メモリ１６２５は、ランダムアクセスメモリ（ＲＡＭ）およびリードオンリーメモリ（ＲＯＭ）を含んでいてもよい。メモリ１６２５は、実行されたとき、プロセッサに、ここで説明するさまざまな機能を実行させる命令を含む、コンピュータ読取可能、コンピュータ実行可能ソフトウェア１６３０を記憶していてもよい。いくつかのケースでは、メモリ１６２５は、とりわけ、周辺コンポーネントまたはデバイスとの対話のような、基本的なハードウェアまたはソフトウェア動作を制御してもよい基本入力／出力システム（ＢＩＯＳ）を含んでいてもよい。
【０２０７】
［０２２３］
ソフトウェア１６３０は、ワイヤレス通信においてキャリアアグリゲーションを使用して電力制御するための技法をサポートするためのコードを含む、本開示の態様を実現するためのコードを含んでいてもよい。ソフトウェア１６３０は、システムメモリまたは他のメモリのような、非一時的コンピュータ読取可能媒体に記憶されていてもよい。いくつかのケースでは、ソフトウェア１６３０は、プロセッサにより直接実行可能でなくてもよいが、（例えば、コンパイルされ実行されたときに）ここで説明する機能をコンピュータに実行させてもよい。
【０２０８】
［０２２４］
トランシーバ１６３５は、上述のように、１つ以上のアンテナ、有線リンク、または、ワイヤレスリンクを介して、双方向に通信してもよい。例えば、トランシーバ１６３５は、ワイヤレストランシーバを表していてもよく、別のワイヤレストランシーバと双方向に通信してもよい。トランシーバ１６３５はまた、パケットを変調し、変調されたパケットを送信のためにアンテナに提供し、アンテナから受け取ったパケットを復調するためのモデムを含んでいてもよい。
【０２０９】
［０２２５］
いくつかのケースでは、ワイヤレスデバイスは、単一のアンテナ１６４０を含んでいてもよい。しかしながら、いくつかのケースでは、デバイスは、複数のワイヤレス送信を同時に送信または受信することができてもよい、１本より多いアンテナ１６４０を有していてもよい。
【０２１０】
［０２２６］
Ｉ／Ｏ制御装置１６４５は、デバイス１６０５に対する入力信号および出力信号を管理してもよい。Ｉ／Ｏ制御装置１６４５はまた、デバイス１６０５に統合されていない周辺機器を管理してもよい。いくつかのケースでは、Ｉ／Ｏ制御装置１６４５は、外部の周辺機器への物理的な接続またはポートを表していてもよい。いくつかのケースでは、Ｉ／Ｏ制御装置１６４５は、ｉＯＳ（登録商標）、ＡＮＤＲＯＩＤ（登録商標）、ＭＳ−ＤＯＳ（登録商標）、ＭＳ−ＷＩＮＤＯＷＳ（登録商標）、ＯＳ／２（登録商標）、ＵＮＩＸ（登録商標）、ＬＩＮＵＸ（登録商標）、または、別の既知のオペレーティングシステムのような、オペレーティングシステムを利用してもよい。他のケースでは、Ｉ／Ｏ制御装置１６４５は、モデム、キーボード、マウス、タッチスクリーン、または、類似のデバイスを表してもよいか、または、これらと対話してもよい。いくつかのケースでは、Ｉ／Ｏ制御装置１６４５は、プロセッサの一部として実現してもよい。いくつかのケースでは、ユーザは、Ｉ／Ｏ制御装置１６４５を介して、または、Ｉ／Ｏ制御装置１６４５により制御されるハードウェアコンポーネントを介して、デバイス１６０５と対話してもよい。
【０２１１】
［０２２７］
図１７は、本開示の態様にしたがう、ワイヤレス通信においてキャリアアグリゲーションを使用して電力制御するための技法をサポートするワイヤレスデバイス１７０５のブロック図１７００を示す。ワイヤレスデバイス１７０５は、ここで説明するような基地局１０５の態様の例であってもよい。ワイヤレスデバイス１７０５は、受信機１７１０と、基地局通信マネージャー１７１５と、送信機１７２０とを含んでいてもよい。ワイヤレスデバイス１７０５はまた、プロセッサを含んでいてもよい。これらのコンポーネントのそれぞれは、（例えば、１つ以上のバスを介して）他のものと通信してもよい。
【０２１２】
［０２２８］
受信機１７１０は、パケット、ユーザデータ、または、さまざまな情報チャネル（例えば、制御チャネル、データチャネル、および、ワイヤレス通信においてキャリアアグリゲーションを使用して電力制御するための技法に関連する情報など）に関係する制御情報のような、情報を受信してもよい。情報は、デバイスの他のコンポーネントに渡されてもよい。受信機１７１０は、図２０を参照して説明するトランシーバ２０３５の態様の例であってもよい。受信機１７１０は、単一のアンテナまたはアンテナのセットを利用してもよい。
【０２１３】
［０２２９］
基地局通信マネージャー１７１５は、図２０を参照して説明する基地局通信マネージャー２０１５の態様の例であってもよい。
【０２１４】
［０２３０］
基地局通信マネージャー１７１５および／またはそのさまざまなサブコンポーネントのうちの少なくともいくつかは、ハードウェア、プロセッサにより実行されるソフトウェア、ファームウェア、または、これらの任意の組み合わせで実現してもよい。プロセッサにより実行されるソフトウェアで実現される場合、基地局通信マネージャー１７１５の機能および／またはそのさまざまなサブコンポーネントの少なくともいくつかの機能は、汎用プロセッサ、ＤＳＰ、ＡＳＩＣ、ＦＰＧＡまたは他のプログラマブル論理デバイス、ディスクリートゲートまたはトランジスタ論理、ディスクリートハードウェアコンポーネント、あるいは、本開示で説明する機能を実行するように設計されているこれらの任意の組み合わせにより実行してもよい。基地局通信マネージャー１７１５および／またはそのさまざまなサブコンポーネントのうちの少なくともいくつかは、機能の一部が、１つ以上の物理デバイスにより異なる物理的位置において実現されるように分散されることを含む、さまざまな位置に物理的に位置していてもよい。いくつかの例では、基地局通信マネージャー１７１５および／またはそのさまざまなサブコンポーネントのうちの少なくともいくつかは、本開示のさまざまな態様にしたがう別個の異なるコンポーネントであってもよい。他の例では、基地局通信マネージャー１７１５および／またはそのさまざまなサブコンポーネントのうちの少なくともいくつかは、限定はしないが、Ｉ／Ｏコンポーネント、トランシーバ、ネットワークサーバ、別のコンピューティングデバイス、本開示で説明する１つ以上の他のコンポーネント、または、これらの組み合わせを含む、１つ以上の他のハードウェアコンポーネントと組み合わせてもよい。
【０２１５】
［０２３１］
基地局通信マネージャー１７１５は、ＴＡＧ内にまたは異なるＴＡＧ中に２つ以上のＣＣを有するＵＥとの接続を確立し、ＵＥが異なるＣＣ上に異なる開始時間または持続時間を有する送信をサポートすることができるか否かを示す表示と、第１のＴＡＧの第１のＣＣ上での新たな送信が、第２のＴＡＧの第２のＣＣ上での既存の送信の最後の部分とオーバーラップすることがある、電力制御制限から免除される時間の量に対応するオーバーラップしきい値とをＵＥから受信し、表示とオーバーラップしきい値とに基づいて、２以上のＣＣを使用するＵＥに対するアップリンク送信のセットをスケジュールし、アップリンク送信のセットに対するリソース許可を含むアップリンク許可のセットをＵＥに送信してもよい。
【０２１６】
［０２３２］
送信機１７２０は、デバイスの他のコンポーネントにより発生される信号を送信してもよい。いくつかの例では、送信機１７２０は、トランシーバモジュール中の受信機１７１０とコロケートさせてもよい。例えば、送信機１７２０は、図２０を参照して説明するトランシーバ２０３５の態様の例であってもよい。送信機１７２０は、単一のアンテナまたはアンテナのセットを利用してもよい。
【０２１７】
［０２３３］
図１８は、本開示の態様にしたがう、ワイヤレス通信においてキャリアアグリゲーションを使用して電力制御するための技法をサポートするワイヤレスデバイス１８０５のブロック図１８００を示す。ワイヤレスデバイス１８０５は、図１７を参照して説明したように、ワイヤレスデバイス１７０５または基地局１０５の態様の例であってもよい。ワイヤレスデバイス１８０５は、受信機１８１０と、基地局通信マネージャー１８１５と、送信機１８２０とを含んでいてもよい。ワイヤレスデバイス１８０５はまた、プロセッサを含んでいてもよい。これらのコンポーネントのそれぞれは、（例えば、１つ以上のバスを介して）他のものと通信してもよい。
【０２１８】
［０２３４］
受信機１８１０は、パケット、ユーザデータ、または、さまざまな情報チャネル（例えば、制御チャネル、データチャネル、および、ワイヤレス通信においてキャリアアグリゲーションを使用して電力制御するための技法に関連する情報など）に関係する制御情報のような、情報を受信してもよい。情報は、デバイスの他のコンポーネントに渡されてもよい。受信機１８１０は、図２０を参照して説明するトランシーバ２０３５の態様の例であってもよい。受信機１８１０は、単一のアンテナまたはアンテナのセットを利用してもよい。
【０２１９】
［０２３５］
基地局通信マネージャー１８１５は、図２０を参照して説明する基地局通信マネージャー２０１５の態様の例であってもよい。基地局通信マネージャー１８１５はまた、接続確立コンポーネント１８２５と、能力識別コンポーネント１８３０と、スケジューラ１８３５と、ダウンリンク制御情報（ＤＣＩ）コンポーネント１８４０とを含んでいてもよい。
【０２２０】
［０２３６］
接続確立コンポーネント１８２５は、ＴＡＧ内にまたは異なるＴＡＧ中に２つ以上のＣＣを有するＵＥとの接続を確立してもよい。
【０２２１】
［０２３７］
能力識別コンポーネント１８３０は、ＵＥが異なるＣＣ上に異なる開始時間または持続時間を有する送信をサポートすることができるか否かを示す表示と、第１のＴＡＧの第１のＣＣ上での新たな送信が、第２のＴＡＧの第２のＣＣ上での既存の送信の最後の部分とオーバーラップすることがある、電力制御制限から免除される時間の量に対応するオーバーラップしきい値とをＵＥから受信してもよい。
【０２２２】
［０２３８］
スケジューラ１８３５は、表示とオーバーラップしきい値とに基づいて、２つ以上のＣＣを使用して、ＵＥに対するアップリンク送信のセットをスケジュールしてもよい。ＤＣＩコンポーネント１８４０は、アップリンク送信のセットに対するリソース許可を含むアップリンク許可のセットをＵＥに送信してもよい。
【０２２３】
［０２３９］
送信機１８２０は、デバイスの他のコンポーネントにより発生される信号を送信してもよい。いくつかの例では、送信機１８２０は、トランシーバモジュール中の受信機１８１０とコロケートさせてもよい。例えば、送信機１８２０は、図２０を参照して説明するトランシーバ２０３５の態様の例であってもよい。送信機１８２０は、単一のアンテナまたはアンテナのセットを利用してもよい。
【０２２４】
［０２４０］
図１９は、本開示の態様にしたがう、ワイヤレス通信においてキャリアアグリゲーションを使用して電力制御するための技法をサポートする基地局通信マネージャー１９１５のブロック図１９００を示す。基地局通信マネージャー１９１５は、図１７、図１８、および、図２０を参照して説明する基地局通信マネージャー２０１５の態様の例であってもよい。基地局通信マネージャー１９１５は、接続確立コンポーネント１９２０と、能力識別コンポーネント１９２５と、スケジューラ１９３０と、ＤＣＩコンポーネント１９３５と、コンフィギュレーションマネージャー１９４０とを含んでいてもよい。これらのモジュールのそれぞれは、（例えば、１つ以上のバスを介して）他のものと通信してもよい。
【０２２５】
［０２４１］
接続確立コンポーネント１９２０は、ＴＡＧ内にまたは異なるＴＡＧ中に２つ以上のＣＣを有するＵＥとの接続を確立してもよい。
【０２２６】
［０２４２］
能力識別コンポーネント１９２５は、ＵＥが異なるＣＣ上に異なる開始時間または持続時間を有する送信をサポートすることができるか否かを示す表示と、第１のＴＡＧの第１のＣＣ上での新たな送信が、第２のＴＡＧの第２のＣＣ上での既存の送信の最後の部分とオーバーラップすることがある、電力制御制限から免除される時間の量に対応するオーバーラップしきい値とをＵＥから受信してもよい。
【０２２７】
［０２４３］
スケジューラ１９３０は、表示とオーバーラップしきい値とに基づいて、２つ以上のＣＣを使用して、ＵＥに対するアップリンク送信のセットをスケジュールしてもよい。ＤＣＩコンポーネント１９３５は、アップリンク送信のセットに対するリソース許可を含むアップリンク許可のセットをＵＥに送信してもよい。
【０２２８】
［０２４４］
コンフィギュレーションマネージャー１９４０は、表示に基づいて、１つ以上の電力制御パラメータによりＵＥを構成してもよく、１つ以上の電力制御パラメータは、２つ以上のＣＣ上でのアップリンク送信に対する電力制御を実行するための電力制御優先度と順序付けとを提供する。
【０２２９】
［０２４５］
図２０は、本開示の態様にしたがう、ワイヤレス通信においてキャリアアグリゲーションを使用して電力制御するための技法をサポートするデバイス２００５を含むシステム２０００の図を示す。デバイス２００５は、例えば、図１を参照して上記で説明したような基地局１０５のコンポーネントの例であってもよく、または、これらを含んでいてもよい。デバイス２００５は、基地局通信マネージャー２０１５、プロセッサ２０２０、メモリ２０２５、ソフトウェア２０３０、トランシーバ２０３５、アンテナ２０４０、ネットワーク通信マネージャー２０４５、および、局間通信マネージャー２０５０を含む、通信を送信および受信するためのコンポーネントを含む、双方向音声およびデータ通信のためのコンポーネントを含んでいてもよい。これらのコンポーネントは、１つ以上のバス（例えば、バス２０１０）を介して電子通信してもよい。デバイス２００５は、１つ以上のＵＥ１１５とワイヤレスに通信してもよい。
【０２３０】
［０２４６］
プロセッサ２０２０は、インテリジェントハードウェアデバイス（例えば、汎用プロセッサ、ＤＳＰ、ＣＰＵ、マイクロ制御装置、ＡＳＩＣ、ＦＰＧＡ、プログラマブル論理デバイス、ディスクリートゲートまたはトランジスタ論理コンポーネント、ディスクリートハードウェアコンポーネント、あるいは、これらの任意の組み合わせ）を含んでいてもよい。いくつかのケースでは、プロセッサ２０２０は、メモリ制御装置を使用してメモリアレイを動作させるように構成されていてもよい。他のケースでは、メモリ制御装置は、プロセッサ２０２０に統合してもよい。プロセッサ２０２０は、メモリに記憶されているコンピュータ読取可能命令を実行して、さまざまな機能（例えば、ワイヤレス通信においてキャリアアグリゲーションを使用して電力制御するための技法をサポートする機能またはタスク）を実行するように構成されていてもよい。
【０２３１】
［０２４７］
メモリ２０２５は、ＲＡＭおよびＲＯＭを含んでいてもよい。メモリ２０２５は、実行されたとき、プロセッサに、ここで説明するさまざまな機能を実行させる命令を含む、コンピュータ読取可能、コンピュータ実行可能ソフトウェア２０３０を記憶していてもよい。いくつかのケースでは、メモリ２０２５は、とりわけ、周辺コンポーネントまたはデバイスとの対話のような基本的なハードウェアまたはソフトウェア動作を制御してもよいＢＩＯＳを含んでいてもよい。
【０２３２】
［０２４８］
ソフトウェア２０３０は、ワイヤレス通信においてキャリアアグリゲーションを使用して電力制御するための技法をサポートするためのコードを含む、本開示の態様を実現するためのコードを含んでいてもよい。ソフトウェア２０３０は、システムメモリまたは他のメモリのような、非一時的コンピュータ読取可能媒体中に記憶されていてもよい。いくつかのケースでは、ソフトウェア２０３０は、プロセッサにより直接実行可能でなくてもよいが、（例えば、コンパイルされ実行されたときに）ここで説明する機能をコンピュータに実行させてもよい。
【０２３３】
［０２４９］
トランシーバ２０３５は、上述のように、１つ以上のアンテナ、有線リンク、または、ワイヤレスリンクを介して、双方向に通信してもよい。例えば、トランシーバ２０３５は、ワイヤレストランシーバを表していてもよく、別のワイヤレストランシーバと双方向に通信してもよい。トランシーバ２０３５はまた、パケットを変調し、変調されたパケットを送信のためにアンテナに提供し、アンテナから受け取ったパケットを復調するためのモデムを含んでいてもよい。
【０２３４】
［０２５０］
いくつかのケースでは、ワイヤレスデバイスは、単一のアンテナ２０４０を含んでいてもよい。しかしながら、いくつかのケースでは、デバイスは、複数のワイヤレス送信を同時に送信または受信することができてもよい、１本より多いアンテナ２０４０を有していてもよい。
【０２３５】
［０２５１］
ネットワーク通信マネージャー２０４５は、（例えば、１つ以上のワイヤードバックホールリンクを介しての）コアネットワークとの通信を管理してもよい。例えば、ネットワーク通信マネージャー２０４５は、１つ以上のＵＥ１１５のような、クライアントデバイスに対するデータ通信の転送を管理してもよい。
【０２３６】
［０２５２］
局間通信マネージャー２０５０は、他の基地局１０５との通信を管理してもよく、他の基地局１０５と協同してＵＥ１１５との通信を制御するための制御装置またはスケジューラを含んでいてもよい。例えば、局間通信マネージャー２０５０は、ビーム形成またはジョイント送信のような、さまざまな干渉緩和技法のために、ＵＥ１１５への送信のためのスケジューリングを調整してもよい。いくつかの例では、局間通信マネージャー２０５０は、ロングタームエボリューション（ＬＴＥ）／ＬＴＥ−Ａワイヤレス通信ネットワーク技術内にＸ２インターフェースを提供して、基地局１０５間の通信を提供してもよい。
【０２３７】
［０２５３］
図２１は、本開示の態様にしたがう、ワイヤレス通信においてキャリアアグリゲーションを使用して電力制御するための技法のための方法２１００を示すフローチャートを示す。方法２１００の動作は、ここで説明するように、ＵＥ１１５またはそのコンポーネントにより実現してもよい。例えば、方法２１００の動作は、図１３〜図１６を参照して説明したように、ＵＥ通信マネージャーにより実行してもよい。いくつかの例では、ＵＥ１１５は、デバイスの機能要素を制御するためのコードのセットを実行して、以下で説明する機能を実行してもよい。追加的または代替的に、ＵＥ１１５は、特殊目的ハードウェアを使用して、以下で説明する機能の態様を実行してもよい。
【０２３８】
［０２５４］
２１０５において、ＵＥ１１５は、基地局との接続を確立してもよく、接続はＴＡＧ内で２つ以上のＣＣをサポートする。２１０５の動作は、ここで説明する方法にしたがって実行してもよい。いくつかの例では、２１０５の動作の態様は、図１３〜図１６を参照して説明したように、接続確立コンポーネントにより実行してもよい。いくつかのケースでは、接続はＵＥが（例えば、ランダムアクセス要求を介して）基地局との接続を要求するかもしれない接続確立技法にしたがって確立されていてもよい。いくつかのケースでは、接続確立プロシージャ間のＵＥは、ＵＥが２つ以上のＣＣをサポートすることができることを示してもよく、２つ以上のＣＣをサポートする接続を確立してもよい。
【０２３９】
［０２５５］
２１１０において、ＵＥ１１５は、異なるＣＣ上に異なる開始時間または持続時間を有する送信をサポートするための能力を識別してもよい。２１１０の動作は、ここで説明する方法にしたがって実行してもよい。ある例では、２１１０の動作の態様は、図１３〜図１６を参照して説明したように、ＣＣ能力コンポーネントにより実行してもよい。いくつかのケースでは、異なる開始時間または持続時間を有する送信をサポートするための能力は、ＵＥにおいて予め構成され、接続確立プロシージャの一部として、基地局に提供されてもよい。いくつかのケースでは、ＵＥは、ＵＥにおける条件に基づいて、異なる開始時間または持続時間を有する送信をサポートするための能力を決定してもよい。
【０２４０】
［０２５６］
２１１５において、ＵＥ１１５は、能力の表示を基地局に送信してもよい。２１１５の動作は、ここで説明する方法にしたがって実行してもよい。ある例では、２１１５の動作の態様は、図１３〜図１６を参照して説明したように、ＣＣ能力コンポーネントにより実行してもよい。いくつかのケースでは、表示は、接続確立プロシージャの一部として、ＲＲＣシグナリングを介して提供してもよい。
【０２４１】
［０２５７］
図２２は、本開示の態様にしたがう、ワイヤレス通信においてキャリアアグリゲーションを使用して電力制御するための技法のための方法２２００を示すフローチャートを示す。方法２２００の動作は、ここで説明するように、ＵＥ１１５またはそのコンポーネントにより実現してもよい。例えば、方法２２００の動作は、図１３〜図１６を参照して説明したように、ＵＥ通信マネージャーにより実行してもよい。いくつかの例では、ＵＥ１１５は、デバイスの機能要素を制御するためのコードのセットを実行して、以下で説明する機能を実行してもよい。追加的または代替的に、ＵＥ１１５は、特殊目的ハードウェアを使用して、以下で説明する機能の態様を実行してもよい。
【０２４２】
［０２５８］
２２０５において、ＵＥ１１５は、基地局との接続を確立してもよく、接続は異なるＴＡＧ内で２つ以上のＣＣをサポートする。２２０５の動作は、ここで説明する方法にしたがって実行してもよい。ある例では、２２０５の動作の態様は、図１３〜図１６を参照して説明したように、接続確立コンポーネントにより実行してもよい。いくつかのケースでは、接続は、ＵＥが（例えば、ランダムアクセス要求を介して）基地局との接続を要求するかもしれない接続確立技法にしたがって確立してもよい。いくつかのケースでは、接続確立プロシージャ中のＵＥは、ＵＥが２つ以上のＣＣをサポートすることができることを示してもよく、２つ以上のＣＣをサポートする接続を確立してもよい。
【０２４３】
［０２５９］
２２１０において、ＵＥ１１５は、第１のＴＡＧの第１のＣＣ上での新たな送信が、第２のＴＡＧの第２のＣＣ上での既存の送信の最後の部分とオーバーラップすることがある、電力制御制限から免除される時間の量に対応するオーバーラップしきい値を識別してもよい。２２１０の動作は、ここで説明する方法にしたがって実行してもよい。ある例では、２２１０の動作の態様は、図１３〜図１６を参照して説明したように、タイミングアドバンスマネージャーにより実行してもよい。いくつかのケースでは、オーバーラップしきい値は、ＵＥにおいて予め構成され、接続確立プロシージャの一部として、基地局に提供されてもよい。いくつかのケースでは、ＵＥは、ＵＥにおける条件に基づいて、オーバーラップしきい値を決定し、基地局にオーバーラップしきい値をシグナリングしてもよい。
【０２４４】
［０２６０］
２２１５において、ＵＥ１１５は、オーバーラップしきい値の表示を基地局に送信してもよい。２２１５の動作は、ここで説明する方法にしたがって実行してもよい。ある例では、２２１５の動作の態様は、図１３〜図１６を参照して説明したように、タイミングアドバンスマネージャーにより実行してもよい。いくつかのケースでは、表示は、接続確立プロシージャの一部として、ＲＲＣシグナリングを介して提供してもよい。
【０２４５】
［０２６１］
２２２０において、ＵＥ１１５は、第１のＣＣおよび第２のＣＣ上の連続するスロット中のアップリンク送信に対するアップリンクリソースの許可を受信してもよい。２２２０の動作は、ここで説明する方法にしたがって実行してもよい。ある例では、２２２０の動作の態様は、図１３〜図１６を参照して説明したように、アップリンク送信マネージャーにより実行してもよい。いくつかのケースでは、このような許可は、基地局からのＤＣＩ中で受信してもよい。
【０２４６】
［０２６２］
２２２５において、ＵＥ１１５は、第１のＣＣと第２のＣＣとの間のタイミング差がオーバーラップしきい値を超えることを決定してもよい。２２２５の動作は、ここで説明する方法にしたがって実行してもよい。ある例では、２２２５の動作の態様は、図１３〜図１６を参照して説明したように、タイミングアドバンスマネージャーにより実行してもよい。いくつかのケースでは、ＵＥは、オーバーラップしきい値との比較で、各ＣＣに対するＴＡの現在の値と、ＴＡ間のタイミング差とに基づいて、このような決定を行ってもよい。
【０２４７】
［０２６３］
２２３０において、ＵＥ１１５は、第１のＣＣ送信および第２のＣＣ送信のそれぞれに関係する優先度に少なくとも部分的に基づいて、ドロップされるべきまたは低減された電力で送信されるべき、第１のＣＣ送信または第２のＣＣ送信を選択してもよい。２２３０の動作は、ここで説明する方法にしたがって実行してもよい。ある例では、２２３０の動作の態様は、図１３〜図１６を参照して説明したように、優先度識別コンポーネントにより実行してもよい。いくつかのケースでは、第１のＣＣ送信および第２のＣＣ送信の優先度は、送信のために構成された優先順位にしたがって決定してもよく、より高い優先度の送信を送信させるために、より低い優先度の送信を選択してもよい。
【０２４８】
［０２６４］
２２３５において、ＵＥ１１５は、タイミング差に少なくとも部分的に基づいて、第１のＣＣまたは第２のＣＣのうちの一方または両方のアップリンク送信を修正してもよい。２２３５の動作は、ここで説明する方法にしたがって実行してもよい。ある例では、２２３５の動作の態様は、図１３〜図１６を参照して説明したように、送信電力制御マネージャーにより実行してもよい。いくつかのケースでは、修正することは、連続スロット間のスロット境界において終了する第１のＣＣ送信をドロップすること、スロット境界において開始する第２のＣＣ送信をドロップすること、第１のＣＣ送信、第２のＣＣ送信、または、その両方の送信電力を低減させること、第１のＣＣ送信の最後のシンボルをドロップすること、または、第２のＣＣ送信の最初のシンボルをドロップすることとを含んでいてもよい。
【０２４９】
［０２６５］
図２３は、本開示の態様にしたがう、ワイヤレス通信においてキャリアアグリゲーションを使用して電力制御するための技法のための方法２３００を図示するフローチャートを示す。方法２３００の動作は、ここで説明するように、ＵＥ１１５またはそのコンポーネントにより実現してもよい。例えば、方法２３００の動作は、図１３〜図１６を参照して説明したように、ＵＥ通信マネージャーにより実行してもよい。いくつかの例では、ＵＥ１１５は、デバイスの機能要素を制御するためのコードのセットを実行して、以下で説明する機能を実行してもよい。追加的または代替的に、ＵＥ１１５は、特殊目的ハードウェアを使用して、以下で説明する機能の態様を実行してもよい。
【０２５０】
［０２６６］
２３０５において、ＵＥ１１５は、基地局との接続を確立してもよく、接続は２つ以上のＣＣをサポートする。２３０５の動作は、ここで説明する方法にしたがって実行してもよい。ある例では、２３０５の動作の態様は、図１３〜図１６を参照して説明したように、接続確立コンポーネントにより実行してもよい。いくつかのケースでは、接続は、ＵＥが（例えば、ランダムアクセス要求を介して）基地局との接続を要求するかもしれない接続確立技法にしたがって確立してもよい。いくつかのケースでは、接続確立プロシージャ中のＵＥは、ＵＥが２つ以上のＣＣをサポートすることができることを示してもよく、２つ以上のＣＣをサポートする接続を確立してもよい。
【０２５１】
［０２６７］
２３１０において、ＵＥ１１５は、スロット間の２つ以上のＣＣ上での複数のアップリンク送信に対するアップリンクリソースの複数の許可を受信してもよい。２３１０の動作は、ここで説明する方法にしたがって実行してもよい。ある例では、２３１０の動作の態様は、図１３〜図１６を参照して説明したように、アップリンク送信マネージャーにより実行してもよい。いくつかのケースでは、複数の許可は、基地局からのＤＣＩ中で受信してもよい。
【０２５２】
［０２６８］
２３１５において、ＵＥ１１５は、複数のアップリンク送信を送信する送信電力が、スロットの少なくとも一部分の間に、ＵＥに対する最大電力しきい値を超えることを決定してもよい。２３１５の動作は、ここで説明する方法にしたがって実行してもよい。ある例では、２３１５の動作の態様は、図１３〜図１６を参照して説明したように、送信電力制御マネージャーにより実行してもよい。いくつかのケースでは、シンボルの各オーバーラップする送信の送信電力を合計してシンボルに対する総送信電力を決定し、総送信電力を最大電力しきい値と比較することにより、この決定を行ってもよい。
【０２５３】
［０２６９］
２３２０において、ＵＥ１１５は、複数のアップリンク送信のうちの少なくとも第１のアップリンク送信をドロップしてもよく、結果的に得られる送信電力は、最大電力しきい値以下である。２３２０の動作は、ここで説明する方法にしたがって実行してもよい。ある例では、２３２０の動作の態様は、図１３〜図１６を参照して説明したように、送信電力制御マネージャーにより実行してもよい。いくつかのケースでは、ＵＥは、第１のアップリンク送信の優先度より高い優先度を有しているかもしれない、１つ以上の他のアップリンク送信の優先度との比較で、第１のアップリンク送信に関係する優先度に基づいて、第１のアップリンク送信をドロップしてもよい。
【０２５４】
［０２７０］
２３２５において、ＵＥ１１５は、ＣＣのうちの１つ以上を使用して、スロット間に、複数のアップリンク送信のうちの残りのアップリンク送信を送信してもよい。２３２５の動作は、ここで説明する方法にしたがって実行してもよい。ある例では、２３２５の動作の態様は、図１３〜図１６を参照して説明したように、アップリンク送信マネージャーにより実行してもよい。残りのアップリンク送信は、最大送信電力よりも小さいアグリゲート送信電力を有しているかもしれない。
【０２５５】
［０２７１］
図２４は、本開示の態様にしたがう、ワイヤレス通信においてキャリアアグリゲーションを使用して電力制御するための技法のための方法２４００を示すフローチャートを示す。方法２４００の動作は、ここで説明するように、ＵＥ１１５またはそのコンポーネントにより実現してもよい。例えば、方法２４００の動作は、図１３〜図１６を参照して説明したように、ＵＥ通信マネージャーにより実行してもよい。いくつかの例では、ＵＥ１１５は、デバイスの機能要素を制御するためのコードのセットを実行して、以下で説明する機能を実行してもよい。追加的または代替的に、ＵＥ１１５は、特殊目的ハードウェアを使用して、以下で説明する機能の態様を実行してもよい。
【０２５６】
［０２７２］
２４０５において、ＵＥ１１５は、基地局との接続を確立してもよく、接続は２つ以上のＣＣをサポートする。２４０５の動作は、ここで説明する方法にしたがって実行してもよい。ある例では、２４０５の動作の態様は、図１３〜図１６を参照して説明したように、接続確立コンポーネントにより実行してもよい。いくつかのケースでは、接続は、ＵＥが（例えば、ランダムアクセス要求を介して）基地局との接続を要求するかもしれない接続確立技法にしたがって確立してもよい。いくつかのケースでは、接続確立プロシージャ中のＵＥは、ＵＥが２つ以上のＣＣをサポートすることができることを示してもよく、２つ以上のＣＣをサポートする接続を確立してもよい。
【０２５７】
［０２７３］
２４１０において、ＵＥ１１５は、スロット間の２つ以上のＣＣ上での複数のアップリンク送信に対するアップリンクリソースの複数の許可を受信してもよく、アップリンク送信のセットを送信する送信電力は、スロットの少なくとも一部分の間に、ＵＥに対する最大電力しきい値を超える。２４１０の動作は、ここで説明する方法にしたがって実行してもよい。ある例では、２４１０の動作の態様は、図１３〜図１６を参照して説明したように、アップリンク送信マネージャーにより実行してもよい。いくつかのケースでは、許可により提供されるアップリンク送信に対するアップリンク送信電力に基づいて、ＵＥが電力制御計算を実行できるように、スロットの開始に先立って、少なくとも予め定められている時間に、複数の許可が受信される。いくつかのケースでは、複数の許可は、基地局からのＤＣＩ中で受信されてもよい。
【０２５８】
［０２７４］
２４１５において、ＵＥ１１５は、複数のアップリンク送信の少なくともサブセットの送信電力をスケーリングして、送信電力が最大電力しきい値以下であることを提供してもよい。２４１５の動作は、ここで説明する方法にしたがって実行してもよい。ある例では、２４１５の動作の態様は、図１３〜図１６を参照して説明したように、電力スケーリングコンポーネントにより実行してもよい。ＵＥは、いくつかのケースでは、アップリンク送信の優先順位に基づいて、送信電力をスケーリングしてもよい。いくつかのケースでは、より高い優先度の送信は、電力スケーリングをほとんどまたはまったく有さないかもしれず、より低い優先度の送信は、より高い優先度の送信よりも大きい電力スケーリングを有するかもしれない。
【０２５９】
［０２７５］
２４２０において、ＵＥ１１５は、ＣＣのうちの１つ以上を使用して、スロット間に、複数のアップリンク送信を送信してもよい。２４２０の動作は、ここで説明する方法にしたがって実行してもよい。ある例では、２４２０の動作の態様は、図１３〜図１６を参照して説明したように、アップリンク送信マネージャーにより実行してもよい。アップリンク送信は、最大送信電力以下であるアグリゲート送信電力を有しているかもしれない。
【０２６０】
［０２７６］
図２５は、本開示の態様にしたがう、ワイヤレス通信においてキャリアアグリゲーションを使用して電力制御するための技法のための方法２５００を示すフローチャートを示す。方法２５００の動作は、ここで説明するように、ＵＥ１１５またはそのコンポーネントにより実現してもよい。例えば、方法２５００の動作は、図１３〜図１６を参照して説明したように、ＵＥ通信マネージャーにより実行してもよい。いくつかの例では、ＵＥ１１５は、デバイスの機能要素を制御するためのコードのセットを実行して、以下で説明する機能を実行してもよい。追加的または代替的に、ＵＥ１１５は、特殊目的ハードウェアを使用して、以下で説明する機能の態様を実行してもよい。
【０２６１】
［０２７７］
２５０５において、ＵＥ１１５は、基地局との接続を確立してもよく、接続は２つ以上のコンポーネント搬送波（ＣＣ）をサポートする。２５０５の動作は、ここで説明する方法にしたがって実行してもよい。ある例では、２５０５の動作の態様は、図１３〜図１６を参照して説明したように、接続確立コンポーネントにより実行してもよい。いくつかのケースでは、接続は、ＵＥが（例えば、ランダムアクセス要求を介して）基地局との接続を要求するかもしれない接続確立技法にしたがって確立してもよい。いくつかのケースでは、接続確立プロシージャ中のＵＥは、ＵＥが２つ以上のＣＣをサポートすることができることを示してもよく、２つ以上のＣＣをサポートする接続を確立してもよい。
【０２６２】
［０２７８］
２５１０において、ＵＥ１１５は、スロット間の２つ以上のＣＣ上での複数のアップリンク送信に対するアップリンクリソースの複数の許可を受信してもよく、アップリンク送信のセットのうちの第１のアップリンク送信は、第１のアップリンク送信とオーバーラップする、アップリンク送信のセットのうちの第２のアップリンク送信の第２の優先度よりも少なくとも高い第１の優先度を有する。２５１０の動作は、ここで説明する方法にしたがって実行してもよい。ある例では、２５１０の動作の態様は、図１３〜図１６を参照して説明したように、アップリンク送信マネージャーにより実行してもよい。いくつかのケースでは、許可により提供されるアップリンク送信に対するアップリンク送信電力に基づいて、ＵＥが電力制御計算を実行できるように、スロットの開始に先立って、少なくとも予め定められている時間に、複数の許可が受信される。いくつかのケースでは、複数の許可は、基地局からのＤＣＩ中で受信されてもよい。
【０２６３】
［０２７９］
２５１５において、ＵＥ１１５は、ＵＥのアグリゲート送信電力が最大電力しきい値以下であるように、第２のアップリンク送信の第２の送信電力をスケーリングしてもよい。２５１５の動作は、ここで説明する方法にしたがって実行してもよい。ある例では、２５１５の動作の態様は、図１３〜図１６を参照して説明したように、電力スケーリングコンポーネントにより実行してもよい。いくつかのケースでは、スケーリングされた第２の送信電力プラス第１の送信電力が最大送信電力しきい値以下であることを提供する比により、第２の送信電力をスケーリングしてもよい。
【０２６４】
［０２８０］
２５２０において、ＵＥ１１５は、２つ以上のＣＣを使用して、スロット間に、複数のアップリンク送信を送信してもよい。２５２０の動作は、ここで説明する方法にしたがって実行してもよい。ある例では、２５２０の動作の態様は、図１３〜図１６を参照して説明したように、アップリンク送信マネージャーにより実行してもよい。アップリンク送信は、最大送信電力以下であるアグリゲート送信電力を有しているかもしれない。
【０２６５】
［０２８１］
上記で説明した方法は、可能な実現形態を説明し、動作およびステップは、並べ替えてもよく、または、さもなければ修正してもよく、他の実現形態が可能であることに留意されたい。さらに、方法のうちの２つ以上の態様を組み合わせてもよい。
【０２６６】
［０２８２］
ここで説明する技法は、コード分割多元接続（ＣＤＭＡ）、時分割多元接続（ＴＤＭＡ）、周波数分割多元接続（ＦＤＭＡ）、直交周波数分割多元接続（ＯＦＤＭＡ）、単一搬送波周波数分割多元接続（ＳＣ−ＦＤＭＡ）、および、他のシステムなど、さまざまなワイヤレス通信システムのために使用してもよい。ＣＤＭＡシステムは、ＣＤＭＡ２０００、ユニバーサル地上無線アクセス（ＵＴＲＡ）のような無線技術を実現してもよく、ＣＤＭＡ２０００は、ＩＳ−２０００標準規格、ＩＳ−９５標準規格、および、ＩＳ−８５６標準規格をカバーする。ＩＳ−２０００リリースは、一般に、ＣＤＭＡ２０００  １Ｘ、１Ｘなどとして呼ばれることもある。ＩＳ−８５６（ＴＩＡ−８５６）は、一般にＣＤＭＡ２０００  １ｘＥＶ−ＤＯ、高速パケットデータ（ＨＲＰＤ）などと呼ばれ、ＵＴＲＡは、広帯域ＣＤＭＡ（ＷＣＤＭＡ（登録商標））およびＣＤＭＡの他の変形形態を含んでいる。ＴＤＭＡシステムは、移動体通信用のグローバルシステム（ＧＳＭ（登録商標））のような無線技術を実現してもよい。
【０２６７】
［０２８３］
ＯＦＤＭＡシステムは、ウルトラモバイルブロードバンド（ＵＭＢ）、発展型ＵＴＲＡ（Ｅ−ＵＴＲＡ）、電気電子技術者協会（ＩＥＥＥ）８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭのような無線技術を実現してもよく、ＵＴＲＡおよびＥ−ＵＴＲＡは、ユニバーサル移動体電気通信システム（ＵＭＴＳ）の一部である。ＬＴＥおよびＬＴＥ−Ａは、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、ＮＲ、および、ＧＳＭは、「第３世代パートナーシッププロジェクト」（３ＧＰＰ（登録商標））と称する団体からの文書に記載されている。ＣＤＭＡ２０００およびＵＭＢは、「第３世代パートナーシッププロジェクト２」（３ＧＰＰ２）という名称の組織からの文書に記載されている。ここで説明する技法は、上述のシステムおよび無線技術、ならびに、他のシステムおよび無線技術のために使用してもよい。ＬＴＥまたはＮＲシステムの態様は、例のために説明されているかもしれず、ＬＴＥまたはＮＲ用語は、説明の大部分において使用しているかもしれないが、ここで説明する技法は、ＬＴＥまたはＮＲアプリケーションを超えて適用可能である。
【０２６８】
［０２８４］
マクロセルは、一般に、比較的大きい地理的エリア（例えば、半径が数キロメートル）をカバーし、ネットワークプロバイダのサービスに加入しているＵＥ１１５による無制限アクセスを可能にしてもよい。スモールセルは、マクロセルと比較して、より低電力の基地局１０５に関係しているかもしれず、スモールセルは、マクロセルと同じまたは異なる（例えば、ライセンスされている、ライセンスされていないなど）周波数帯域において動作してもよい。スモールセルは、さまざまな例にしたがって、ピコセル、フェムトセル、および、マイクロセルを含んでいてもよい。ピコセルは、例えば、小さい地理的エリアをカバーしてもよく、ネットワークプロバイダのサービスに加入しているＵＥ１１５による無制限アクセスを可能にしてもよい。フェムトセルはまた、小さい地理的エリア（例えば、自宅）をカバーしてもよく、フェムトセルとの関係を有するＵＥ１１５（例えば、閉じられた加入者グループ（ＣＳＧ）中のＵＥ１１５、自宅内のユーザのためのＵＥ１１５、これらに類するもの）による制限されたアクセスを提供してもよい。マクロセルのためのｅＮＢは、マクロｅＮＢとして呼ばれることもある。スモールセルのためのｅＮＢは、スモールセルｅＮＢ、ピコｅＮＢ、フェムトｅＮＢ、または、ホームｅＮＢとして呼ばれることもある。ｅＮＢは、１つ以上の（例えば、２、３、４のような）セルをサポートしてもよく、また、１つ以上のコンポーネント搬送波を使用して通信をサポートしてもよい。
【０２６９】
［０２８５］
ここで説明したワイヤレス通信システム１００またはシステムは、同期動作または非同期動作をサポートしてもよい。同期動作の場合、基地局１０５は、同様のフレームタイミングを有してもよく、異なる基地局１０５からの送信は、時間的にほぼ整列される。非同期動作の場合、基地局１０５は、異なるフレームタイミングを有してもよく、異なる基地局１０５からの送信は、時間的に整列されないことがある。
【０２７０】
［０２８６］
ここで説明した情報および信号は、さまざまな異なる技術および技法のうちのいずれかを使用して表されているかもしれない。例えば、上記の説明全体に渡って参照されているかもしれない、データ、命令、コマンド、情報、信号、ビット、シンボル、および、チップは、電圧、電流、電磁波、磁界または磁粒、光界または光粒、あるいは、これらの任意の組み合わせにより表されているかもしれない。
【０２７１】
［０２８７］
ここでの開示に関連して説明した、さまざまな例示的なブロックおよびモジュールは、ここで説明した機能を実行するように設計された、汎用プロセッサ、ＤＳＰ、ＡＳＩＣ、ＦＰＧＡまたは他のプログラム可能論理デバイス、ディスクリートゲートまたはトランジスタ論理、ディスクリートハードウェアコンポーネント、あるいは、これらの任意の組み合わせを用いて、実現または実行してもよい。汎用プロセッサはマイクロプロセッサであってもよいが、代替実施形態では、プロセッサは、任意の従来のプロセッサ、制御装置、マイクロ制御装置、または、状態機械であってもよい。プロセッサはまた、コンピューティングデバイスの組み合わせ（例えば、ＤＳＰとマイクロプロセッサの組み合わせ、複数のマイクロプロセッサ、ＤＳＰのコアと関連する１つ以上のマイクロプロセッサ、または、他の何らかのこのようなコンフィギュレーション）として実現してもよい。
【０２７２】
［０２８８］
ここで説明した機能は、ハードウェア、プロセッサにより実行されるソフトウェア、ファームウェア、または、これらの任意の組み合わせで実現してもよい。プロセッサにより実行されるソフトウェアで実現する場合、機能は、１つ以上の命令またはコードとしてコンピュータ読取可能媒体上に記憶され、あるいは、それを通して送信されてもよい。他の例およびインプリメンテーションは、本開示および添付の特許請求の範囲内にある。例えば、ソフトウェアの性質により、上記に説明した機能は、プロセッサにより実行されるソフトウェア、ハードウェア、ファームウェア、ハードワイヤリング、または、これらの任意の組み合わせを使用して実現してもよい。機能を実現する特徴はまた、機能の一部分が異なる物理的位置において実現されるように分散させることを含む、さまざまな位置において物理的に位置付けられていてもよい。
【０２７３】
［０２８９］
コンピュータ読取可能媒体は、１つの場所から別の場所へのコンピュータプログラムの転送を促進する任意の媒体を含む、非一時的コンピュータ記憶媒体および通信媒体の両方を含んでいる。非一時的記憶媒体は、汎用または特殊目的コンピュータによりアクセスすることができる任意の利用可能な媒体であってもよい。限定ではなく例として、非一時的コンピュータ読取可能媒体は、ＲＡＭ、ＲＯＭ、電気的消去可能プログラム可能リードオンリーメモリ（ＥＥＰＲＯＭ（登録商標））、コンパクトディスク（ＣＤ）ＲＯＭまたは他の光ディスク記憶装置、磁気ディスク記憶装置または他の磁気記憶デバイス、あるいは、命令またはデータ構造の形態で所望のプログラムコード手段を搬送または記憶するために使用することができ、汎用または特殊目的コンピュータ、あるいは、汎用または特殊目的プロセッサによりアクセスすることができる他の何らかの非一時的媒体を備えることができる。また、任意の接続は、コンピュータ読取可能媒体と適切に呼ばれる。例えば、ソフトウェアが、同軸ケーブル、光ファイバーケーブル、ツイストペア、デジタル加入者線（ＤＳＬ）、あるいは、赤外線、無線、およびマイクロ波のようなワイヤレステクノロジーを使用して、ウェブサイト、サーバ、または、他の遠隔ソースから送信される場合、同軸ケーブル、光ファイバーケーブル、ツイストペア、ＤＳＬ、あるいは、赤外線、無線、およびマイクロ波のようなワイヤレステクノロジーは、媒体の定義に含まれる。ここで使用したようなディスク（ｄｉｓｋおよびｄｉｓｃ）は、ＣＤ、レーザーディスク（登録商標）、光ディスク、デジタル汎用ディスク（ＤＶＤ）、フロッピー（登録商標）ディスクおよびブルーレイ（登録商標）ディスクを含むが、通常、ディスク（ｄｉｓｋ）は通常データを磁気的に再生する一方で、ディスク（ｄｉｓｃ）はデータをレーザにより光学的に再生する。上記の組み合わせもまた、コンピュータ読取可能媒体の範囲内に含まれる。
【０２７４】
［０２９０］
特許請求の範囲を含め、ここで使用するように、項目のリスト（例えば、「のうちの少なくとも１つ」または「のうちの１つ以上」のようなフレーズにより始まる項目のリスト）中で使用する「または」は、例えば、「Ａ、Ｂ、または、Ｃ、のうちの少なくとも１つ」のリストが、ＡまたはＢまたはＣあるいはＡＢまたはＡＣまたはＢＣあるいはＡＢＣ（すなわち、ＡとＢとＣ）を意味するように、包括的なリストを示している。ここで使用するように、フレーズ「に基づいて」は、条件の閉じたセットへの参照として解釈すべきではない。例えば、「条件Ａに基づく」のように説明する例示的なステップは、本開示の範囲から逸脱することなく、条件Ａおよび条件Ｂの両方に基づいていてもよい。言い換えると、ここで使用するように、フレーズ「基づいて」は、フレーズ「に少なくとも部分的に基づいて」と同じ方法で解釈すべきである。
【０２７５】
［０２９１］
添付の図では、同様のコンポーネントまたは特徴は、同じ参照ラベルを有しているかもしれない。さらに、同じタイプのさまざまなコンポーネントは、参照ラベルにより、および、類似のコンポーネント間を区別する第２のラベルにより区別されているかもしれない。第１の参照ラベルのみを本明細書で使用している場合、説明は、第２の参照ラベルにかかわらず、第１の参照ラベルを有する同様のコンポーネントのいずれか１つ、または、他の後続の参照ラベルに適用可能である。
【０２７６】
［０２９２］
添付の図面に関連して、ここで説明する説明は、例示的なコンフィギュレーションを記載し、実現してもよい、または、特許請求の範囲内に入るすべての例を表すものではない。本明細書で使用している「例示的な」という用語は、「好ましい」または「他の例よりも有利である」という用語ではなく、「例、事例、または、例示の役割を果たす」ことを意味する。詳細な説明は、記載された技法の理解を提供する目的のための具体的な詳細を含んでいる。しかしながら、これらの技術は、これらの具体的な詳細なしに実施してもよい。いくつかの例では、説明した例の概念を不明瞭にすることを避けるために、周知の構造およびデバイスがブロック図の形態で示されている。
【０２７７】
［０２９３］
本明細書の説明は、当業者が本開示を作成または使用することを可能にするために提供されている。本開示のさまざまな修正は、当業者には容易に明らかであり、本明細書で定義される一般的な原理は、本開示の範囲から逸脱することなく他の変形例に適用してもよい。したがって、本開示は、ここで説明する例および設計に限定されず、本明細書で開示される原理および新規の特徴と一致する最も広い範囲を与えられるべきである。
【図１】
2021503794.tif 000003
【図２】
2021503794.tif 000004
【図３】
2021503794.tif 000005
【図４】
2021503794.tif 000006
【図５】
2021503794.tif 000007
【図６】
2021503794.tif 000008
【図７】
2021503794.tif 000009
【図８】
2021503794.tif 000010
【図９】
2021503794.tif 000011
【図１０】
2021503794.tif 000012
【図１１】
2021503794.tif 000013
【図１２】
2021503794.tif 000014
【図１３】
2021503794.tif 000015
【図１４】
2021503794.tif 000016
【図１５】
2021503794.tif 000017
【図１６】
2021503794.tif 000018
【図１７】
2021503794.tif 000019
【図１８】
2021503794.tif 000020
【図１９】
2021503794.tif 000021
【図２０】
2021503794.tif 000022
【図２１】
2021503794.tif 000023
【図２２】
2021503794.tif 000024
【図２３】
2021503794.tif 000025
【図２４】
2021503794.tif 000026
【図２５】
2021503794.tif 000027
【手続補正書】
【提出日】令和2年7月22日(2020.7.22)
【手続補正１】
【補正対象書類名】特許請求の範囲
【補正対象項目名】全文
【補正方法】変更
【補正の内容】
【特許請求の範囲】
【請求項１】
ワイヤレス通信のための方法において、
ＵＥにおいて、基地局との接続を確立し、前記接続は２つ以上のコンポーネント搬送波（ＣＣ）をサポートすることと、
スロット間の前記２つ以上のＣＣ上での複数のアップリンク送信に対するアップリンクリソースの複数の許可を受信し、前記複数の許可は、前記スロットの開始に先立って、少なくとも予め定められた時間に受信され、前記複数のアップリンク送信を送信する送信電力は、前記スロットの少なくとも一部分の間に、前記ＵＥに対する最大電力しきい値を超えることと、
前記複数のアップリンク送信のサブセット以外の前記複数のアップリンク送信の他のものに対する、前記複数のアップリンク送信のサブセットに関係する優先順位に基づいて、前記複数のアップリンク送信の少なくともサブセットの送信電力をスケーリングして、前記送信電力が前記最大電力しきい値以下であることを提供することと、
前記予め定められた時間の後かつ前記スロットの開始の前に、追加のアップリンク送信に対する追加の許可を受信することと、
前記追加のアップリンク送信が前記ＵＥのアグリゲート送信電力を前記最大電力しきい値より上に増加させるか否かを決定することと、
前記追加のアップリンク送信が前記ＵＥのアグリゲート送信電力を前記最大電力しきい値より上に増加させることになるとの決定に応答して、前記追加のアップリンク送信をドロップすること、前記追加のアップリンク送信が前記ＵＥのアグリゲート送信電力を前記最大電力しきい値より上に増加させることにならないとの決定に応答して、前記ＣＣのうちの１つ以上を使用して、前記スロット間に、前記複数のアップリンク送信を送信すること、または、前記ＣＣのうちの１つ以上を使用して、前記スロット間に、前記追加のアップリンク送信と前記複数のアップリンク送信とを送信することとを含む方法。
【請求項２】
前記複数の許可を受信するための前記予め定められた時間は、予め構成されるかまたは前記基地局と前記ＵＥとの間でシグナリングされる請求項１記載の方法。
【請求項３】
前記複数の許可を受信するための前記予め定められた時間は、前記ＵＥの能力に少なくとも部分的に基づいている請求項１記載の方法。
【請求項４】
前記２つ以上のＣＣのうちの第１のＣＣは、前記２つ以上のＣＣのうちの第２のＣＣ以外の異なるタイミングアドバンスグループ（ＴＡＧ）に属し、前記第１のＣＣの前記スロットの開始時間は、前記第２のＣＣの前のスロットの終了時間に先行する請求項１記載の方法。
【請求項５】
前記方法は、オーバーラップ期間がオーバーラップしきい値以下であることに応答して、前記オーバーラップ期間にかかわらず、前記送信電力のスケーリングを実行することをさらに含み、前記オーバーラップ期間は、前記第１のＣＣの前記スロットの開始時間と前記第２のＣＣの前記前のスロットの終了時間との間の期間に対応し、前記オーバーラップしきい値は、前記ＵＥに対する最大電力しきい値から免除される時間の量に対応する請求項４記載の方法。
【請求項６】
前記方法は、オーバーラップ期間がオーバーラップしきい値を超えることに応答して、前記第１のＣＣまたは前記第２のＣＣのオーバーラップするアップリンク送信をドロップして、前記オーバーラップ期間間に、前記最大電力しきい値以下であるアグリゲート送信電力を提供することをさらに含み、前記オーバーラップ期間は、前記第１のＣＣの前記スロットの開始時間と前記第２のＣＣの前記前のスロットの終了時間との間であり、前記オーバーラップしきい値は、前記ＵＥに対する最大電力しきい値から免除される時間の量に対応する請求項４記載の方法。
【請求項７】
前記方法は、前記第１のＣＣの前記スロットの開始時間と前記第２のＣＣの前記前のスロットの終了時間との間のオーバーラップ期間がオーバーラップしきい値を超えることに応答して、前記第１のＣＣおよび前記第２のＣＣのうちの１つ以上のアップリンク送信に対する前記送信電力をスケーリングして、前記オーバーラップ期間間に、前記最大電力しきい値以下であるアグリゲート送信電力を提供することをさらに含み、前記オーバーラップしきい値は、前記ＵＥに対する最大電力しきい値から免除される時間の量に対応する請求項４記載の方法。
【請求項８】
前記優先順位は、前記複数のアップリンク送信のそれぞれに関係するチャネルタイプ、前記複数のアップリンク送信のそれぞれを介して送信されるアップリンク制御情報（ＵＣＩ）のタイプ、または、これらの任意の組み合わせ、のうちの１つ以上に少なくとも部分的に基づいている請求項１記載の方法。
【請求項９】
ワイヤレス通信のための装置において、
ユーザ機器（ＵＥ）において、基地局との接続を確立し、前記接続は２つ以上のコンポーネント搬送波（ＣＣ）をサポートする手段と、
スロット間の前記２つ以上のＣＣ上での複数のアップリンク送信に対するアップリンクリソースの複数の許可を受信し、前記複数の許可は、前記スロットの開始に先立って、少なくとも予め定められた時間に受信され、前記複数のアップリンク送信を送信する送信電力は、前記スロットの少なくとも一部分の間に、前記ＵＥに対する最大電力しきい値を超える手段と、
前記複数のアップリンク送信のサブセット以外の前記複数のアップリンク送信の他のものに対する、前記複数のアップリンク送信のサブセットに関係する優先順位に基づいて、前記複数のアップリンク送信の少なくともサブセットの送信電力をスケーリングして、前記送信電力が前記最大電力しきい値以下であることを提供する手段と、
前記予め定められた時間の後かつ前記スロットの開始の前に、追加のアップリンク送信に対する追加の許可を受信する手段と、
前記追加のアップリンク送信が前記ＵＥのアグリゲート送信電力を前記最大電力しきい値より上に増加させるか否かを決定する手段と、
前記追加のアップリンク送信が前記ＵＥのアグリゲート送信電力を前記最大電力しきい値より上に増加させることになるとの決定に応答して、前記追加のアップリンク送信をドロップする手段と、前記追加のアップリンク送信が前記ＵＥのアグリゲート送信電力を前記最大電力しきい値より上に増加させることにならないとの決定に応答して、前記ＣＣのうちの１つ以上を使用して、前記スロット間に、前記複数のアップリンク送信を送信する手段、または、前記ＣＣのうちの１つ以上を使用して、前記スロット間に、前記追加のアップリンク送信と前記複数のアップリンク送信とを送信する手段とを具備する装置。
【請求項１０】
前記優先順位は、前記複数のアップリンク送信のそれぞれに関係するチャネルタイプ、前記複数のアップリンク送信のそれぞれを介して送信されるアップリンク制御情報（ＵＣＩ）のタイプ、または、これらの任意の組み合わせ、のうちの１つ以上に少なくとも部分的に基づいている請求項９記載の装置。
【請求項１１】
前記複数の許可を受信するための前記予め定められた時間は、予め構成されるかまたは前記基地局と前記ＵＥとの間でシグナリングされる請求項９記載の装置。
【請求項１２】
前記複数の許可を受信するための前記予め定められた時間は、前記ＵＥの能力に少なくとも部分的に基づいている請求項９記載の装置。
【請求項１３】
前記２つ以上のＣＣのうちの第１のＣＣは、前記２つ以上のＣＣのうちの第２のＣＣ以外の異なるタイミングアドバンスグループ（ＴＡＧ）に属し、前記第１のＣＣの前記スロットの開始時間は、前記第２のＣＣの前のスロットの終了時間に先行する請求項９記載の装置。
【請求項１４】
前記スケーリングする手段は、オーバーラップ期間がオーバーラップしきい値以下であることに応答して、前記オーバーラップ期間にかかわらず、前記送信電力のスケーリングを実行し、前記オーバーラップ期間は、前記第１のＣＣの前記スロットの開始時間と前記第２のＣＣの前記前のスロットの終了時間との間の期間に対応し、前記オーバーラップしきい値は、前記ＵＥに対する最大電力しきい値から免除される時間の量に対応する請求項１３記載の装置。
【請求項１５】
オーバーラップ期間がオーバーラップしきい値を超えることに応答して、前記第１のＣＣまたは前記第２のＣＣのオーバーラップするアップリンク送信をドロップして、前記オーバーラップ期間間に、前記最大電力しきい値以下であるアグリゲート送信電力を提供する手段をさらに具備し、前記オーバーラップ期間は、前記第１のＣＣの前記スロットの開始時間と前記第２のＣＣの前記前のスロットの終了時間との間であり、前記オーバーラップしきい値は、前記ＵＥに対する最大電力しきい値から免除される時間の量に対応する請求項１３記載の装置。
【請求項１６】
前記スケーリングする手段は、前記第１のＣＣの前記スロットの開始時間と前記第２のＣＣの前記前のスロットの終了時間との間のオーバーラップ期間がオーバーラップしきい値を超えることに応答して、前記第１のＣＣおよび前記第２のＣＣのうちの１つ以上のアップリンク送信に対する前記送信電力をスケーリングして、前記オーバーラップ期間間に、前記最大電力しきい値以下であるアグリゲート送信電力を提供し、前記オーバーラップしきい値は、前記ＵＥに対する最大電力しきい値から免除される時間の量に対応する請求項１３記載の装置。
【請求項１７】
ワイヤレス通信のための装置において、
プロセッサと、
前記プロセッサと電子通信するメモリと、
前記メモリ中に記憶されている命令とを具備し、
前記命令は、前記装置に、
ＵＥにおいて、基地局との接続を確立させ、前記接続は２つ以上のコンポーネント搬送波（ＣＣ）をサポートし、
スロット間の前記２つ以上のＣＣ上での複数のアップリンク送信に対するアップリンクリソースの複数の許可を受信させ、前記複数の許可は、前記スロットの開始に先立って、少なくとも予め定められた時間に受信され、前記複数のアップリンク送信を送信する送信電力は、前記スロットの少なくとも一部分の間に、前記ＵＥに対する最大電力しきい値を超え、
前記複数のアップリンク送信のサブセット以外の前記複数のアップリンク送信の他のものに対する、前記複数のアップリンク送信のサブセットに関係する優先順位に基づいて、前記複数のアップリンク送信の少なくともサブセットの送信電力をスケーリングさせて、前記送信電力が前記最大電力しきい値以下であることを提供させ、
前記予め定められた時間の後かつ前記スロットの開始の前に、追加のアップリンク送信に対する追加の許可を受信させ、
前記追加のアップリンク送信が前記ＵＥのアグリゲート送信電力を前記最大電力しきい値より上に増加させるか否かを決定させ、
前記追加のアップリンク送信が前記ＵＥのアグリゲート送信電力を前記最大電力しきい値より上に増加させることになるとの決定に応答して、前記追加のアップリンク送信をドロップさせ、前記追加のアップリンク送信が前記ＵＥのアグリゲート送信電力を前記最大電力しきい値より上に増加させることにならないとの決定に応答して、前記ＣＣのうちの１つ以上を使用して、前記スロット間に、前記複数のアップリンク送信を送信させ、または、前記ＣＣのうちの１つ以上を使用して、前記スロット間に、前記追加のアップリンク送信と前記複数のアップリンク送信とを送信させるように、
前記プロセッサにより実行可能である装置。
【請求項１８】
前記優先順位は、前記複数のアップリンク送信のそれぞれに関係するチャネルタイプ、前記複数のアップリンク送信のそれぞれを介して送信されるアップリンク制御情報（ＵＣＩ）のタイプ、または、これらの任意の組み合わせ、のうちの１つ以上に少なくとも部分的に基づいている請求項１７記載の装置。
【請求項１９】
前記複数の許可を受信するための前記予め定められた時間は、予め構成されるかまたは前記基地局と前記Ｕ
Ｅとの間でシグナリングされる請求項１７記載の装置。
【請求項２０】
前記複数の許可を受信するための前記予め定められた時間は、前記ＵＥの能力に少なくとも部分的に基づいている請求項１７記載の装置。
【請求項２１】
前記２つ以上のＣＣのうちの第１のＣＣは、前記２つ以上のＣＣのうちの第２のＣＣ以外の異なるタイミングアドバンスグループ（ＴＡＧ）に属し、前記第１のＣＣの前記スロットの開始時間は、前記第２のＣＣの前のスロットの終了時間に先行する請求項１７記載の装置。
【請求項２２】
前記命令は、前記装置に、
オーバーラップ期間がオーバーラップしきい値以下であることに応答して、前記オーバーラップ期間にかかわらず、前記送信電力のスケーリングを実行させるように、前記プロセッサによりさらに実行可能であり、
前記オーバーラップ期間は、前記第１のＣＣの前記スロットの開始時間と前記第２のＣＣの前記前のスロットの終了時間との間の期間に対応し、前記オーバーラップしきい値は、前記ＵＥに対する最大電力しきい値から免除される時間の量に対応する請求項２１記載の装置。
【請求項２３】
前記命令は、前記装置に、オーバーラップ期間がオーバーラップしきい値を超えることに応答して、前記第１のＣＣまたは前記第２のＣＣのオーバーラップするアップリンク送信をドロップして、前記オーバーラップ期間間に、前記最大電力しきい値以下であるアグリゲート送信電力を提供させるように、前記プロセッサによりさらに実行可能であり、前記オーバーラップ期間は、前記第１のＣＣの前記スロットの開始時間と前記第２のＣＣの前記前のスロットの終了時間との間であり、前記オーバーラップしきい値は、前記ＵＥに対する最大電力しきい値から免除される時間の量に対応する請求項２１記載の装置。
【請求項２４】
前記命令は、前記装置に、前記第１のＣＣの前記スロットの開始時間と前記第２のＣＣの前記前のスロットの終了時間との間のオーバーラップ期間がオーバーラップしきい値を超えることに応答して、前記第１のＣＣおよび前記第２のＣＣのうちの１つ以上のアップリンク送信に対する前記送信電力をスケーリングして、前記オーバーラップ期間間に、前記最大電力しきい値以下であるアグリゲート送信電力を提供させるように、前記プロセッサによりさらに実行可能であり、前記オーバーラップしきい値は、前記ＵＥに対する最大電力しきい値から免除される時間の量に対応する請求項２１記載の装置。
【請求項２５】
ワイヤレス通信のためのコードを記憶している非一時的コンピュータ読取可能媒体において、
前記コードは、
ＵＥにおいて、基地局との接続を確立し、前記接続は２つ以上のコンポーネント搬送波（ＣＣ）をサポートし、
スロット間の前記２つ以上のＣＣ上での複数のアップリンク送信に対するアップリンクリソースの複数の許可を受信し、前記複数の許可は、前記スロットの開始に先立って、少なくとも予め定められた時間に受信され、前記複数のアップリンク送信を送信する送信電力は、前記スロットの少なくとも一部分の間に、前記ＵＥに対する最大電力しきい値を超え、
前記複数のアップリンク送信のサブセット以外の前記複数のアップリンク送信の他のものに対する、前記複数のアップリンク送信のサブセットに関係する優先順位に基づいて、前記複数のアップリンク送信の少なくともサブセットの送信電力をスケーリングして、前記送信電力が前記最大電力しきい値以下であることを提供し、
前記予め定められた時間の後かつ前記スロットの開始の前に、追加のアップリンク送信に対する追加の許可を受信し、
前記追加のアップリンク送信が前記ＵＥのアグリゲート送信電力を前記最大電力しきい値より上に増加させるか否かを決定し、
前記追加のアップリンク送信が前記ＵＥのアグリゲート送信電力を前記最大電力しきい値より上に増加させることになるとの決定に応答して、前記追加のアップリンク送信をドロップし、前記追加のアップリンク送信が前記ＵＥのアグリゲート送信電力を前記最大電力しきい値より上に増加させることにならないとの決定に応答して、前記ＣＣのうちの１つ以上を使用して、前記スロット間に、前記複数のアップリンク送信を送信し、または、前記ＣＣのうちの１つ以上を使用して、前記スロット間に、前記追加のアップリンク送信をと前記複数のアップリンク送信とを送信するように、
プロセッサにより実行可能な命令を含む非一時的コンピュータ読取可能媒体。
【請求項２６】
前記優先順位は、前記複数のアップリンク送信のそれぞれに関係するチャネルタイプ、前記複数のアップリンク送信のそれぞれを介して送信されるアップリンク制御情報（ＵＣＩ）のタイプ、または、これらの任意の組み合わせ、のうちの１つ以上に少なくとも部分的に基づいている請求項２５記載の非一時的コンピュータ読取可能媒体。
【請求項２７】
前記複数の許可を受信するための前記予め定められた時間は、予め構成されるかまたは前記基地局と前記ＵＥとの間でシグナリングされる請求項２５記載の非一時的コンピュータ読取可能媒体。
【請求項２８】
前記複数の許可を受信するための前記予め定められた時間は、前記ＵＥの能力に少なくとも部分的に基づいている請求項２５記載の非一時的コンピュータ読取可能媒体。
【請求項２９】
前記２つ以上のＣＣのうちの第１のＣＣは、前記２つ以上のＣＣのうちの第２のＣＣ以外の異なるタイミングアドバンスグループ（ＴＡＧ）に属し、前記第１のＣＣの前記スロットの開始時間は、前記第２のＣＣの前のスロットの終了時間に先行する請求項２５記載の非一時的コンピュータ読取可能媒体。
【請求項３０】
前記命令は、オーバーラップ期間がオーバーラップしきい値以下であることに応答して、前記オーバーラップ期間にかかわらず、前記送信電力のスケーリングを実行するように、前記プロセッサによってさらに実行可能であり、
前記オーバーラップ期間は、前記第１のＣＣの前記スロットの開始時間と前記第２のＣＣの前記前のスロットの終了時間との間の期間に対応し、前記オーバーラップしきい値は、前記ＵＥに対する最大電力しきい値から免除される時間の量に対応する請求項２９記載の非一時的コンピュータ読取可能媒体。
【請求項３１】
前記命令は、オーバーラップ期間がオーバーラップしきい値を超えることに応答して、前記第１のＣＣまたは前記第２のＣＣのオーバーラップするアップリンク送信をドロップして、前記オーバーラップ期間間に、前記最大電力しきい値以下であるアグリゲート送信電力を提供するように、前記プロセッサによってさらに実行可能であり、前記オーバーラップ期間は、前記第１のＣＣの前記スロットの開始時間と前記第２のＣＣの前記前のスロットの終了時間との間であり、前記オーバーラップしきい値は、前記ＵＥに対する最大電力しきい値から免除される時間の量に対応する請求項２９記載の非一時的コンピュータ読取可能媒体。
【請求項３２】
前記命令は、前記第１のＣＣの前記スロットの開始時間と前記第２のＣＣの前記前のスロットの終了時間との間のオーバーラップ期間がオーバーラップしきい値を超えることに応答して、前記第１のＣＣおよび前記第２のＣＣのうちの１つ以上のアップリンク送信に対する前記送信電力をスケーリングして、前記オーバーラップ期間間に、前記最大電力しきい値以下であるアグリゲート送信電力を提供するように、前記プロセッサによってさらに実行可能であり、前記オーバーラップしきい値は、前記ＵＥに対する最大電力しきい値から免除される時間の量に対応する請求項２９記載の非一時的コンピュータ読取可能媒体。
【手続補正２】
【補正対象書類名】明細書
【補正対象項目名】０２７７
【補正方法】変更
【補正の内容】
【０２７７】
［０２９３］
本明細書の説明は、当業者が本開示を作成または使用することを可能にするために提供されている。本開示のさまざまな修正は、当業者には容易に明らかであり、本明細書で定義される一般的な原理は、本開示の範囲から逸脱することなく他の変形例に適用してもよい。したがって、本開示は、ここで説明する例および設計に限定されず、本明細書で開示される原理および新規の特徴と一致する最も広い範囲を与えられるべきである。
以下に、本願出願の当初の特許請求の範囲に記載された発明を付記する。
［１］  ワイヤレス通信のための方法において、
ＵＥにおいて、基地局との接続を確立し、前記接続は２つ以上のコンポーネント搬送波（ＣＣ）をサポートすることと、
スロット間の前記２つ以上のＣＣ上での複数のアップリンク送信に対するアップリンクリソースの複数の許可を受信し、前記複数の許可は、前記スロットの開始に先立って、少なくとも予め定められた時間に受信され、前記複数のアップリンク送信を送信する送信電力は、前記スロットの少なくとも一部分の間に、前記ＵＥに対する最大電力しきい値を超えることと、
前記複数のアップリンク送信の少なくともサブセットの送信電力をスケーリングして、前記送信電力が前記最大電力しきい値以下であることを提供することと、
前記ＣＣのうちの１つ以上を使用して、前記スロット間に、前記複数のアップリンク送信を送信することとを含む方法。
［２］  前記複数のアップリンク送信のサブセット以外の前記複数のアップリンク送信の他のものに対する、前記複数のアップリンク送信のサブセットに関係する優先順位に基づいて、前記スケーリングが実行される［１］記載の方法。
［３］  前記優先順位は、前記複数のアップリンク送信のそれぞれに関係するチャネルタイプ、前記複数のアップリンク送信のそれぞれを介して送信されるアップリンク制御情報（ＵＣＩ）のタイプ、または、これらの任意の組み合わせ、のうちの１つ以上に少なくとも部分的に基づいている［２］記載の方法。
［４］  前記予め定められた時間の後かつ前記スロットの開始の前に、追加のアップリンク送信に対する追加の許可を受信することと、
前記追加のアップリンク送信が前記ＵＥのアグリゲート送信電力を前記最大電力しきい値より上に増加させることになるとの決定に応答して、前記追加のアップリンク送信をドロップすることとをさらに含む［１］記載の方法。
［５］  前記予め定められた時間の後かつ前記スロットの開始の前に、追加のアップリンク送信に対する追加の許可を受信することと、
前記追加のアップリンク送信が前記ＵＥのアグリゲート送信電力を前記最大電力しきい値より上に増加させることにならないとの決定に応答して、前記追加のアップリンク送信を送信することとをさらに含む［１］記載の方法。
［６］  前記複数の許可を受信するための前記予め定められた時間は、予め構成されるかまたは前記基地局と前記ＵＥとの間でシグナリングされる［１］記載の方法。
［７］  前記複数の許可を受信するための前記予め定められた時間は、前記ＵＥの能力に少なくとも部分的に基づいている［１］記載の方法。
［８］  前記２つ以上のＣＣのうちの第１のＣＣは、前記２つ以上のＣＣのうちの第２のＣＣ以外の異なるタイミングアドバンスグループ（ＴＡＧ）に属し、前記第１のＣＣの前記スロットの開始時間は、前記第２のＣＣの前のスロットの終了時間に先行する［１］記載の方法。
［９］  前記方法は、オーバーラップ期間がオーバーラップしきい値以下であることに応答して、前記オーバーラップ期間にかかわらず、前記送信電力のスケーリングを実行することをさらに含み、前記オーバーラップ期間は、前記第１のＣＣの前記スロットの開始時間と前記第２のＣＣの前記前のスロットの終了時間との間の期間に対応し、前記オーバーラップしきい値は、前記ＵＥに対する最大電力しきい値から免除される時間の量に対応する［８］記載の方法。
［１０］  前記方法は、前記オーバーラップ期間がオーバーラップしきい値を超えることに応答して、前記第１のＣＣまたは前記第２のＣＣのオーバーラップするアップリンク送信をドロップして、オーバーラップ期間間に、前記最大電力しきい値以下であるアグリゲート送信電力を提供することをさらに含み、前記オーバーラップ期間は、前記第１のＣＣの前記スロットの開始時間と前記第２のＣＣの前記前のスロットの終了時間との間であり、前記オーバーラップしきい値は、前記ＵＥに対する最大電力しきい値から免除される時間の量に対応する［８］記載の方法。
［１１］  前記方法は、前記第１のＣＣの前記スロットの開始時間と前記第２のＣＣの前記前のスロットの終了時間との間の前記オーバーラップ期間がオーバーラップしきい値を超えることに応答して、前記第１のＣＣおよび前記第２のＣＣのうちの１つ以上のアップリンク送信に対する前記送信電力をスケーリングして、オーバーラップ期間間に、前記最大電力しきい値以下であるアグリゲート送信電力を提供することをさらに含み、前記オーバーラップしきい値は、前記ＵＥに対する最大電力しきい値から免除される時間の量に対応する［８］記載の方法。
［１２］  ワイヤレス通信のための方法において、
ユーザ機器（ＵＥ）において、基地局との接続を確立し、前記接続は２つ以上のコンポーネント搬送波（ＣＣ）をサポートすることと、
スロット間の前記２つ以上のＣＣ上での複数のアップリンク送信に対するアップリンクリソースの複数の許可を受信し、前記複数の許可は、前記スロットの開始に先立って、少なくとも予め定められた時間に受信され、前記複数のアップリンク送信のうちの第１のアップリンク送信は、前記第１のアップリンク送信とオーバーラップする、前記複数のアップリンク送信のうちの第２のアップリンク送信の第２の優先度よりも少なくとも高い第１の優先度を有することと、
前記ＵＥのアグリゲート送信電力が最大電力しきい値以下であるように、前記第２のアップリンク送信の第２の送信電力をスケーリングすることと、
前記２つ以上のＣＣを使用して、前記スロット間に、前記複数のアップリンク送信を送信することとを含む方法。
［１３］  前記ＵＥの前記アグリゲート送信電力と前記最大電力しきい値との間の残りの電力が利用可能であり、
第３のアップリンク送信が、前記第１のアップリンク送信および前記第２のアップリンク送信とオーバーラップし、前記第１の優先度および前記第２の優先度よりも低い優先度を有し、
前記方法は、前記残りの電力を前記第３のアップリンク送信に割り振ることをさらに含む［１２］記載の方法。
［１４］  既に開始したアップリンク送信は、他のアップリンク送信よりも高い優先度を有する［１２］記載の方法。
［１５］  前記アップリンク送信が進行中の送信であるか否かに、アップリンク送信のタイプに、送信されるべき情報に、または、これらの任意の組み合わせにしたがって、前記複数のアップリンク送信が優先順位付けされる［１２］記載の方法。
［１６］  前記ＵＥの前記アグリゲート送信電力が前記最大電力しきい値以下であるように、前記ＵＥが、同じ優先度を有する１つより多いアップリンク送信をさらにスケーリングする［１２］記載の方法。
［１７］  前記スロット間のアップリンク送信の各シンボルは、同じ送信電力を有する［１２］記載の方法。
［１８］  ワイヤレス通信のための装置において、
ユーザ機器（ＵＥ）において、基地局との接続を確立し、前記接続は２つ以上のコンポーネント搬送波（ＣＣ）をサポートする手段と、
スロット間の前記２つ以上のＣＣ上での複数のアップリンク送信に対するアップリンクリソースの複数の許可を受信し、前記複数の許可は、前記スロットの開始に先立って、少なくとも予め定められた時間に受信され、前記複数のアップリンク送信を送信する送信電力は、前記スロットの少なくとも一部分の間に、前記ＵＥに対する最大電力しきい値を超える手段と、
前記複数のアップリンク送信の少なくともサブセットの送信電力をスケーリングして、前記送信電力が前記最大電力しきい値以下であることを提供する手段と、
前記ＣＣのうちの１つ以上を使用して、前記スロット間に、前記複数のアップリンク送信を送信する手段とを具備する装置。
［１９］  前記予め定められた時間の後かつ前記スロットの開始の前に、追加のアップリンク送信に対する追加の許可を受信する手段と、
前記追加のアップリンク送信が前記ＵＥのアグリゲート送信電力を前記最大電力しきい値より上に増加させることになるとの決定に応答して、前記追加のアップリンク送信をドロップする手段とをさらに具備する［１８］記載の装置。
［２０］  前記予め定められた時間の後かつ前記スロットの開始の前に、追加のアップリンク送信に対する追加の許可を受信する手段と、
前記追加のアップリンク送信が前記ＵＥのアグリゲート送信電力を前記最大電力しきい値より上に増加させることにならないとの決定に応答して、前記追加のアップリンク送信を送信する手段とをさらに具備する［１８］記載の装置。
［２１］  前記２つ以上のＣＣのうちの第１のＣＣは、前記２つ以上のＣＣのうちの第２のＣＣ以外の異なるタイミングアドバンスグループ（ＴＡＧ）に属し、前記第１のＣＣの前記スロットの開始時間は、前記第２のＣＣの前のスロットの終了時間に先行し、
前記スケーリングする手段は、オーバーラップ期間がオーバーラップしきい値以下であるとの決定に応答して、前記オーバーラップ期間にかかわらず、前記送信電力をスケーリングし、前記オーバーラップ期間は、前記第１のＣＣの前記スロットの開始時間と前記第２のＣＣの前記前のスロットの終了時間との間の期間に対応し、前記オーバーラップしきい値は、前記ＵＥに対する最大電力しきい値から免除される時間の量に対応する［１８］記載の装置。
［２２］  ワイヤレス通信のための装置において、
ユーザ機器（ＵＥ）において、基地局との接続を確立し、前記接続は２つ以上のコンポーネント搬送波（ＣＣ）をサポートする手段と、
スロット間の前記２つ以上のＣＣ上での複数のアップリンク送信に対するアップリンクリソースの複数の許可を受信し、前記複数の許可は、前記スロットの開始に先立って、少なくとも予め定められた時間に受信され、前記複数のアップリンク送信のうちの第１のアップリンク送信は、前記第１のアップリンク送信とオーバーラップする、前記複数のアップリンク送信のうちの第２のアップリンク送信の第２の優先度よりも少なくとも高い第１の優先度を有する手段と、
前記ＵＥのアグリゲート送信電力が最大電力しきい値以下であるように、前記第２のアップリンク送信の第２の送信電力をスケーリングする手段と、
前記２つ以上のＣＣを使用して、前記スロット間に、前記複数のアップリンク送信を送信する手段とを具備する装置。
［２３］  前記ＵＥの前記アグリゲート送信電力と前記最大電力しきい値との間の残りの電力が利用可能であり、
第３のアップリンク送信が、前記第１のアップリンク送信および前記第２のアップリンク送信とオーバーラップし、前記第１の優先度および前記第２の優先度よりも低い優先度を有し、
前記装置は、前記残りの電力を前記第３のアップリンク送信に割り振る手段をさらに具備する［２２］記載の装置。
［２４］  前記アップリンク送信が進行中の送信であるか否かに、アップリンク送信のタイプに、送信されるべき情報に、または、これらの任意の組み合わせにしたがって、前記複数のアップリンク送信が優先順位付けされる［２２］記載の装置。
［２５］  前記ＵＥの前記アグリゲート送信電力が前記最大電力しきい値以下であるように、前記ＵＥが、同じ優先度を有する１つより多いアップリンク送信をさらにスケーリングする［２２］記載の装置。
［２６］  ワイヤレス通信のための装置において、
プロセッサと、
前記プロセッサと電子通信するメモリと、
前記メモリ中に記憶されている命令とを具備し、
前記命令は、前記装置に、
ＵＥにおいて、基地局との接続を確立させ、前記接続は２つ以上のコンポーネント搬送波（ＣＣ）をサポートし、
スロット間の前記２つ以上のＣＣ上での複数のアップリンク送信に対するアップリンクリソースの複数の許可を受信させ、前記複数の許可は、前記スロットの開始に先立って、少なくとも予め定められた時間に受信され、前記複数のアップリンク送信を送信する送信電力は、前記スロットの少なくとも一部分の間に、前記ＵＥに対する最大電力しきい値を超え、
前記複数のアップリンク送信の少なくともサブセットの送信電力をスケーリングさせて、前記送信電力が前記最大電力しきい値以下であることを提供させ、
前記ＣＣのうちの１つ以上を使用させて、前記スロット間に、前記複数のアップリンク送信を送信させるように、
前記プロセッサにより実行可能である装置。
［２７］  前記命令は、前記装置に、
前記予め定められた時間の後かつ前記スロットの開始の前に、追加のアップリンク送信に対する追加の許可を受信させ、
前記追加のアップリンク送信が前記ＵＥのアグリゲート送信電力を前記最大電力しきい値より上に増加させることになるとの決定に応答して、前記追加のアップリンク送信をドロップさせるように、
前記プロセッサによりさらに実行可能である［２６］記載の装置。
［２８］  前記命令は、前記装置に、
前記予め定められた時間の後かつ前記スロットの開始の前に、追加のアップリンク送信に対する追加の許可を受信させ、
前記追加のアップリンク送信が前記ＵＥのアグリゲート送信電力を前記最大電力しきい値より上に増加させることにならないとの決定に応答して、前記追加のアップリンク送信を送信させるように、
前記プロセッサによりさらに実行可能である［２６］記載の装置。
［２９］  前記２つ以上のＣＣのうちの第１のＣＣは、前記２つ以上のＣＣのうちの第２のＣＣ以外の異なるタイミングアドバンスグループ（ＴＡＧ）に属し、前記第１のＣＣの前記スロットの開始時間は、前記第２のＣＣの前のスロットの終了時間に先行し、
前記命令は、前記装置に、
オーバーラップ期間がオーバーラップしきい値以下であるとの決定に応答して、前記オーバーラップ期間にかかわらず、前記送信電力をスケーリングさせるように、前記プロセッサによりさらに実行可能であり、
前記オーバーラップ期間は、前記第１のＣＣの前記スロットの開始時間と前記第２のＣＣの前記前のスロットの終了時間との間の期間に対応し、前記オーバーラップしきい値は、前記ＵＥに対する最大電力しきい値から免除される時間の量に対応する［２６］記載の装置。
［３０］  ワイヤレス通信のための装置において、
プロセッサと、
前記プロセッサと電子通信するメモリと、
前記メモリ中に記憶されている命令とを具備し、
前記命令は、前記装置に、
ユーザ機器（ＵＥ）において、基地局との接続を確立させ、前記接続は２つ以上のコンポーネント搬送波（ＣＣ）をサポートし、
スロット間の前記２つ以上のＣＣ上での複数のアップリンク送信に対するアップリンクリソースの複数の許可を受信させ、前記複数の許可は、前記スロットの開始に先立って、少なくとも予め定められた時間に受信され、前記複数のアップリンク送信のうちの第１のアップリンク送信は、前記第１のアップリンク送信とオーバーラップする、前記複数のアップリンク送信のうちの第２のアップリンク送信の第２の優先度よりも少なくとも高い第１の優先度を有し、
前記ＵＥのアグリゲート送信電力が最大電力しきい値以下であるように、前記第２のアップリンク送信の第２の送信電力をスケーリングさせ、
前記２つ以上のＣＣを使用させて、前記スロット間に、前記複数のアップリンク送信を送信させるように、
前記プロセッサにより実行可能である装置。
［３１］  前記ＵＥの前記アグリゲート送信電力と前記最大電力しきい値との間の残りの電力が利用可能であり、
第３のアップリンク送信が、前記第１のアップリンク送信および前記第２のアップリンク送信とオーバーラップし、前記第１の優先度および前記第２の優先度よりも低い優先度を有し、
前記命令は、前記装置に、前記残りの電力を前記第３のアップリンク送信に割り振らせるように、前記プロセッサによりさらに実行可能である［３０］記載の装置。
［３２］  前記アップリンク送信が進行中の送信であるか否かに、アップリンク送信のタイプに、送信されるべき情報に、または、これらの任意の組み合わせにしたがって、前記複数のアップリンク送信が優先順位付けされる［３０］記載の装置。
［３３］  ワイヤレス通信のためのコードを記憶している非一時的コンピュータ読取可能媒体において、
前記コードは、
ＵＥにおいて、基地局との接続を確立し、前記接続は２つ以上のコンポーネント搬送波（ＣＣ）をサポートし、
スロット間の前記２つ以上のＣＣ上での複数のアップリンク送信に対するアップリンクリソースの複数の許可を受信し、前記複数の許可は、前記スロットの開始に先立って、少なくとも予め定められた時間に受信され、前記複数のアップリンク送信を送信する送信電力は、前記スロットの少なくとも一部分の間に、前記ＵＥに対する最大電力しきい値を超え、
前記複数のアップリンク送信の少なくともサブセットの送信電力をスケーリングして、前記送信電力が前記最大電力しきい値以下であることを提供し、
前記ＣＣのうちの１つ以上を使用して、前記スロット間に、前記複数のアップリンク送信を送信するように、
プロセッサにより実行可能な命令を含む非一時的コンピュータ読取可能媒体。
［３４］  前記命令は、
前記予め定められた時間の後かつ前記スロットの開始の前に、追加のアップリンク送信に対する追加の許可を受信し、
前記追加のアップリンク送信が前記ＵＥのアグリゲート送信電力を前記最大電力しきい値より上に増加させることになるとの決定に応答して、前記追加のアップリンク送信をドロップするように、
さらに実行可能である［３３］記載の非一時的コンピュータ読取可能媒体。
［３５］  前記命令は、
前記予め定められた時間の後かつ前記スロットの開始の前に、追加のアップリンク送信に対する追加の許可を受信し、
前記追加のアップリンク送信が前記ＵＥのアグリゲート送信電力を前記最大電力しきい値より上に増加させることにならないとの決定に応答して、前記追加のアップリンク送信を送信するように、
さらに実行可能である［３３］記載の非一時的コンピュータ読取可能媒体。
［３６］  前記２つ以上のＣＣのうちの第１のＣＣは、前記２つ以上のＣＣのうちの第２のＣＣ以外の異なるタイミングアドバンスグループ（ＴＡＧ）に属し、前記第１のＣＣの前記スロットの開始時間は、前記第２のＣＣの前のスロットの終了時間に先行し、
前記命令は、オーバーラップ期間がオーバーラップしきい値以下であるとの決定に応答して、前記オーバーラップ期間にかかわらず、前記送信電力をスケーリングするように、
さらに実行可能であり、
前記オーバーラップ期間は、前記第１のＣＣの前記スロットの開始時間と前記第２のＣＣの前記前のスロットの終了時間との間の期間に対応し、前記オーバーラップしきい値は、前記ＵＥに対する最大電力しきい値から免除される時間の量に対応する［３３］記載の非一時的コンピュータ読取可能媒体。
［３７］  ワイヤレス通信のためのコードを記憶している非一時的コンピュータ読取可能媒体において、
前記コードは、
ユーザ機器（ＵＥ）において、基地局との接続を確立し、前記接続は２つ以上のコンポーネント搬送波（ＣＣ）をサポートし、
スロット間の前記２つ以上のＣＣ上での複数のアップリンク送信に対するアップリンクリソースの複数の許可を受信し、前記複数の許可は、前記スロットの開始に先立って、少なくとも予め定められた時間に受信され、前記複数のアップリンク送信のうちの第１のアップリンク送信は、前記第１のアップリンク送信とオーバーラップする、前記複数のアップリンク送信のうちの第２のアップリンク送信の第２の優先度よりも少なくとも高い第１の優先度を有し、
前記ＵＥのアグリゲート送信電力が最大電力しきい値以下であるように、前記第２のアップリンク送信の第２の送信電力をスケーリングし、
前記２つ以上のＣＣを使用して、前記スロット間に、前記複数のアップリンク送信を送信するように、
プロセッサにより実行可能な命令を含む非一時的コンピュータ読取可能媒体。
［３８］  前記ＵＥの前記アグリゲート送信電力と前記最大電力しきい値との間の残りの電力が利用可能であり、
第３のアップリンク送信が、前記第１のアップリンク送信および前記第２のアップリンク送信とオーバーラップし、前記第１の優先度および前記第２の優先度よりも低い優先度を有し、
前記命令は、前記残りの電力を前記第３のアップリンク送信に割り振るように、さらに実行可能である［３７］記載の非一時的コンピュータ読取可能媒体。
［３９］  前記アップリンク送信が進行中の送信であるか否かに、アップリンク送信のタイプに、送信されるべき情報に、または、これらの任意の組み合わせにしたがって、前記複数のアップリンク送信が優先順位付けされる［３７］記載の非一時的コンピュータ読取可能媒体。
【国際調査報告】
2021503794.tif 000028
2021503794.tif 000029
2021503794.tif 000030